(57)【要約】【課題】高分子量のアイソタクチックポリ（アルキレンオキシド）及びその製造方法を提供すること。【解決手段】下式（１）で表される繰り返し単位を有し、１３Ｃ−ＮＭＲにより測定したアイソタクチックトライアッド分率（ｍｍ）が６６〜１００％であり、数平均分子量（Ｍｎ）が５００，０００を超えるアイソタクチックポリ（アルキレンオキシド）：2011057966.tif 000009式中、Ｒ１及びＲ２は水素原子または炭素数１〜２０のヒドロカルビル基を表し、両者は相互に異なる；Ｒ３及びＲ４はそれぞれ独立に、水素原子または炭素数１〜２０のヒドロカルビル基を表す。【選択図】なし【特許請求の範囲】
【請求項１】
下式（１）で表される繰り返し単位を有し、１３Ｃ−ＮＭＲにより測定したアイソタクチックトライアッド分率（ｍｍ）が６６〜１００％であり、数平均分子量（Ｍｎ）が５００，０００を超えるアイソタクチックポリ（アルキレンオキシド）：
2011057966.tif 000005
式中、Ｒ１及びＲ２は水素原子または炭素数１〜２０のヒドロカルビル基を表し、両者は相互に異なる；Ｒ３及びＲ４はそれぞれ独立に、水素原子または炭素数１〜２０のヒドロカルビル基を表す。
【請求項２】
数平均分子量が５００，０００を越え、２０，０００，０００以下である請求項１記載のアイソタクチックポリ（アルキレンオキシド）。
【請求項３】
数平均分子量が２，０００，０００を越え、１５，０００，０００以下である請求項１記載のアイソタクチックポリ（アルキレンオキシド）。
【請求項４】
Ｒ１またはＲ２が水素原子であり、Ｒ３及びＲ４が水素原子である請求項１記載のアイソタクチックポリ（アルキレンオキシド）。
【請求項５】
式（１）で表される繰り返し単位を９０〜１００％有する請求項１記載のアイソタクチックポリ（アルキレンオキシド）。
【請求項６】
下式（２）で表されるエポキシドを、脂肪族化合物および／または脂環式化合物と触媒との存在下に重合させる工程からなる、下式（１）で表される繰り返し単位を有し、１３Ｃ−ＮＭＲにより測定したアイソタクチックトライアッド分率（ｍｍ）が６６〜１００％であり、数平均分子量（Ｍｎ）が５００，０００を超えるアイソタクチックポリ（アルキレンオキシド）の製造方法：
2011057966.tif 000006
2011057966.tif 000007
式中、Ｒ１及びＲ２は水素原子または炭素数１〜２０のヒドロカルビル基を表し、両者は相互に異なる；Ｒ３及びＲ４はそれぞれ独立に、水素原子または炭素数１〜２０のヒドロカルビル基を表す。
【請求項７】
数平均分子量が５００，０００を越え、２０，０００，０００以下である請求項６記載のアイソタクチックポリ（アルキレンオキシド）の製造方法。
【請求項８】
Ｒ１またはＲ２が水素原子であり、Ｒ３及びＲ４が水素原子である請求項６記載のアイソタクチックポリ（アルキレンオキシド）の製造方法。
【請求項９】
脂肪族化合物がｎ−ヘキサンまたはｎ−ヘプタンであり、脂環式化合物がシクロヘキサンである請求項６記載の製造方法。
【請求項１０】
触媒が下式（３）で表されるコバルト錯体である請求項６記載の製造方法：
2011057966.tif 000008
式中、Ｅは炭素数１〜２０のヒドロカルビレン基を表し；Ｒ５〜Ｒ９はそれぞれ独立に水素原子、ハロゲン原子、炭素数１〜２０のヒドロカルビル基、炭素数１〜２０のヒドロカルビルシリル基、炭素数１〜２０のヒドロカルビルオキシ基、炭素数２〜２０のジヒドロカルビルアミノ基、アジド基またはシアノ基を表し；Ｘは水酸基、ハロゲン原子、炭素数１〜２０のヒドロカルビルオキシ基、炭素数１〜２０のアシルオキシ基、炭素数２〜２０のジヒドロカルビルアミノ基、アジド基またはシアノ基を表す。
【請求項１１】
Ｒ５は、炭素数３〜２０の分岐状アルキル基である請求項１０記載の製造方法。
【発明の詳細な説明】
【技術分野】
【０００１】
本発明は、高分子量のアイソタクチックポリ（アルキレンオキシド）及びその製造方法に関する。
【背景技術】
【０００２】
近年、コバルト錯体を用いてプロピレンオキシドを単独重合することによって、立体規則性が高度に制御されたポリ（プロピレンオキシド）を合成できることが知られている。例えば、米国特許公開公報２００６／０２９３５０１には、Ｎ，Ｎ−ビス（３，５−ジ−ｔｅｒｔ−ブチルサリシリジン）−ベンゼンジアミン配位子を有するコバルト錯体を用いて、プロピレンオキシドを重合させると、結晶性を有するアイソタクチックのポリ（プロピレンオキシド）が得られることが記載されている。
【先行技術文献】
【特許文献】
【０００３】
【特許文献１】米国特許公開公報２００６／０２９３５０１
【発明の概要】
【発明が解決しようとする課題】
【０００４】
しかしながら、上記のポリ（プロピレンオキシド）は分子量が低く、様々な用途に適用するために、その分子量を高めることが求められていた。
かかる状況において本発明が解決しようとする課題、即ち本発明の目的は、高分子量のアイソタクチックポリ（アルキレンオキシド）及びその製造方法を提供することである。
【課題を解決するための手段】
【０００５】
すなわち、本発明は、下式（１）で表される繰り返し単位を有し、１３Ｃ−ＮＭＲにより測定したアイソタクチックトライアッド分率（ｍｍ）が６６〜１００％であり、数平均分子量（Ｍｎ）が５００，０００を超えるアイソタクチックポリ（アルキレンオキシド）である：
2011057966.tif 000002
式中、Ｒ１及びＲ２は水素原子または炭素数１〜２０のヒドロカルビル基を表し、両者は相互に異なる；Ｒ３及びＲ４はそれぞれ独立に、水素原子または炭素数１〜２０のヒドロカルビル基を表す。
【０００６】
また、本発明は、下式（２）で表されるエポキシドを、脂肪族化合物および／または脂環式化合物と触媒との存在下に重合させる工程からなる、上式（１）で表される繰り返し単位を有し、１３Ｃ−ＮＭＲにより測定したアイソタクチックトライアッド分率（ｍｍ）が６６〜１００％であり、数平均分子量（Ｍｎ）が５００，０００を超えるアイソタクチックポリ（アルキレンオキシド）の製造方法である：
2011057966.tif 000003
式中、Ｒ１〜Ｒ４はそれぞれ、上記と同義である。
【発明を実施するための形態】
【０００７】
本発明のアイソタクチックポリ（アルキレンオキシド）の立体規則性は、１３Ｃ−ＮＭＲによって測定することができる。例えば、ポリ（プロピレンオキシド）の立体規則性については、アメリカ化学会編「マクロモルキュールズ（Ｍａｃｒｏｍｏｌｅｃｕｌｅｓ）」１９８６年９月、第１９巻、第５号、第１３３７頁〜第１３４３頁に詳細に記載されており、立体規則性は一般に、メチン炭素の積分値に基づいて求められる。
よく知られているように、立体規則性の高いポリマーほど、その結晶性は優れている。本発明のアイソタクチックポリ（アルキレンオキシド）の、１３Ｃ−ＮＭＲによって測定したアイソタクチックトライアッド分率（ｍｍ）は、６６％以上であり、フィルムのような用途に用いるためには、好ましくは８１％以上であり、より好ましくは９０％以上であり、更に好ましくは９９％以上である。
【０００８】
上記式（１）におけるＲ１、Ｒ２、Ｒ３およびＲ４の炭素数１〜２０のヒドロカルビル基として、炭素数１〜２０のアルキル基、炭素数７〜２０のアラルキル基、および炭素数６〜２０のアリール基を例示することができる。ヒドロカルビル基は置換基を有していてもよく、該置換基として、フッ素原子、塩素原子、臭素原子およびヨウ素原子のようなハロゲン原子；メトキシ基およびエトキシ基のようなアルコキシ基；フェノキシ基のようなアリールオキシ基；ならびにベンジルオキシ基のようなアラルキルオキシ基を例示することができる。
【０００９】
上記の炭素数１〜２０のアルキル基として、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、イソアミル基、ｎ−ヘキシル基、ｎ−オクチル基、ｎ−デシル基、ｎ−ドデシル基、ｎ−ペンタデシル基、およびｎ−エイコシル基を例示することができる。中でも、好ましくはメチル基またはエチル基である。
【００１０】
ハロゲン原子で置換された炭素数１〜２０のアルキル基として、フルオロメチル基、ジフルオロメチル基、トリフルオロメチル基、クロロメチル基、ジクロロメチル基、トリクロロメチル基、ブロモメチル基、ジブロモメチル基、トリブロモメチル基、ヨードメチル基、ジヨードメチル基、トリヨードメチル基、フルオロエチル基、ジフルオロエチル基、トリフルオロエチル基、テトラフルオロエチル基、ペンタフルオロエチル基、クロロエチル基、ジクロロエチル基、トリクロロエチル基、テトラクロロエチル基、ペンタクロロエチル基、ブロモエチル基、ジブロモエチル基、トリブロモエチル基、テトラブロモエチル基、ペンタブロモエチル基、パーフルオロプロピル基、パーフルオロブチル基、パーフルオロペンチル基、パーフルオロヘキシル基、パーフルオロオクチル基、パーフルオロドデシル基、パーフルオロペンタデシル基、パーフルオロエイコシル基、パークロロプロピル基、パークロロブチル基、パークロロペンチル基、パークロロヘキシル基、パークロロオクチル基、パークロロドデシル基、パークロロペンタデシル基、パークロロエイコシル基、パーブロモプロピル基、パーブロモブチル基、パーブロモペンチル基、パーブロモヘキシル基、パーブロモオクチル基、パーブロモドデシル基、パーブロモペンタデシル基、およびパーブロモエイコシル基を例示することができる。
【００１１】
上記の炭素数７〜２０のアラルキル基として、ベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（３，５−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−テトラデシルフェニル）メチル基、ナフチルメチル基、およびアントラセニルメチル基を例示することができる。中でも、好ましくはベンジル基である。
【００１２】
上記の炭素数６〜２０のアリール基として、フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、およびアントラセニル基を例示することができる。中でも、好ましくはフェニル基である。
【００１３】
式（１）で表される繰り返し単位は、好ましくはＲ３およびＲ４が水素原子である繰り返し単位であり；より好ましくはＲ１またはＲ２が水素原子であって、Ｒ３およびＲ４が水素原子である繰り返し単位であり；更に好ましくはＲ１がメチル基であり、Ｒ２が水素原子であり、Ｒ３およびＲ４が水素原子である繰り返し単位、またはＲ１が水素原子であり、Ｒ２がメチル基であり、Ｒ３およびＲ４が水素原子である繰り返し単位である。
本発明のアイソタクチックポリ（アルキレンオキシド）として、アイソタクチックポリ（プロピレンオキシド）、アイソタクチックポリ（ブチレンオキシド）、アイソタクチックポリ（ペンテンオキシド）、アイソタクチックポリ（ヘキセンオキシド）、アイソタクチックポリ（シクロヘキセンオキシド）、およびアイソタクチックポリ（スチレンオキシド）を例示することができる。中でも、好ましくは、アイソタクチックポリ（プロピレンオキシド）、アイソタクチックポリ（ブチレンオキシド）またはアイソタクチックポリ（スチレンオキシド）であり、より好ましくは、アイソタクチックポリ（プロピレンオキシド）またはアイソタクチックポリ（ブチレンオキシド）である。
【００１４】
本発明のアイソタクチックポリ（アルキレンオキシド）の数平均分子量（Ｍｎ）は、５００，０００より大であり、好ましくは、１，０００，０００より大であり、より好ましくは１２，０００，０００より大である。数平均分子量は、後述する、本発明のアイソタクチックポリ（アルキレンオキシド）の製造方法で用いられる脂肪族化合物および／または脂環式化合物の種類によって調節することができる。
【００１５】
式（２）で表されるエポキシドとして、プロピレンオキシド、１−ブテンオキシド、１−ペンテンオキシド、１−ヘキセンオキシド、１−オクテンオキシド、１−デセンオキシド、スチレンオキシド、ビニルシクロヘキサンオキシド、３−フェニルプロピレンオキシド、３，３，３−トリフルオロプロピレンオキシド、３−ナフチルプロピレンオキシド、３−フェノキシプロピレンオキシド、および３−ナフトキシプロピレンオキシドを例示することができる。中でも、好ましくは、プロピレンオキシド、１−ブテンオキシドまたはスチレンオキシドであり、より好ましくは、プロピレンオキシドまたは１−ブテンオキシドである。
【００１６】
本発明の製造方法で用いられる触媒として、下式（３）で表されるコバルト錯体、アルミニウム化合物および亜鉛化合物を例示することができ、中でも、好ましくは下式（３）で表されるコバルト錯体である：
2011057966.tif 000004
式中、Ｅは炭素数１〜２０のヒドロカルビレン基を表し；Ｒ５〜Ｒ９はそれぞれ独立に水素原子、ハロゲン原子、炭素数１〜２０のヒドロカルビル基、炭素数１〜２０のヒドロカルビルシリル基、炭素数１〜２０のヒドロカルビルオキシ基、炭素数２〜２０のジヒドロカルビルアミノ基、アジド基またはシアノ基を表し；Ｘは水酸基、ハロゲン原子、炭素数１〜２０のヒドロカルビルオキシ基、炭素数１〜２０のアシルオキシ基、炭素数２〜２０のジヒドロカルビルアミノ基、アジド基またはシアノ基を表す。
【００１７】
上記のアルミニウム化合物として、トリアルキルアルミニウムの加水分解生成物や、ジアルキルアルミニウムハライドとジアルキルアルミニウムオキシリチウムとから合成されるビス（ジアルキルアルミニウム）オキシドやアルミニウム（ポルフィリン）錯体を例示することができる。
【００１８】
上記のトリアルキルアルミニウムの加水分解生成物は、例えば、アメリカ化学会編「マクロモルキュールズ（Ｍａｃｒｏｍｏｌｅｃｕｌｅｓ）」１９７４年３月、第７巻、第２号、第１５３頁〜第１６０頁に記載の方法によって製造することができる。この加水分解生成物は市販品でもよく、市販品として、東ソー・ファインケム社によって製造されている、トリメチルアルミニウムから製造されたＰＭＡＯ−Ｓ（商品名）およびＴＭＡＯ−２１１（商品名）；トリメチルアルミニウムとトリイソブチルアルミニウムとの混合物から製造されたＭＭＡＯ−３Ａ（商品名）、ＭＭＡＯ−４（商品名）およびＴＭＡＯ−３４１（商品名）；トリイソブチルアルミニウムから製造されたＰＢＡＯ（商品名）、というアルモキサン化合物を例示することができる。また、Ａｌｂｅｍａｒｌｅ  Ｃｏｒｐ．によって製造されている、メチルアルモキサン（methylaluminoxane、ＭＡＯ）の３０％トルエン溶液や１０％トルエン溶液を例示することができる。
【００１９】
上記のビス（ジアルキルアルミニウム）オキシドとして、ビス（ジメチルアルミニウム）オキシド、ビス（ジエチルアルミニウム）オキシド、ビス（ジ−ｎ−プロピルアルミニウム）オキシド、ビス（ジイソプロピルアルミニウム）オキシド、ビス（ジ−ｎ−ブチルアルミニウム）オキシド、ビス（ジイソブチルアルミニウム）オキシド、ビス（ジ−ｓｅｃ−ブチルアルミニウム）オキシド、ビス（ジ−ｔｅｒｔ−ブチルアルミニウム）オキシド、ビス（ジフェニルアルミニウム）オキシド、（ジエチルアルミニウム）（ジメチルアルミニウム）オキシド、（ジメチルアルミニウム）（ジイソプロピルアルミニウム）オキシド、（ジメチルアルミニウム）（ジイソブチルアルミニウム）オキシド、（ジエチルアルミニウム）（ジイソプロピルアルミニウム）オキシド、および（ジエチルアルミニウム）（ジイソブチルアルミニウム）オキシドを例示することができる。これらの化合物は例えば、アメリカ化学会編「ジャーナル  オブ  アメリカン  ケミカル  ソサイエティー（Ｊｏｕｒｎａｌ  ｏｆ  Ａｍｅｒｉｃａｎ  Ｃｈｅｍｉｃａｌ  Ｓｏｃｉｅｔｙ）」、１９６７年１月４日、第８９巻、第１号、第１７３頁〜第１７４頁に記載の方法によって製造することができる。
【００２０】
上記のアルミニウム（ポルフィリン）錯体として、クロロ（５，１０，１５，２０−テトラメチルポルフィリン）アルミニウム、クロロ（５，１０，１５，２０−テトラエチルポルフィリン）アルミニウム、クロロ（５，１０，１５，２０−テトラ−ｔｅｒｔ−ブチルポルフィリン）アルミニウム、クロロ（５，１０，１５，２０−テトラフェニルポルフィリン）アルミニウム、クロロ（２，３，７，８，１２，１３，１７，１８−オクタメチルポルフィリン）アルミニウム、クロロ（２，３，７，８，１２，１３，１７，１８−オクタエチルポルフィリン）アルミニウム、クロロ（２，３，７，８，１２，１３，１７，１８−オクタ−ｎ−プロピルポルフィリン）アルミニウム、およびクロロ（２，３，７，８，１２，１３，１７，１８−オクタイソプロピルポルフィリン）アルミニウム；ならびに、これらの化合物の「クロロ」を「メチル」、「エチル」、「イソプロピル」、「ｎ−ブチル」、「イソブチル」、「ｎ−ヘキシル」、「ｎ−オクチル」や「フェニル」に置き換えた化合物を例示することができる。これらの化合物は例えば、アメリカ化学会編「マクロモルキュールズ（Ｍａｃｒｏｍｏｌｅｃｕｌｅｓ）」１９９４年４月、第２７巻、第８号、第２０１３頁〜第２０１８頁に記載の方法によって製造することができる。
【００２１】
上記の亜鉛化合物として、アルキル亜鉛の加水分解生成物、アルキル亜鉛の加アルコール分解生成物、およびビス（アルキル亜鉛）アミドを例示することができる。
アルキル亜鉛の加水分解生成物や、アルキル亜鉛の加アルコール分解生成物は、例えば、エルゼビア（Ｅｌｓｅｖｉｅｒ）社編「ポリマー（Ｐｏｌｙｍｅｒ）」、１９６２年、第３巻、第４８７頁〜第５０９頁に記載の方法によって製造することができる。
【００２２】
上記のビス（アルキル亜鉛）アミドとして、ビス（メチル亜鉛）メチルアミド、ビス（メチル亜鉛）エチルアミド、ビス（メチル亜鉛）−ｎ−プロピルアミド、ビス（メチル亜鉛）イソプロピルアミド、ビス（メチル亜鉛）−ｎ−ブチルアミド、ビス（メチル亜鉛）−ｔｅｒｔ−ブチルアミド、Ｎ，Ｎ−ビス（メチル亜鉛）アニリン、ビス（エチル亜鉛）メチルアミド、ビス（エチル亜鉛）エチルアミド、ビス（エチル亜鉛）−ｎ−プロピルアミド、ビス（エチル亜鉛）イソプロピルアミド、ビス（エチル亜鉛）−ｎ−ブチルアミド、ビス（エチル亜鉛）−ｔｅｒｔ−ブチルアミド、Ｎ，Ｎ−ビス（エチル亜鉛）アニリン、ビス（フェニル亜鉛）メチルアミド、ビス（フェニル亜鉛）エチルアミド、ビス（フェニル亜鉛）−ｎ−プロピルアミド、ビス（フェニル亜鉛）イソプロピルアミド、ビス（フェニル亜鉛）−ｎ−ブチルアミド、ビス（フェニル亜鉛）−ｔｅｒｔ−ブチルアミド、およびＮ，Ｎ−ビス（フェニル亜鉛）アニリンを例示することができる。これらの化合物は例えば、アメリカ化学会編「ジャーナル  オブ  アメリカン  ケミカル  ソサイエティー（Ｊｏｕｒｎａｌ  ｏｆ  Ａｍｅｒｉｃａｎ  Ｃｈｅｍｉｃａｌ  Ｓｏｃｉｅｔｙ）」、１９６７年１月４日、第８９巻、第１号、第１７３頁〜第１７４頁に記載の方法によって製造することができる。
【００２３】
式（３）におけるＲ５、Ｒ６、Ｒ７、Ｒ８、Ｒ９及びＸのハロゲン原子として、フッ素原子、塩素原子、臭素原子およびヨウ素原子を例示することができる。
式（３）におけるＲ５、Ｒ６、Ｒ７、Ｒ８及びＲ９の炭素数１〜２０のヒドロカルビル基として、炭素数１〜２０のアルキル基、炭素数７〜２０のアラルキル基および炭素数６〜２０のアリール基を例示することができる。このヒドロカルビル基は、置換基を有していてもよく、該置換基として、フッ素原子、塩素原子、臭素原子およびヨウ素原子のようなハロゲン原子；メトキシ基およびエトキシ基のようなアルコキシ基；フェノキシ基のようなアリールオキシ基；ならびに、ベンジルオキシ基のようなアラルキルオキシ基を例示することができる。
【００２４】
上記の炭素数１〜２０のアルキル基として、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、シクロペンチル基、イソアミル基、ｎ−ヘキシル基、シクロヘキシル基、ｎ−オクチル基、ｎ−デシル基、ｎ−ドデシル基、ｎ−ペンタデシル基、ｎ−エイコシル基、およびアダマンチル基を例示することができる。中でも、好ましくは、メチル基、エチル基、イソプロピル基、ｔｅｒｔ−ブチル基、ネオペンチル基、イソアミル基、シクロペンチル基、シクロヘキシル基またはアダマンチル基である。
【００２５】
ハロゲン原子で置換された炭素数１〜２０のアルキル基として、フルオロメチル基、ジフルオロメチル基、トリフルオロメチル基、クロロメチル基、ジクロロメチル基、トリクロロメチル基、ブロモメチル基、ジブロモメチル基、トリブロモメチル基、ヨードメチル基、ジヨードメチル基、トリヨードメチル基、フルオロエチル基、ジフルオロエチル基、トリフルオロエチル基、テトラフルオロエチル基、ペンタフルオロエチル基、クロロエチル基、ジクロロエチル基、トリクロロエチル基、テトラクロロエチル基、ペンタクロロエチル基、ブロモエチル基、ジブロモエチル基、トリブロモエチル基、テトラブロモエチル基、ペンタブロモエチル基、パーフルオロプロピル基、パーフルオロブチル基、パーフルオロペンチル基、パーフルオロヘキシル基、パーフルオロオクチル基、パーフルオロドデシル基、パーフルオロペンタデシル基、パーフルオロエイコシル基、パークロロプロピル基、パークロロブチル基、パークロロペンチル基、パークロロヘキシル基、パークロロクチル基、パークロロドデシル基、パークロロペンタデシル基、パークロロエイコシル基、パーブロモプロピル基、パーブロモブチル基、パーブロモペンチル基、パーブロモヘキシル基、パーブロモオクチル基、パーブロモドデシル基、パーブロモペンタデシル基、およびパーブロモエイコシル基を例示することができる。
【００２６】
上記の炭素原数７〜２０のアラルキル基として、ベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（３，５−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−テトラデシルフェニル）メチル基、ナフチルメチル基、およびアントラセニルメチル基を例示することができる。中でも、好ましくは、ベンジル基である。
【００２７】
上記の炭素数６〜２０のアリール基として、フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、およびアントラセニル基を例示することができる。中でも、好ましくはフェニル基である。
【００２８】
Ｒ５、Ｒ６、Ｒ７、Ｒ８及びＲ９のヒドロカルビルシリル基とは、シリル基の１個、２個または３個の水素原子がヒドロカルビル基で置換されたシリル基のことである。該ヒドロカルビル基として、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、およびシクロヘキシル基のようなアルキル基；ならびに、フェニル基のようなアリール基を例示することができる。該ヒドロカルビル基は置換基を有していてもよく、該置換基として、フッ素原子、塩素原子、臭素原子およびヨウ素原子のようなハロゲン原子；メトキシ基およびエトキシ基のようなアルコキシ基；フェノキシ基のようなアリールオキシ基；ならびにベンジルオキシ基のようなアラルキルオキシ基を例示することができる。
【００２９】
炭素数１〜２０のヒドロカルビルシリル基として、炭素数１〜２０のモノヒドロカルビルシリル基、炭素数２〜２０のジヒドロカルビルシリル基、および炭素数３〜２０のトリヒドロカルビルシリル基を例示することができる。炭素数１〜２０のモノヒドロカルビルシリル基として、メチルシリル基、エチルシリル基およびフェニルシリル基を例示することができる。炭素数２〜２０のジヒドロカルビルシリル基として、ジメチルシリル基、ジエチルシリル基およびジフェニルシリル基を例示することができる。炭素数３〜２０のトリヒドロカルビルシリル基として、トリメチルシリル基、トリエチルシリル基、トリ−ｎ−プロピルシリル基、トリイソプロピルシリル基、トリ−ｎ−ブチルシリル基、トリ−ｓｅｃ−ブチルシリル基、トリ−ｔｅｒｔ−ブチルシリル基、トリ−イソブチルシリル基、ｔｅｒｔ−ブチル−ジメチルシリル基、トリ−ｎ−ペンチルシリル基、トリ−ｎ−ヘキシルシリル基、トリシクロヘキシルシリル基、およびトリフェニルシリル基を例示することができる。中でも、好ましくは、トリメチルシリル基、ｔｅｒｔ−ブチルジメチルシリル基またはトリフェニルシリル基である。
【００３０】
Ｒ５、Ｒ６、Ｒ７、Ｒ８、Ｒ９及びＸの炭素数１〜２０のヒドロカルビルオキシ基として、炭素数１〜２０のアルコキシ基、炭素数７〜２０のアラルキルオキシ基、および炭素数６〜２０のアリールオキシ基を例示することができる。該ヒドロカルビルオキシ基は置換基を有していてもよく、該置換基として、フッ素原子、塩素原子、臭素原子およびヨウ素原子のようなハロゲン原子；メトキシ基およびエトキシ基のようなアルコキシ基；フェノキシ基のようなアリールオキシ基；ならびに、ベンジルオキシ基のようなアラルキルオキシ基を例示することができる。
【００３１】
上記の炭素数１〜２０のアルコキシ基として、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、ネオペントキシ基、ｎ−ヘキソキシ基、ｎ−オクトキシ基、ｎ−ドデソキシ基、ｎ−ペンタデソキシ基、およびｎ−イコソキシ基を例示することができる。中でも、好ましくは、メトキシ基、エトキシ基、イソプロポキシドまたはｔｅｒｔ−ブトキシ基である。
【００３２】
上記の炭素数７〜２０のアラルキルオキシ基として、ベンジルオキシ基、（２−メチルフェニル）メトキシ基、（３−メチルフェニル）メトキシ基、（４−メチルフェニル）メトキシ基、（２，３−ジメチルフェニル）メトキシ基、（２，４−ジメチルフェニル）メトキシ基、（２，５−ジメチルフェニル）メトキシ基、（２，６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、（ｎ−テトラデシルフェニル）メトキシ基、ナフチルメトキシ基、およびアントラセニルメトキシ基を例示することができる。中でも、好ましくは、ベンジルオキシ基である。
【００３３】
上記の炭素数６〜２０のアリールオキシ基として、フェノキシ基、２−メチルフェノキシ基、３−メチルフェノキシ基、４−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、３，４，５−トリメチルフェノキシ基、２，３，４，５−テトラメチルフェノキシ基、２，３，４，６−テトラメチルフェノキシ基、２，３，５，６−テトラメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ｎ−テトラデシルフェノキシ基、ナフトキシ基、およびアントラセノキシ基を例示することができる。
【００３４】
Ｘの炭素数１〜２０のアシルオキシ基として、アセトキシ基、エチルカルボニルオキシ基、ｎ−プロピルカルボニルオキシ基、イソプロピルカルボニルオキシ基、ｎ−ブチルカルボニルオキシ基、ｓｅｃ−ブチルカルボニルオキシ基、イソブチルカルボニルオキシ基、ｔｅｒｔ−ブチルカルボニルオキシ基、トリフルオロアセトキシ基、およびベンゾイルオキシ基を例示することができる。
【００３５】
Ｒ５、Ｒ６、Ｒ７、Ｒ８、Ｒ９及びＸのジヒドロカルビルアミノ基とは、アミノ基の２個の水素原子がヒドロカルビル基で置換されたアミノ基である。該ヒドロカルビル基として、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、およびシクロヘキシル基のようなアルキル基；ならびに、フェニル基のようなアリール基を例示することができる。
【００３６】
炭素数２〜２０のジヒドロカルビルアミノ基として、ジメチルアミノ基、ジエチルアミノ基、ジ−ｎ−プロピルアミノ基、ジイソプロピルアミノ基、ジ−ｎ−ブチルアミノ基、ジ−ｓｅｃ−ブチルアミノ基、ジ−ｔｅｒｔ−ブチルアミノ基、ジ−イソブチルアミノ基、ｔｅｒｔ−ブチルイソプロピルアミノ基、ジ−ｎ−ヘキシルアミノ基、ジ−ｎ−オクチルアミノ基、ジ−ｎ−デシルアミノ基、ジフェニルアミノ基、ビストリメチルシリルアミノ基、およびビス−ｔｅｒｔ−ブチルジメチルシリルアミノ基を例示することができる。中でも、好ましくは、ジメチルアミノ基またはジエチルアミノ基である。
【００３７】
Ｅの炭素数１〜２０のヒドロカルビレン基は、置換基を有していてもよく、該置換基として、フッ素原子、塩素原子、臭素原子およびヨウ素原子のようなハロゲン原子；メトキシ基およびエトキシ基のようなアルコキシ基；フェノキシ基のようなアリールオキシ基；ならびに、ベンジルオキシ基のようなアラルキルオキシ基を例示することができる。
炭素数１〜２０のヒドロカルビレン基として、メチレン基、１，２−エタンジイル基、および１，３−プロパンジイル基のような炭素数１〜２０のアルキレン基；１，２−シクロペンタンジイル基、１，３−シクロペンタンジイル基、１，２−シクロヘキサンジイル基、１，３−シクロヘキサンジイル基、１，４−シクロヘキサンジイル基、および１，２−ノルボルナンジイル基のような炭素数３〜２０のシクロアルキレン基；ならびに、
１，２−ベンゼンジイル基、１，３−ベンゼンジイル基、１，４−ベンゼンジイル基、２，３−ナフタレンジイル基、および１，８−ナフタレンジイル基のような炭素数６〜２０のアリーレン基を例示することができる。中でも、好ましくは、１，２−エタンジイル基、１，２−シクロヘキサンジイル基、１，２−ベンゼンジイル基、２，３−ナフタレンジイル基または１，８−ナフタレンジイル基であり、より好ましくは、１，２−シクロヘキサンジイル基または１，２−ベンゼンジイル基である。
【００３８】
式（３）におけるＲ５は、好ましくは、炭素数３〜２０の分岐状アルキル基であり、より好ましくは、イソプロピル基、ｔ−ブチル基、ネオペンチル基、イソアミル基、シクロペンチル基、シクロヘキシル基またはアダマンチル基である。
【００３９】
式（３）で表されるコバルト錯体として、［Ｎ，Ｎ’−ビス（サリチリデン）メタンジアミン］コバルトアセテート、［Ｎ，Ｎ’−ビス（サリチリデン）−１，２−エタンジアミン］コバルトアセテート、［Ｎ，Ｎ’−ビス（サリチリデン）−１，３−プロパンジアミン］コバルトアセテート、［Ｎ，Ｎ’−ビス（サリチリデン）−１，２−シクロペンタンジアミン］コバルトアセテート、［Ｎ，Ｎ’−ビス（サリチリデン）−１，３−シクロペンタンジアミン］コバルトアセテート、［Ｎ，Ｎ’−ビス（サリチリデン）−１，２−シクロヘキサンジアミン］コバルトアセテート、［Ｎ，Ｎ’−ビス（サリチリデン）−１，３−シクロヘキサンジアミン］コバルトアセテート、［Ｎ，Ｎ’−ビス（サリチリデン）−１，４−シクロヘキサンジアミン］コバルトアセテート、［Ｎ，Ｎ’−ビス（サリチリデン）−１，２−ノルボルナンジアミン］コバルトアセテート、［Ｎ，Ｎ’−ビス（サリチリデン）−１，２−ベンゼンジアミン］コバルトアセテート、［Ｎ，Ｎ’−ビス（サリチリデン）−１，３−ベンゼンジアミン］コバルトアセテート、［Ｎ，Ｎ’−ビス（サリチリデン）−１，４−ベンゼンジアミン］コバルトアセテート、［Ｎ，Ｎ’−ビス（サリチリデン）−４−メトキシ−１，２−ベンゼンジアミン］コバルトアセテート、［Ｎ，Ｎ’−ビス（サリチリデン）−２，３−ナフタレンジアミン］コバルトアセテート、［Ｎ，Ｎ’−ビス（サリチリデン）−１，８−ナフタレンジアミン］コバルトアセテート、
【００４０】
［Ｎ，Ｎ’−ビス（５−メチルサリチリデン）メタンジアミン］コバルトアセテート、［Ｎ，Ｎ’−ビス（５−メチルサリチリデン）−１，２−エタンジアミン］コバルトアセテート、［Ｎ，Ｎ’−ビス（５−メチルサリチリデン）−１，３−プロパンジアミン］コバルトアセテート、［Ｎ，Ｎ’−ビス（５−メチルサリチリデン）−１，２−シクロペンタンジアミン］コバルトアセテート、［Ｎ，Ｎ’−ビス（５−メチルサリチリデン）−１，３−シクロペンタンジアミン］コバルトアセテート、［Ｎ，Ｎ’−ビス（５−メチルサリチリデン）−１，２−シクロヘキサンジアミン］コバルトアセテート、［Ｎ，Ｎ’−ビス（５−メチルサリチリデン）−１，３−シクロヘキサンジアミン］コバルトアセテート、［Ｎ，Ｎ’−ビス（５−メチルサリチリデン）−１，４−シクロヘキサンジアミン］コバルトアセテート、［Ｎ，Ｎ’−ビス（５−メチルサリチリデン）−１，２−ノルボルナンジアミン］コバルトアセテート、［Ｎ，Ｎ’−ビス（５−メチルサリチリデン）−１，２−ベンゼンジアミン］コバルトアセテート、［Ｎ，Ｎ’−ビス（５−メチルサリチリデン）−１，３−ベンゼンジアミン］コバルトアセテート、［Ｎ，Ｎ’−ビス（５−メチルサリチリデン）−１，４−ベンゼンジアミン］コバルトアセテート、［Ｎ，Ｎ’−ビス（５−メチルサリチリデン）−４−メトキシ−１，２−ベンゼンジアミン］コバルトアセテート、［Ｎ，Ｎ’−ビス（５−メチルサリチリデン）−２，３−ナフタレンジアミン］コバルトアセテート、［Ｎ，Ｎ’−ビス（５−メチルサリチリデン）−１，８−ナフタレンジアミン］コバルトアセテート、
【００４１】
［Ｎ，Ｎ’−ビス（５−エチルサリチリデン）メタンジアミン］コバルトアセテート、［Ｎ，Ｎ’−ビス（５−エチルサリチリデン）−１，２−エタンジアミン］コバルトアセテート、［Ｎ，Ｎ’−ビス（５−エチルサリチリデン）−１，３−プロパンジアミン］コバルトアセテート、［Ｎ，Ｎ’−ビス（５−エチルサリチリデン）−１，２−シクロペンタンジアミン］コバルトアセテート、［Ｎ，Ｎ’−ビス（５−エチルサリチリデン）−１，３−シクロペンタンジアミン］コバルトアセテート、［Ｎ，Ｎ’−ビス（５−エチルサリチリデン）−１，２−シクロヘキサンジアミン］コバルトアセテート、［Ｎ，Ｎ’−ビス（５−エチルサリチリデン）−１，３−シクロヘキサンジアミン］コバルトアセテート、［Ｎ，Ｎ’−ビス（５−エチルサリチリデン）−１，４−シクロヘキサンジアミン］コバルトアセテート、［Ｎ，Ｎ’−ビス（５−エチルサリチリデン）−１，２−ノルボルナンジアミン］コバルトアセテート、［Ｎ，Ｎ’−ビス（５−エチルサリチリデン）−１，２−ベンゼンジアミン］コバルトアセテート、［Ｎ，Ｎ’−ビス（５−エチルサリチリデン）−１，３−ベンゼンジアミン］コバルトアセテート、［Ｎ，Ｎ’−ビス（５−エチルサリチリデン）−１，４−ベンゼンジアミン］コバルトアセテート、［Ｎ，Ｎ’−ビス（５−エチルサリチリデン）−４−メトキシ−１，２−ベンゼンジアミン］コバルトアセテート、［Ｎ，Ｎ’−ビス（５−エチルサリチリデン）−２，３−ナフタレンジアミン］コバルトアセテート、［Ｎ，Ｎ’−ビス（５−エチルサリチリデン）−１，８−ナフタレンジアミン］コバルトアセテート、
【００４２】
［Ｎ，Ｎ’−ビス（５−ｎ−プロピルサリチリデン）メタンジアミン］コバルトアセテート、［Ｎ，Ｎ’−ビス（５−ｎ−プロピルサリチリデン）−１，２−エタンジアミン］コバルトアセテート、［Ｎ，Ｎ’−ビス（５−ｎ−プロピルサリチリデン）−１，３−プロパンジアミン］コバルトアセテート、［Ｎ，Ｎ’−ビス（５−ｎ−プロピルサリチリデン）−１，２−シクロペンタンジアミン］コバルトアセテート、［Ｎ，Ｎ’−ビス（５−ｎ−プロピルサリチリデン）−１，３−シクロペンタンジアミン］コバルトアセテート、［Ｎ，Ｎ’−ビス（５−ｎ−プロピルサリチリデン）−１，２−シクロヘキサンジアミン］コバルトアセテート、［Ｎ，Ｎ’−ビス（５−ｎ−プロピルサリチリデン）−１，３−シクロヘキサンジアミン］コバルトアセテート、［Ｎ，Ｎ’−ビス（５−ｎ−プロピルサリチリデン）−１，４−シクロヘキサンジアミン］コバルトアセテート、［Ｎ，Ｎ’−ビス（５−ｎ−プロピルサリチリデン）−１，２−ノルボルナンジアミン］コバルトアセテート、［Ｎ，Ｎ’−ビス（５−ｎ−プロピルサリチリデン）−１，２−ベンゼンジアミン］コバルトアセテート、［Ｎ，Ｎ’−ビス（５−ｎ−プロピルサリチリデン）−１，３−ベンゼンジアミン］コバルトアセテート、［Ｎ，Ｎ’−ビス（５−ｎ−プロピルサリチリデン）−１，４−ベンゼンジアミン］コバルトアセテート、［Ｎ，Ｎ’−ビス（５−ｎ−プロピルサリチリデン）−４−メトキシ−１，２−ベンゼンジアミン］コバルトアセテート、［Ｎ，Ｎ’−ビス（５−ｎ−プロピルサリチリデン）−２，３−ナフタレンジアミン］コバルトアセテート、［Ｎ，Ｎ’−ビス（５−ｎ−プロピルサリチリデン）−１，８−ナフタレンジアミン］コバルトアセテート、
【００４３】
［Ｎ，Ｎ’−ビス（５−イソプロピルサリチリデン）メタンジアミン］コバルトアセテート、［Ｎ，Ｎ’−ビス（５−イソプロピルサリチリデン）−１，２−エタンジアミン］コバルトアセテート、［Ｎ，Ｎ’−ビス（５−イソプロピルサリチリデン）−１，３−プロパンジアミン］コバルトアセテート、［Ｎ，Ｎ’−ビス（５−イソプロピルサリチリデン）−１，２−シクロペンタンジアミン］コバルトアセテート、［Ｎ，Ｎ’−ビス（５−イソプロピルサリチリデン）−１，３−シクロペンタンジアミン］コバルトアセテート、［Ｎ，Ｎ’−ビス（５−イソプロピルサリチリデン）−１，２−シクロヘキサンジアミン］コバルトアセテート、［Ｎ，Ｎ’−ビス（５−イソプロピルサリチリデン）−１，３−シクロヘキサンジアミン］コバルトアセテート、［Ｎ，Ｎ’−ビス（５−イソプロピルサリチリデン）−１，４−シクロヘキサンジアミン］コバルトアセテート、［Ｎ，Ｎ’−ビス（５−イソプロピルサリチリデン）−１，２−ノルボルナンジアミン］コバルトアセテート、［Ｎ，Ｎ’−ビス（５−イソプロピルサリチリデン）−１，２−ベンゼンジアミン］コバルトアセテート、［Ｎ，Ｎ’−ビス（５−イソプロピルサリチリデン）−１，３−ベンゼンジアミン］コバルトアセテート、［Ｎ，Ｎ’−ビス（５−イソプロピルサリチリデン）−１，４−ベンゼンジアミン］コバルトアセテート、［Ｎ，Ｎ’−ビス（５−イソプロピルサリチリデン）−４−メトキシ−１，２−ベンゼンジアミン］コバルトアセテート、［Ｎ，Ｎ’−ビス（５−イソプロピルサリチリデン）−２，３−ナフタレンジアミン］コバルトアセテート、［Ｎ，Ｎ’−ビス（５−イソプロピルサリチリデン）−１，８−ナフタレンジアミン］コバルトアセテート、
【００４４】
［Ｎ，Ｎ’−ビス（５−ｎ−ブチルサリチリデン）メタンジアミン］コバルトアセテート、［Ｎ，Ｎ’−ビス（５−ｎ−ブチルサリチリデン）−１，２−エタンジアミン］コバルトアセテート、［Ｎ，Ｎ’−ビス（５−ｎ−ブチルサリチリデン）−１，３−プロパンジアミン］コバルトアセテート、［Ｎ，Ｎ’−ビス（５−ｎ−ブチルサリチリデン）−１，２−シクロペンタンジアミン］コバルトアセテート、［Ｎ，Ｎ’−ビス（５−ｎ−ブチルサリチリデン）−１，３−シクロペンタンジアミン］コバルトアセテート、［Ｎ，Ｎ’−ビス（５−ｎ−ブチルサリチリデン）−１，２−シクロヘキサンジアミン］コバルトアセテート、［Ｎ，Ｎ’−ビス（５−ｎ−ブチルサリチリデン）−１，３−シクロヘキサンジアミン］コバルトアセテート、［Ｎ，Ｎ’−ビス（５−ｎ−ブチルサリチリデン）−１，４−シクロヘキサンジアミン］コバルトアセテート、［Ｎ，Ｎ’−ビス（５−ｎ−ブチルサリチリデン）−１，２−ノルボルナンジアミン］コバルトアセテート、［Ｎ，Ｎ’−ビス（５−ｎ−ブチルサリチリデン）−１，２−ベンゼンジアミン］コバルトアセテート、［Ｎ，Ｎ’−ビス（５−ｎ−ブチルサリチリデン）−１，３−ベンゼンジアミン］コバルトアセテート、［Ｎ，Ｎ’−ビス（５−ｎ−ブチルサリチリデン）−１，４−ベンゼンジアミン］コバルトアセテート、［Ｎ，Ｎ’−ビス（５−ｎ−ブチルサリチリデン）−４−メトキシ−１，２−ベンゼンジアミン］コバルトアセテート、［Ｎ，Ｎ’−ビス（５−ｎ−ブチルサリチリデン）−２，３−ナフタレンジアミン］コバルトアセテート、［Ｎ，Ｎ’−ビス（５−ｎ−ブチルサリチリデン）−１，８−ナフタレンジアミン］コバルトアセテート、
【００４５】
［Ｎ，Ｎ’−ビス（５−イソブチルサリチリデン）メタンジアミン］コバルトアセテート、［Ｎ，Ｎ’−ビス（５−イソブチルサリチリデン）−１，２−エタンジアミン］コバルトアセテート、［Ｎ，Ｎ’−ビス（５−イソブチルサリチリデン）−１，３−プロパンジアミン］コバルトアセテート、［Ｎ，Ｎ’−ビス（５−イソブチルサリチリデン）−１，２−シクロペンタンジアミン］コバルトアセテート、［Ｎ，Ｎ’−ビス（５−イソブチルサリチリデン）−１，３−シクロペンタンジアミン］コバルトアセテート、［Ｎ，Ｎ’−ビス（５−イソブチルサリチリデン）−１，２−シクロヘキサンジアミン］コバルトアセテート、［Ｎ，Ｎ’−ビス（５−イソブチルサリチリデン）−１，３−シクロヘキサンジアミン］コバルトアセテート、［Ｎ，Ｎ’−ビス（５−イソブチルサリチリデン）−１，４−シクロヘキサンジアミン］コバルトアセテート、［Ｎ，Ｎ’−ビス（５−イソブチルサリチリデン）−１，２−ノルボルナンジアミン］コバルトアセテート、［Ｎ，Ｎ’−ビス（５−イソブチルサリチリデン）−１，２−ベンゼンジアミン］コバルトアセテート、［Ｎ，Ｎ’−ビス（５−イソブチルサリチリデン）−１，３−ベンゼンジアミン］コバルトアセテート、［Ｎ，Ｎ’−ビス（５−イソブチルサリチリデン）−１，４−ベンゼンジアミン］コバルトアセテート、［Ｎ，Ｎ’−ビス（５−イソブチルサリチリデン）−４−メトキシ−１，２−ベンゼンジアミン］コバルトアセテート、［Ｎ，Ｎ’−ビス（５−イソブチルサリチリデン）−２，３−ナフタレンジアミン］コバルトアセテート、［Ｎ，Ｎ’−ビス（５−イソブチルサリチリデン）−１，８−ナフタレンジアミン］コバルトアセテート、
【００４６】
［Ｎ，Ｎ’−ビス（５−ｓｅｃ−ブチルサリチリデン）メタンジアミン］コバルトアセテート、［Ｎ，Ｎ’−ビス（５−ｓｅｃ−ブチルサリチリデン）−１，２−エタンジアミン］コバルトアセテート、［Ｎ，Ｎ’−ビス（５−ｓｅｃ−ブチルサリチリデン）−１，３−プロパンジアミン］コバルトアセテート、［Ｎ，Ｎ’−ビス（５−ｓｅｃ−ブチルサリチリデン）−１，２−シクロペンタンジアミン］コバルトアセテート、［Ｎ，Ｎ’−ビス（５−ｓｅｃ−ブチルサリチリデン）−１，３−シクロペンタンジアミン］コバルトアセテート、［Ｎ，Ｎ’−ビス（５−ｓｅｃ−ブチルサリチリデン）−１，２−シクロヘキサンジアミン］コバルトアセテート、［Ｎ，Ｎ’−ビス（５−ｓｅｃ−ブチルサリチリデン）−１，３−シクロヘキサンジアミン］コバルトアセテート、［Ｎ，Ｎ’−ビス（５−ｓｅｃ−ブチルサリチリデン）−１，４−シクロヘキサンジアミン］コバルトアセテート、［Ｎ，Ｎ’−ビス（５−ｓｅｃ−ブチルサリチリデン）−１，２−ノルボルナンジアミン］コバルトアセテート、［Ｎ，Ｎ’−ビス（５−ｓｅｃ−ブチルサリチリデン）−１，２−ベンゼンジアミン］コバルトアセテート、［Ｎ，Ｎ’−ビス（５−ｓｅｃ−ブチルサリチリデン）−１，３−ベンゼンジアミン］コバルトアセテート、［Ｎ，Ｎ’−ビス（５−ｓｅｃ−ブチルサリチリデン）−１，４−ベンゼンジアミン］コバルトアセテート、［Ｎ，Ｎ’−ビス（５−ｓｅｃ−ブチルサリチリデン）−４−メトキシ−１，２−ベンゼンジアミン］コバルトアセテート、［Ｎ，Ｎ’−ビス（５−ｓｅｃ−ブチルサリチリデン）−２，３−ナフタレンジアミン］コバルトアセテート、［Ｎ，Ｎ’−ビス（５−ｓｅｃ−ブチルサリチリデン）−１，８−ナフタレンジアミン］コバルトアセテート、
【００４７】
［Ｎ，Ｎ’−ビス（５−ｔｅｒｔ−ブチルサリチリデン）メタンジアミン］コバルトアセテート、［Ｎ，Ｎ’−ビス（５−ｔｅｒｔ−ブチルサリチリデン）−１，２−エタンジアミン］コバルトアセテート、［Ｎ，Ｎ’−ビス（５−ｔｅｒｔ−ブチルサリチリデン）−１，３−プロパンジアミン］コバルトアセテート、［Ｎ，Ｎ’−ビス（５−ｔｅｒｔ−ブチルサリチリデン）−１，２−シクロペンタンジアミン］コバルトアセテート、［Ｎ，Ｎ’−ビス（５−ｔｅｒｔ−ブチルサリチリデン）−１，３−シクロペンタンジアミン］コバルトアセテート、［Ｎ，Ｎ’−ビス（５−ｔｅｒｔ−ブチルサリチリデン）−１，２−シクロヘキサンジアミン］コバルトアセテート、［Ｎ，Ｎ’−ビス（５−ｔｅｒｔ−ブチルサリチリデン）−１，３−シクロヘキサンジアミン］コバルトアセテート、［Ｎ，Ｎ’−ビス（５−ｔｅｒｔ−ブチルサリチリデン）−１，４−シクロヘキサンジアミン］コバルトアセテート、［Ｎ，Ｎ’−ビス（５−ｔｅｒｔ−ブチルサリチリデン）−１，２−ノルボルナンジアミン］コバルトアセテート、［Ｎ，Ｎ’−ビス（５−ｔｅｒｔ−ブチルサリチリデン）−１，２−ベンゼンジアミン］コバルトアセテート、［Ｎ，Ｎ’−ビス（５−ｔｅｒｔ−ブチルサリチリデン）−１，３−ベンゼンジアミン］コバルトアセテート、［Ｎ，Ｎ’−ビス（５−ｔｅｒｔ−ブチルサリチリデン）−１，４−ベンゼンジアミン］コバルトアセテート、［Ｎ，Ｎ’−ビス（５−ｔｅｒｔ−ブチルサリチリデン）−４−メトキシ−１，２−ベンゼンジアミン］コバルトアセテート、［Ｎ，Ｎ’−ビス（５−ｔｅｒｔ−ブチルサリチリデン）−２，３−ナフタレンジアミン］コバルトアセテート、［Ｎ，Ｎ’−ビス（５−ｔｅｒｔ−ブチルサリチリデン）−１，８−ナフタレンジアミン］コバルトアセテート、
【００４８】
［Ｎ，Ｎ’−ビス（５−ネオペンチルサリチリデン）メタンジアミン］コバルトアセテート、［Ｎ，Ｎ’−ビス（５−ネオペンチルサリチリデン）−１，２−エタンジアミン］コバルトアセテート、［Ｎ，Ｎ’−ビス（５−ネオペンチルサリチリデン）−１，３−プロパンジアミン］コバルトアセテート、［Ｎ，Ｎ’−ビス（５−ネオペンチルサリチリデン）−１，２−シクロペンタンジアミン］コバルトアセテート、［Ｎ，Ｎ’−ビス（５−ネオペンチルサリチリデン）−１，３−シクロペンタンジアミン］コバルトアセテート、［Ｎ，Ｎ’−ビス（５−ネオペンチルサリチリデン）−１，２−シクロヘキサンジアミン］コバルトアセテート、［Ｎ，Ｎ’−ビス（５−ネオペンチルサリチリデン）−１，３−シクロヘキサンジアミン］コバルトアセテート、［Ｎ，Ｎ’−ビス（５−ネオペンチルサリチリデン）−１，４−シクロヘキサンジアミン］コバルトアセテート、［Ｎ，Ｎ’−ビス（５−ネオペンチルサリチリデン）−１，２−ノルボルナンジアミン］コバルトアセテート、［Ｎ，Ｎ’−ビス（５−ネオペンチルサリチリデン）−１，２−ベンゼンジアミン］コバルトアセテート、［Ｎ，Ｎ’−ビス（５−ネオペンチルサリチリデン）−１，３−ベンゼンジアミン］コバルトアセテート、［Ｎ，Ｎ’−ビス（５−ネオペンチルサリチリデン）−１，４−ベンゼンジアミン］コバルトアセテート、［Ｎ，Ｎ’−ビス（５−ネオペンチルサリチリデン）−４−メトキシ−１，２−ベンゼンジアミン］コバルトアセテート、［Ｎ，Ｎ’−ビス（５−ネオペンチルサリチリデン）−２，３−ナフタレンジアミン］コバルトアセテート、［Ｎ，Ｎ’−ビス（５−ネオペンチルサリチリデン）−１，８−ナフタレンジアミン］コバルトアセテート、
【００４９】
［Ｎ，Ｎ’−ビス（５−イソアミルサリチリデン）メタンジアミン］コバルトアセテート、［Ｎ，Ｎ’−ビス（５−イソアミルサリチリデン）−１，２−エタンジアミン］コバルトアセテート、［Ｎ，Ｎ’−ビス（５−イソアミルサリチリデン）−１，３−プロパンジアミン］コバルトアセテート、［Ｎ，Ｎ’−ビス（５−イソアミルサリチリデン）−１，２−シクロペンタンジアミン］コバルトアセテート、［Ｎ，Ｎ’−ビス（５−イソアミルサリチリデン）−１，３−シクロペンタンジアミン］コバルトアセテート、［Ｎ，Ｎ’−ビス（５−イソアミルサリチリデン）−１，２−シクロヘキサンジアミン］コバルトアセテート、［Ｎ，Ｎ’−ビス（５−イソアミルサリチリデン）−１，３−シクロヘキサンジアミン］コバルトアセテート、［Ｎ，Ｎ’−ビス（５−イソアミルサリチリデン）−１，４−シクロヘキサンジアミン］コバルトアセテート、［Ｎ，Ｎ’−ビス（５−イソアミルサリチリデン）−１，２−ノルボルナンジアミン］コバルトアセテート、［Ｎ，Ｎ’−ビス（５−イソアミルサリチリデン）−１，２−ベンゼンジアミン］コバルトアセテート、［Ｎ，Ｎ’−ビス（５−イソアミルサリチリデン）−１，３−ベンゼンジアミン］コバルトアセテート、［Ｎ，Ｎ’−ビス（５−イソアミルサリチリデン）−１，４−ベンゼンジアミン］コバルトアセテート、［Ｎ，Ｎ’−ビス（５−イソアミルサリチリデン）−４−メトキシ−１，２−ベンゼンジアミン］コバルトアセテート、［Ｎ，Ｎ’−ビス（５−イソアミルサリチリデン）−２，３−ナフタレンジアミン］コバルトアセテート、［Ｎ，Ｎ’−ビス（５−イソアミルサリチリデン）−１，８−ナフタレンジアミン］コバルトアセテート、
【００５０】
［Ｎ，Ｎ’−ビス（５−フェニルサリチリデン）メタンジアミン］コバルトアセテート、［Ｎ，Ｎ’−ビス（５−フェニルサリチリデン）−１，２−エタンジアミン］コバルトアセテート、［Ｎ，Ｎ’−ビス（５−フェニルサリチリデン）−１，３−プロパンジアミン］コバルトアセテート、［Ｎ，Ｎ’−ビス（５−フェニルサリチリデン）−１，２−シクロペンタンジアミン］コバルトアセテート、［Ｎ，Ｎ’−ビス（５−フェニルサリチリデン）−１，３−シクロペンタンジアミン］コバルトアセテート、［Ｎ，Ｎ’−ビス（５−フェニルサリチリデン）−１，２−シクロヘキサンジアミン］コバルトアセテート、［Ｎ，Ｎ’−ビス（５−フェニルサリチリデン）−１，３−シクロヘキサンジアミン］コバルトアセテート、［Ｎ，Ｎ’−ビス（５−フェニルサリチリデン）−１，４−シクロヘキサンジアミン］コバルトアセテート、［Ｎ，Ｎ’−ビス（５−フェニルサリチリデン）−１，２−ノルボルナンジアミン］コバルトアセテート、［Ｎ，Ｎ’−ビス（５−フェニルサリチリデン）−１，２−ベンゼンジアミン］コバルトアセテート、［Ｎ，Ｎ’−ビス（５−フェニルサリチリデン）−１，３−ベンゼンジアミン］コバルトアセテート、［Ｎ，Ｎ’−ビス（５−フェニルサリチリデン）−１，４−ベンゼンジアミン］コバルトアセテート、［Ｎ，Ｎ’−ビス（５−フェニルサリチリデン）−４−メトキシ−１，２−ベンゼンジアミン］コバルトアセテート、［Ｎ，Ｎ’−ビス（５−フェニルサリチリデン）−２，３−ナフタレンジアミン］コバルトアセテート、［Ｎ，Ｎ’−ビス（５−フェニルサリチリデン）−１，８−ナフタレンジアミン］コバルトアセテート、
【００５１】
［Ｎ，Ｎ’−ビス（５−トリフルオロメチルサリチリデン）メタンジアミン］コバルトアセテート、［Ｎ，Ｎ’−ビス（５−トリフルオロメチルサリチリデン）−１，２−エタンジアミン］コバルトアセテート、［Ｎ，Ｎ’−ビス（５−トリフルオロメチルサリチリデン）−１，３−プロパンジアミン］コバルトアセテート、［Ｎ，Ｎ’−ビス（５−トリフルオロメチルサリチリデン）−１，２−シクロペンタンジアミン］コバルトアセテート、［Ｎ，Ｎ’−ビス（５−トリフルオロメチルサリチリデン）−１，３−シクロペンタンジアミン］コバルトアセテート、［Ｎ，Ｎ’−ビス（５−トリフルオロメチルサリチリデン）−１，２−シクロヘキサンジアミン］コバルトアセテート、［Ｎ，Ｎ’−ビス（５−トリフルオロメチルサリチリデン）−１，３−シクロヘキサンジアミン］コバルトアセテート、［Ｎ，Ｎ’−ビス（５−トリフルオロメチルサリチリデン）−１，４−シクロヘキサンジアミン］コバルトアセテート、［Ｎ，Ｎ’−ビス（５−トリフルオロメチルサリチリデン）−１，２−ノルボルナンジアミン］コバルトアセテート、［Ｎ，Ｎ’−ビス（５−トリフルオロメチルサリチリデン）−１，２−ベンゼンジアミン］コバルトアセテート、［Ｎ，Ｎ’−ビス（５−トリフルオロメチルサリチリデン）−１，３−ベンゼンジアミン］コバルトアセテート、［Ｎ，Ｎ’−ビス（５−トリフルオロメチルサリチリデン）−１，４−ベンゼンジアミン］コバルトアセテート、［Ｎ，Ｎ’−ビス（５−トリフルオロメチルサリチリデン）−４−メトキシ−１，２−ベンゼンジアミン］コバルトアセテート、［Ｎ，Ｎ’−ビス（５−トリフルオロメチルサリチリデン）−２，３−ナフタレンジアミン］コバルトアセテート、［Ｎ，Ｎ’−ビス（５−トリフルオロメチルサリチリデン）−１，８−ナフタレンジアミン］コバルトアセテート、
【００５２】
［Ｎ，Ｎ’−ビス（５−トリメチルシリルサリチリデン）メタンジアミン］コバルトアセテート、［Ｎ，Ｎ’−ビス（５−トリメチルシリルサリチリデン）−１，２−エタンジアミン］コバルトアセテート、［Ｎ，Ｎ’−ビス（５−トリメチルシリルサリチリデン）−１，３−プロパンジアミン］コバルトアセテート、［Ｎ，Ｎ’−ビス（５−トリメチルシリルサリチリデン）−１，２−シクロペンタンジアミン］コバルトアセテート、［Ｎ，Ｎ’−ビス（５−トリメチルシリルサリチリデン）−１，３−シクロペンタンジアミン］コバルトアセテート、［Ｎ，Ｎ’−ビス（５−トリメチルシリルサリチリデン）−１，２−シクロヘキサンジアミン］コバルトアセテート、［Ｎ，Ｎ’−ビス（５−トリメチルシリルサリチリデン）−１，３−シクロヘキサンジアミン］コバルトアセテート、［Ｎ，Ｎ’−ビス（５−トリメチルシリルサリチリデン）−１，４−シクロヘキサンジアミン］コバルトアセテート、［Ｎ，Ｎ’−ビス（５−トリメチルシリルサリチリデン）−１，２−ノルボルナンジアミン］コバルトアセテート、［Ｎ，Ｎ’−ビス（５−トリメチルシリルサリチリデン）−１，２−ベンゼンジアミン］コバルトアセテート、［Ｎ，Ｎ’−ビス（５−トリメチルシリルサリチリデン）−１，３−ベンゼンジアミン］コバルトアセテート、［Ｎ，Ｎ’−ビス（５−トリメチルシリルサリチリデン）−１，４−ベンゼンジアミン］コバルトアセテート、［Ｎ，Ｎ’−ビス（５−トリメチルシリルサリチリデン）−４−メトキシ−１，２−ベンゼンジアミン］コバルトアセテート、［Ｎ，Ｎ’−ビス（５−トリメチルシリルサリチリデン）−２，３−ナフタレンジアミン］コバルトアセテート、［Ｎ，Ｎ’−ビス（５−トリメチルシリルサリチリデン）−１，８−ナフタレンジアミン］コバルトアセテート、ならびに、これら化合物の「アセテート」を「プロピオネート」、「ｎ−ブチレート」、「イソブチレート」、「ｎ−ペンチレート」、「イソペンチレート」、「ｓｅｃ−ペンチレート」、「ｔｅｒｔ−ペンチレート」、「トリフルオロアセテート」、「ベンゾエート」、「フルオライド」、「クロライド」、「ブロマイド」、「アイオダイド」、「メトキシド」、「エトキシド」、「イソプロポキシド」、「ｔｅｒｔ−ブトキシド」、「フェノキシド」、「ペンタフルオロフェノキシド」、「ベンジルオキシド」、「ジメチルアミド」、「ジエチルアミド」、「ヒドロキシド」または「シアニド」に置き換えた化合物を例示することができる。
【００５３】
式（３）で表されるコバルト錯体として、また［Ｎ，Ｎ’−ビス（５−エチル−３−メチルサリチリデン）メタンジアミン］コバルトアセテート、［Ｎ，Ｎ’−ビス（５−エチル−３−メチルサリチリデン）−１，２−エタンジアミン］コバルトアセテート、［Ｎ，Ｎ’−ビス（５−エチル−３−メチルサリチリデン）−１，３−プロパンジアミン］コバルトアセテート、［Ｎ，Ｎ’−ビス（５−エチル−３−メチルサリチリデン）−１，２−シクロペンタンジアミン］コバルトアセテート、［Ｎ，Ｎ’−ビス（５−エチル−３−メチルサリチリデン）−１，３−シクロペンタンジアミン］コバルトアセテート、［Ｎ，Ｎ’−ビス（５−エチル−３−メチルサリチリデン）−１，２−シクロヘキサンジアミン］コバルトアセテート、［Ｎ，Ｎ’−ビス（５−エチル−３−メチルサリチリデン）−１，３−シクロヘキサンジアミン］コバルトアセテート、［Ｎ，Ｎ’−ビス（５−エチル−３−メチルサリチリデン）−１，４−シクロヘキサンジアミン］コバルトアセテート、［Ｎ，Ｎ’−ビス（５−エチル−３−メチルサリチリデン）−１，２−ノルボルナンジアミン］コバルトアセテート、［Ｎ，Ｎ’−ビス（５−エチル−３−メチルサリチリデン）−１，２−ベンゼンジアミン］コバルトアセテート、［Ｎ，Ｎ’−ビス（５−エチル−３−メチルサリチリデン）−１，３−ベンゼンジアミン］コバルトアセテート、［Ｎ，Ｎ’−ビス（５−エチル−３−メチルサリチリデン）−１，４−ベンゼンジアミン］コバルトアセテート、［Ｎ，Ｎ’−ビス（５−エチル−３−メチルサリチリデン）−４−メトキシ−１，２−ベンゼンジアミン］コバルトアセテート、［Ｎ，Ｎ’−ビス（５−エチル−３−メチルサリチリデン）−２，３−ナフタレンジアミン］コバルトアセテート、［Ｎ，Ｎ’−ビス（５−エチル−３−メチルサリチリデン）−１，８−ナフタレンジアミン］コバルトアセテート、
【００５４】
［Ｎ，Ｎ’−ビス（３−メチル−５−ｎ−プロピルサリチリデン）メタンジアミン］コバルトアセテート、［Ｎ，Ｎ’−ビス（３−メチル−５−ｎ−プロピルサリチリデン）−１，２−エタンジアミン］コバルトアセテート、［Ｎ，Ｎ’−ビス（３−メチル−５−ｎ−プロピルサリチリデン）−１，３−プロパンジアミン］コバルトアセテート、［Ｎ，Ｎ’−ビス（３−メチル−５−ｎ−プロピルサリチリデン）−１，２−シクロペンタンジアミン］コバルトアセテート、［Ｎ，Ｎ’−ビス（３−メチル−５−ｎ−プロピルサリチリデン）−１，３−シクロペンタンジアミン］コバルトアセテート、［Ｎ，Ｎ’−ビス（３−メチル−５−ｎ−プロピルサリチリデン）−１，２−シクロヘキサンジアミン］コバルトアセテート、［Ｎ，Ｎ’−ビス（３−メチル−５−ｎ−プロピルサリチリデン）−１，３−シクロヘキサンジアミン］コバルトアセテート、［Ｎ，Ｎ’−ビス（３−メチル−５−ｎ−プロピルサリチリデン）−１，４−シクロヘキサンジアミン］コバルトアセテート、［Ｎ，Ｎ’−ビス（３−メチル−５−ｎ−プロピルサリチリデン）−１，２−ノルボルナンジアミン］コバルトアセテート、［Ｎ，Ｎ’−ビス（３−メチル−５−ｎ−プロピルサリチリデン）−１，２−ベンゼンジアミン］コバルトアセテート、［Ｎ，Ｎ’−ビス（３−メチル−５−ｎ−プロピルサリチリデン）−１，３−ベンゼンジアミン］コバルトアセテート、［Ｎ，Ｎ’−ビス（３−メチル−５−ｎ−プロピルサリチリデン）−１，４−ベンゼンジアミン］コバルトアセテート、［Ｎ，Ｎ’−ビス（３−メチル−５−ｎ−プロピルサリチリデン）−４−メトキシ−１，２−ベンゼンジアミン］コバルトアセテート、［Ｎ，Ｎ’−ビス（３−メチル−５−ｎ−プロピルサリチリデン）−２，３−ナフタレンジアミン］コバルトアセテート、［Ｎ，Ｎ’−ビス（３−メチル−５−ｎ−プロピルサリチリデン）−１，８−ナフタレンジアミン］コバルトアセテート、
【００５５】
［Ｎ，Ｎ’−ビス（３−メチル−５−イソプロピルサリチリデン）メタンジアミン］コバルトアセテート、［Ｎ，Ｎ’−ビス（３−メチル−５−イソプロピルサリチリデン）−１，２−エタンジアミン］コバルトアセテート、［Ｎ，Ｎ’−ビス（３−メチル−５−イソプロピルサリチリデン）−１，３−プロパンジアミン］コバルトアセテート、［Ｎ，Ｎ’−ビス（３−メチル−５−イソプロピルサリチリデン）−１，２−シクロペンタンジアミン］コバルトアセテート、［Ｎ，Ｎ’−ビス（３−メチル−５−イソプロピルサリチリデン）−１，３−シクロペンタンジアミン］コバルトアセテート、［Ｎ，Ｎ’−ビス（３−メチル−５−イソプロピルサリチリデン）−１，２−シクロヘキサンジアミン］コバルトアセテート、［Ｎ，Ｎ’−ビス（３−メチル−５−イソプロピルサリチリデン）−１，３−シクロヘキサンジアミン］コバルトアセテート、［Ｎ，Ｎ’−ビス（３−メチル−５−イソプロピルサリチリデン）−１，４−シクロヘキサンジアミン］コバルトアセテート、［Ｎ，Ｎ’−ビス（３−メチル−５−イソプロピルサリチリデン）−１，２−ノルボルナンジアミン］コバルトアセテート、［Ｎ，Ｎ’−ビス（３−メチル−５−イソプロピルサリチリデン）−１，２−ベンゼンジアミン］コバルトアセテート、［Ｎ，Ｎ’−ビス（３−メチル−５−イソプロピルサリチリデン）−１，３−ベンゼンジアミン］コバルトアセテート、［Ｎ，Ｎ’−ビス（３−メチル−５−イソプロピルサリチリデン）−１，４−ベンゼンジアミン］コバルトアセテート、［Ｎ，Ｎ’−ビス（３−メチル−５−イソプロピルサリチリデン）−４−メトキシ−１，２−ベンゼンジアミン］コバルトアセテート、［Ｎ，Ｎ’−ビス（３−メチル−５−イソプロピルサリチリデン）−２，３−ナフタレンジアミン］コバルトアセテート、［Ｎ，Ｎ’−ビス（３−メチル−５−イソプロピルサリチリデン）−１，８−ナフタレンジアミン］コバルトアセテート、
【００５６】
［Ｎ，Ｎ’−ビス（５−ｎ−ブチル−３−メチルサリチリデン）メタンジアミン］コバルトアセテート、［Ｎ，Ｎ’−ビス（５−ｎ−ブチル−３−メチルサリチリデン）−１，２−エタンジアミン］コバルトアセテート、［Ｎ，Ｎ’−ビス（５−ｎ−ブチル−３−メチルサリチリデン）−１，３−プロパンジアミン］コバルトアセテート、［Ｎ，Ｎ’−ビス（５−ｎ−ブチル−３−メチルサリチリデン）−１，２−シクロペンタンジアミン］コバルトアセテート、［Ｎ，Ｎ’−ビス（５−ｎ−ブチル−３−メチルサリチリデン）−１，３−シクロペンタンジアミン］コバルトアセテート、［Ｎ，Ｎ’−ビス（５−ｎ−ブチル−３−メチルサリチリデン）−１，２−シクロヘキサンジアミン］コバルトアセテート、［Ｎ，Ｎ’−ビス（５−ｎ−ブチル−３−メチルサリチリデン）−１，３−シクロヘキサンジアミン］コバルトアセテート、［Ｎ，Ｎ’−ビス（５−ｎ−ブチル−３−メチルサリチリデン）−１，４−シクロヘキサンジアミン］コバルトアセテート、［Ｎ，Ｎ’−ビス（５−ｎ−ブチル−３−メチルサリチリデン）−１，２−ノルボルナンジアミン］コバルトアセテート、［Ｎ，Ｎ’−ビス（５−ｎ−ブチル−３−メチルサリチリデン）−１，２−ベンゼンジアミン］コバルトアセテート、［Ｎ，Ｎ’−ビス（５−ｎ−ブチル−３−メチルサリチリデン）−１，３−ベンゼンジアミン］コバルトアセテート、［Ｎ，Ｎ’−ビス（５−ｎ−ブチル−３−メチルサリチリデン）−１，４−ベンゼンジアミン］コバルトアセテート、［Ｎ，Ｎ’−ビス（５−ｎ−ブチル−３−メチルサリチリデン）−４−メトキシ−１，２−ベンゼンジアミン］コバルトアセテート、［Ｎ，Ｎ’−ビス（５−ｎ−ブチル−３−メチルサリチリデン）−２，３−ナフタレンジアミン］コバルトアセテート、［Ｎ，Ｎ’−ビス（５−ｎ−ブチル−３−メチルサリチリデン）−１，８−ナフタレンジアミン］コバルトアセテート、
【００５７】
［Ｎ，Ｎ’−ビス（５−イソブチル−３−メチルサリチリデン）メタンジアミン］コバルトアセテート、［Ｎ，Ｎ’−ビス（５−イソブチル−３−メチルサリチリデン）−１，２−エタンジアミン］コバルトアセテート、［Ｎ，Ｎ’−ビス（５−イソブチル−３−メチルサリチリデン）−１，３−プロパンジアミン］コバルトアセテート、［Ｎ，Ｎ’−ビス（５−イソブチル−３−メチルサリチリデン）−１，２−シクロペンタンジアミン］コバルトアセテート、［Ｎ，Ｎ’−ビス（５−イソブチル−３−メチルサリチリデン）−１，３−シクロペンタンジアミン］コバルトアセテート、［Ｎ，Ｎ’−ビス（５−イソブチル−３−メチルサリチリデン）−１，２−シクロヘキサンジアミン］コバルトアセテート、［Ｎ，Ｎ’−ビス（５−イソブチル−３−メチルサリチリデン）−１，３−シクロヘキサンジアミン］コバルトアセテート、［Ｎ，Ｎ’−ビス（５−イソブチル−３−メチルサリチリデン）−１，４−シクロヘキサンジアミン］コバルトアセテート、［Ｎ，Ｎ’−ビス（５−イソブチル−３−メチルサリチリデン）−１，２−ノルボルナンジアミン］コバルトアセテート、［Ｎ，Ｎ’−ビス（５−イソブチル−３−メチルサリチリデン）−１，２−ベンゼンジアミン］コバルトアセテート、［Ｎ，Ｎ’−ビス（５−イソブチル−３−メチルサリチリデン）−１，３−ベンゼンジアミン］コバルトアセテート、［Ｎ，Ｎ’−ビス（５−イソブチル−３−メチルサリチリデン）−１，４−ベンゼンジアミン］コバルトアセテート、［Ｎ，Ｎ’−ビス（５−イソブチル−３−メチルサリチリデン）−４−メトキシ−１，２−ベンゼンジアミン］コバルトアセテート、［Ｎ，Ｎ’−ビス（５−イソブチル−３−メチルサリチリデン）−２，３−ナフタレンジアミン］コバルトアセテート、［Ｎ，Ｎ’−ビス（５−イソブチル−３−メチルサリチリデン）−１，８−ナフタレンジアミン］コバルトアセテート、
【００５８】
［Ｎ，Ｎ’−ビス（５−ｓｅｃ−ブチル−３−メチルサリチリデン）メタンジアミン］コバルトアセテート、［Ｎ，Ｎ’−ビス（５−ｓｅｃ−ブチル−３−メチルサリチリデン）−１，２−エタンジアミン］コバルトアセテート、［Ｎ，Ｎ’−ビス（５−ｓｅｃ−ブチル−３−メチルサリチリデン）−１，３−プロパンジアミン］コバルトアセテート、［Ｎ，Ｎ’−ビス（５−ｓｅｃ−ブチル−３−メチルサリチリデン）−１，２−シクロペンタンジアミン］コバルトアセテート、［Ｎ，Ｎ’−ビス（５−ｓｅｃ−ブチル−３−メチルサリチリデン）−１，３−シクロペンタンジアミン］コバルトアセテート、［Ｎ，Ｎ’−ビス（５−ｓｅｃ−ブチル−３−メチルサリチリデン）−１，２−シクロヘキサンジアミン］コバルトアセテート、［Ｎ，Ｎ’−ビス（５−ｓｅｃ−ブチル−３−メチルサリチリデン）−１，３−シクロヘキサンジアミン］コバルトアセテート、［Ｎ，Ｎ’−ビス（５−ｓｅｃ−ブチル−３−メチルサリチリデン）−１，４−シクロヘキサンジアミン］コバルトアセテート、［Ｎ，Ｎ’−ビス（５−ｓｅｃ−ブチル−３−メチルサリチリデン）−１，２−ノルボルナンジアミン］コバルトアセテート、［Ｎ，Ｎ’−ビス（５−ｓｅｃ−ブチル−３−メチルサリチリデン）−１，２−ベンゼンジアミン］コバルトアセテート、［Ｎ，Ｎ’−ビス（５−ｓｅｃ−ブチル−３−メチルサリチリデン）−１，３−ベンゼンジアミン］コバルトアセテート、［Ｎ，Ｎ’−ビス（５−ｓｅｃ−ブチル−３−メチルサリチリデン）−１，４−ベンゼンジアミン］コバルトアセテート、［Ｎ，Ｎ’−ビス（５−ｓｅｃ−ブチル−３−メチルサリチリデン）−４−メトキシ−１，２−ベンゼンジアミン］コバルトアセテート、［Ｎ，Ｎ’−ビス（５−ｓｅｃ−ブチル−３−メチルサリチリデン）−２，３−ナフタレンジアミン］コバルトアセテート、［Ｎ，Ｎ’−ビス（５−ｓｅｃ−ブチル−３−メチルサリチリデン）−１，８−ナフタレンジアミン］コバルトアセテート、
【００５９】
［Ｎ，Ｎ’−ビス（５−ｔｅｒｔ−ブチル−３−メチルサリチリデン）メタンジアミン］コバルトアセテート、［Ｎ，Ｎ’−ビス（５−ｔｅｒｔ−ブチル−３−メチルサリチリデン）−１，２−エタンジアミン］コバルトアセテート、［Ｎ，Ｎ’−ビス（５−ｔｅｒｔ−ブチル−３−メチルサリチリデン）−１，３−プロパンジアミン］コバルトアセテート、［Ｎ，Ｎ’−ビス（５−ｔｅｒｔ−ブチル−３−メチルサリチリデン）−１，２−シクロペンタンジアミン］コバルトアセテート、［Ｎ，Ｎ’−ビス（５−ｔｅｒｔ−ブチル−３−メチルサリチリデン）−１，３−シクロペンタンジアミン］コバルトアセテート、［Ｎ，Ｎ’−ビス（５−ｔｅｒｔ−ブチル−３−メチルサリチリデン）−１，２−シクロヘキサンジアミン］コバルトアセテート、［Ｎ，Ｎ’−ビス（５−ｔｅｒｔ−ブチル−３−メチルサリチリデン）−１，３−シクロヘキサンジアミン］コバルトアセテート、［Ｎ，Ｎ’−ビス（５−ｔｅｒｔ−ブチル−３−メチルサリチリデン）−１，４−シクロヘキサンジアミン］コバルトアセテート、［Ｎ，Ｎ’−ビス（５−ｔｅｒｔ−ブチル−３−メチルサリチリデン）−１，２−ノルボルナンジアミン］コバルトアセテート、［Ｎ，Ｎ’−ビス（５−ｔｅｒｔ−ブチル−３−メチルサリチリデン）−１，２−ベンゼンジアミン］コバルトアセテート、［Ｎ，Ｎ’−ビス（５−ｔｅｒｔ−ブチル−３−メチルサリチリデン）−１，３−ベンゼンジアミン］コバルトアセテート、［Ｎ，Ｎ’−ビス（５−ｔｅｒｔ−ブチル−３−メチルサリチリデン）−１，４−ベンゼンジアミン］コバルトアセテート、［Ｎ，Ｎ’−ビス（５−ｔｅｒｔ−ブチル−３−メチルサリチリデン）−４−メトキシ−１，２−ベンゼンジアミン］コバルトアセテート、［Ｎ，Ｎ’−ビス（５−ｔｅｒｔ−ブチル−３−メチルサリチリデン）−２，３−ナフタレンジアミン］コバルトアセテート、［Ｎ，Ｎ’−ビス（５−ｔｅｒｔ−ブチル−３−メチルサリチリデン）−１，８−ナフタレンジアミン］コバルトアセテート、
【００６０】
［Ｎ，Ｎ’−ビス（３−メチル−５−ネオペンチルサリチリデン）メタンジアミン］コバルトアセテート、［Ｎ，Ｎ’−ビス（３−メチル−５−ネオペンチルサリチリデン）−１，２−エタンジアミン］コバルトアセテート、［Ｎ，Ｎ’−ビス（３−メチル−５−ネオペンチルサリチリデン）−１，３−プロパンジアミン］コバルトアセテート、［Ｎ，Ｎ’−ビス（３−メチル−５−ネオペンチルサリチリデン）−１，２−シクロペンタンジアミン］コバルトアセテート、［Ｎ，Ｎ’−ビス（３−メチル−５−ネオペンチルサリチリデン）−１，３−シクロペンタンジアミン］コバルトアセテート、［Ｎ，Ｎ’−ビス（３−メチル−５−ネオペンチルサリチリデン）−１，２−シクロヘキサンジアミン］コバルトアセテート、［Ｎ，Ｎ’−ビス（３−メチル−５−ネオペンチルサリチリデン）−１，３−シクロヘキサンジアミン］コバルトアセテート、［Ｎ，Ｎ’−ビス（３−メチル−５−ネオペンチルサリチリデン）−１，４−シクロヘキサンジアミン］コバルトアセテート、［Ｎ，Ｎ’−ビス（３−メチル−５−ネオペンチルサリチリデン）−１，２−ノルボルナンジアミン］コバルトアセテート、［Ｎ，Ｎ’−ビス（３−メチル−５−ネオペンチルサリチリデン）−１，２−ベンゼンジアミン］コバルトアセテート、［Ｎ，Ｎ’−ビス（３−メチル−５−ネオペンチルサリチリデン）−１，３−ベンゼンジアミン］コバルトアセテート、［Ｎ，Ｎ’−ビス（３−メチル−５−ネオペンチルサリチリデン）−１，４−ベンゼンジアミン］コバルトアセテート、［Ｎ，Ｎ’−ビス（３−メチル−５−ネオペンチルサリチリデン）−４−メトキシ−１，２−ベンゼンジアミン］コバルトアセテート、［Ｎ，Ｎ’−ビス（３−メチル−５−ネオペンチルサリチリデン）−２，３−ナフタレンジアミン］コバルトアセテート、［Ｎ，Ｎ’−ビス（３−メチル−５−ネオペンチルサリチリデン）−１，８−ナフタレンジアミン］コバルトアセテート、
【００６１】
［Ｎ，Ｎ’−ビス（５−イソアミル−３−メチルサリチリデン）メタンジアミン］コバルトアセテート、［Ｎ，Ｎ’−ビス（５−イソアミル−３−メチルサリチリデン）−１，２−エタンジアミン］コバルトアセテート、［Ｎ，Ｎ’−ビス（５−イソアミル−３−メチルサリチリデン）−１，３−プロパンジアミン］コバルトアセテート、［Ｎ，Ｎ’−ビス（５−イソアミル−３−メチルサリチリデン）−１，２−シクロペンタンジアミン］コバルトアセテート、［Ｎ，Ｎ’−ビス（５−イソアミル−３−メチルサリチリデン）−１，３−シクロペンタンジアミン］コバルトアセテート、［Ｎ，Ｎ’−ビス（５−イソアミル−３−メチルサリチリデン）−１，２−シクロヘキサンジアミン］コバルトアセテート、［Ｎ，Ｎ’−ビス（５−イソアミル−３−メチルサリチリデン）−１，３−シクロヘキサンジアミン］コバルトアセテート、［Ｎ，Ｎ’−ビス（５−イソアミル−３−メチルサリチリデン）−１，４−シクロヘキサンジアミン］コバルトアセテート、［Ｎ，Ｎ’−ビス（５−イソアミル−３−メチルサリチリデン）−１，２−ノルボルナンジアミン］コバルトアセテート、［Ｎ，Ｎ’−ビス（５−イソアミル−３−メチルサリチリデン）−１，２−ベンゼンジアミン］コバルトアセテート、［Ｎ，Ｎ’−ビス（５−イソアミル−３−メチルサリチリデン）−１，３−ベンゼンジアミン］コバルトアセテート、［Ｎ，Ｎ’−ビス（５−イソアミル−３−メチルサリチリデン）−１，４−ベンゼンジアミン］コバルトアセテート、［Ｎ，Ｎ’−ビス（５−イソアミル−３−メチルサリチリデン）−４−メトキシ−１，２−ベンゼンジアミン］コバルトアセテート、［Ｎ，Ｎ’−ビス（５−イソアミル−３−メチルサリチリデン）−２，３−ナフタレンジアミン］コバルトアセテート、［Ｎ，Ｎ’−ビス（５−イソアミル−３−メチルサリチリデン）−１，８−ナフタレンジアミン］コバルトアセテート、
【００６２】
［Ｎ，Ｎ’−ビス（３−メチル−５−フェニルサリチリデン）メタンジアミン］コバルトアセテート、［Ｎ，Ｎ’−ビス（３−メチル−５−フェニルサリチリデン）−１，２−エタンジアミン］コバルトアセテート、［Ｎ，Ｎ’−ビス（３−メチル−５−フェニルサリチリデン）−１，３−プロパンジアミン］コバルトアセテート、［Ｎ，Ｎ’−ビス（３−メチル−５−フェニルサリチリデン）−１，２−シクロペンタンジアミン］コバルトアセテート、［Ｎ，Ｎ’−ビス（３−メチル−５−フェニルサリチリデン）−１，３−シクロペンタンジアミン］コバルトアセテート、［Ｎ，Ｎ’−ビス（３−メチル−５−フェニルサリチリデン）−１，２−シクロヘキサンジアミン］コバルトアセテート、［Ｎ，Ｎ’−ビス（３−メチル−５−フェニルサリチリデン）−１，３−シクロヘキサンジアミン］コバルトアセテート、［Ｎ，Ｎ’−ビス（３−メチル−５−フェニルサリチリデン）−１，４−シクロヘキサンジアミン］コバルトアセテート、［Ｎ，Ｎ’−ビス（３−メチル−５−フェニルサリチリデン）−１，２−ノルボルナンジアミン］コバルトアセテート、［Ｎ，Ｎ’−ビス（３−メチル−５−フェニルサリチリデン）−１，２−ベンゼンジアミン］コバルトアセテート、［Ｎ，Ｎ’−ビス（３−メチル−５−フェニルサリチリデン）−１，３−ベンゼンジアミン］コバルトアセテート、［Ｎ，Ｎ’−ビス（３−メチル−５−フェニルサリチリデン）−１，４−ベンゼンジアミン］コバルトアセテート、［Ｎ，Ｎ’−ビス（３−メチル−５−フェニルサリチリデン）−４−メトキシ−１，２−ベンゼンジアミン］コバルトアセテート、［Ｎ，Ｎ’−ビス（３−メチル−５−フェニルサリチリデン）−２，３−ナフタレンジアミン］コバルトアセテート、［Ｎ，Ｎ’−ビス（３−メチル−５−フェニルサリチリデン）−１，８−ナフタレンジアミン］コバルトアセテート、
【００６３】
［Ｎ，Ｎ’−ビス（３−メチル−５−トリフルオロメチルサリチリデン）メタンジアミン］コバルトアセテート、［Ｎ，Ｎ’−ビス（３−メチル−５−トリフルオロメチルサリチリデン）−１，２−エタンジアミン］コバルトアセテート、［Ｎ，Ｎ’−ビス（３−メチル−５−トリフルオロメチルサリチリデン）−１，３−プロパンジアミン］コバルトアセテート、［Ｎ，Ｎ’−ビス（３−メチル−５−トリフルオロメチルサリチリデン）−１，２−シクロペンタンジアミン］コバルトアセテート、［Ｎ，Ｎ’−ビス（３−メチル−５−トリフルオロメチルサリチリデン）−１，３−シクロペンタンジアミン］コバルトアセテート、［Ｎ，Ｎ’−ビス（３−メチル−５−トリフルオロメチルサリチリデン）−１，２−シクロヘキサンジアミン］コバルトアセテート、［Ｎ，Ｎ’−ビス（３−メチル−５−トリフルオロメチルサリチリデン）−１，３−シクロヘキサンジアミン］コバルトアセテート、［Ｎ，Ｎ’−ビス（３−メチル−５−トリフルオロメチルサリチリデン）−１，４−シクロヘキサンジアミン］コバルトアセテート、［Ｎ，Ｎ’−ビス（３−メチル−５−トリフルオロメチルサリチリデン）−１，２−ノルボルナンジアミン］コバルトアセテート、［Ｎ，Ｎ’−ビス（３−メチル−５−トリフルオロメチルサリチリデン）−１，２−ベンゼンジアミン］コバルトアセテート、［Ｎ，Ｎ’−ビス（３−メチル−５−トリフルオロメチルサリチリデン）−１，３−ベンゼンジアミン］コバルトアセテート、［Ｎ，Ｎ’−ビス（３−メチル−５−トリフルオロメチルサリチリデン）−１，４−ベンゼンジアミン］コバルトアセテート、［Ｎ，Ｎ’−ビス（３−メチル−５−トリフルオロメチルサリチリデン）−４−メトキシ−１，２−ベンゼンジアミン］コバルトアセテート、［Ｎ，Ｎ’−ビス（３−メチル−５−トリフルオロメチルサリチリデン）−２，３−ナフタレンジアミン］コバルトアセテート、［Ｎ，Ｎ’−ビス（３−メチル−５−トリフルオロメチルサリチリデン）−１，８−ナフタレンジアミン］コバルトアセテート、
【００６４】
［Ｎ，Ｎ’−ビス（３−メチル−５−トリメチルシリルサリチリデン）メタンジアミン］コバルトアセテート、［Ｎ，Ｎ’−ビス（３−メチル−５−トリメチルシリルサリチリデン）−１，２−エタンジアミン］コバルトアセテート、［Ｎ，Ｎ’−ビス（３−メチル−５−トリメチルシリルサリチリデン）−１，３−プロパンジアミン］コバルトアセテート、［Ｎ，Ｎ’−ビス（３−メチル−５−トリメチルシリルサリチリデン）−１，２−シクロペンタンジアミン］コバルトアセテート、［Ｎ，Ｎ’−ビス（３−メチル−５−トリメチルシリルサリチリデン）−１，３−シクロペンタンジアミン］コバルトアセテート、［Ｎ，Ｎ’−ビス（３−メチル−５−トリメチルシリルサリチリデン）−１，２−シクロヘキサンジアミン］コバルトアセテート、［Ｎ，Ｎ’−ビス（３−メチル−５−トリメチルシリルサリチリデン）−１，３−シクロヘキサンジアミン］コバルトアセテート、［Ｎ，Ｎ’−ビス（３−メチル−５−トリメチルシリルサリチリデン）−１，４−シクロヘキサンジアミン］コバルトアセテート、［Ｎ，Ｎ’−ビス（３−メチル−５−トリメチルシリルサリチリデン）−１，２−ノルボルナンジアミン］コバルトアセテート、［Ｎ，Ｎ’−ビス（３−メチル−５−トリメチルシリルサリチリデン）−１，２−ベンゼンジアミン］コバルトアセテート、［Ｎ，Ｎ’−ビス（３−メチル−５−トリメチルシリルサリチリデン）−１，３−ベンゼンジアミン］コバルトアセテート、［Ｎ，Ｎ’−ビス（３−メチル−５−トリメチルシリルサリチリデン）−１，４−ベンゼンジアミン］コバルトアセテート、［Ｎ，Ｎ’−ビス（３−メチル−５−トリメチルシリルサリチリデン）−４−メトキシ−１，２−ベンゼンジアミン］コバルトアセテート、［Ｎ，Ｎ’−ビス（３−メチル−５−トリメチルシリルサリチリデン）−２，３−ナフタレンジアミン］コバルトアセテート、［Ｎ，Ｎ’−ビス（３−メチル−５−トリメチルシリルサリチリデン）−１，８−ナフタレンジアミン］コバルトアセテート、ならびに、これら化合物の「アセテート」を「プロピオネート」、「ｎ−ブチレート」、「イソブチレート」、「ｎ−ペンチレート」、「イソペンチレート」、「ｓｅｃ−ペンチレート」、「ｔｅｒｔ−ペンチレート」、「トリフルオロアセテート」、「ベンゾエート」、「フルオライド」、「クロライド」、「ブロマイド」、「アイオダイド」、「メトキシド」、「エトキシド」、「イソプロポキシド」、「ｔｅｒｔ−ブトキシド」、「フェノキシド」、「ペンタフルオロフェノキシド」、「ベンジルオキシド」、「ジメチルアミド」、「ジエチルアミド」、「ヒドロキシド」または「シアニド」に置き換えた化合物等を例示することができる。
【００６５】
式（３）で表されるコバルト錯体として更に、［Ｎ，Ｎ’−ビス（３−エチル−５−メチルサリチリデン）メタンジアミン］コバルトアセテート、［Ｎ，Ｎ’−ビス（３−エチル−５−メチルサリチリデン）−１，２−エタンジアミン］コバルトアセテート、［Ｎ，Ｎ’−ビス（３−エチル−５−メチルサリチリデン）−１，３−プロパンジアミン］コバルトアセテート、［Ｎ，Ｎ’−ビス（３−エチル−５−メチルサリチリデン）−１，２−シクロペンタンジアミン］コバルトアセテート、［Ｎ，Ｎ’−ビス（３−エチル−５−メチルサリチリデン）−１，３−シクロペンタンジアミン］コバルトアセテート、［Ｎ，Ｎ’−ビス（３−エチル−５−メチルサリチリデン）−１，２−シクロヘキサンジアミン］コバルトアセテート、［Ｎ，Ｎ’−ビス（３−エチル−５−メチルサリチリデン）−１，３−シクロヘキサンジアミン］コバルトアセテート、［Ｎ，Ｎ’−ビス（３−エチル−５−メチルサリチリデン）−１，４−シクロヘキサンジアミン］コバルトアセテート、［Ｎ，Ｎ’−ビス（３−エチル−５−メチルサリチリデン）−１，２−ノルボルナンジアミン］コバルトアセテート、［Ｎ，Ｎ’−ビス（３−エチル−５−メチルサリチリデン）−１，２−ベンゼンジアミン］コバルトアセテート、［Ｎ，Ｎ’−ビス（３−エチル−５−メチルサリチリデン）−１，３−ベンゼンジアミン］コバルトアセテート、［Ｎ，Ｎ’−ビス（３−エチル−５−メチルサリチリデン）−１，４−ベンゼンジアミン］コバルトアセテート、［Ｎ，Ｎ’−ビス（３−エチル−５−メチルサリチリデン）−４−メトキシ−１，２−ベンゼンジアミン］コバルトアセテート、［Ｎ，Ｎ’−ビス（３−エチル−５−メチルサリチリデン）−２，３−ナフタレンジアミン］コバルトアセテート、［Ｎ，Ｎ’−ビス（３−エチル−５−メチルサリチリデン）−１，８−ナフタレンジアミン］コバルトアセテート、
【００６６】
［Ｎ，Ｎ’−ビス（３−エチル−５−ｎ−プロピルサリチリデン）メタンジアミン］コバルトアセテート、［Ｎ，Ｎ’−ビス（３−エチル−５−ｎ−プロピルサリチリデン）−１，２−エタンジアミン］コバルトアセテート、［Ｎ，Ｎ’−ビス（３−エチル−５−ｎ−プロピルサリチリデン）−１，３−プロパンジアミン］コバルトアセテート、［Ｎ，Ｎ’−ビス（３−エチル−５−ｎ−プロピルサリチリデン）−１，２−シクロペンタンジアミン］コバルトアセテート、［Ｎ，Ｎ’−ビス（３−エチル−５−ｎ−プロピルサリチリデン）−１，３−シクロペンタンジアミン］コバルトアセテート、［Ｎ，Ｎ’−ビス（３−エチル−５−ｎ−プロピルサリチリデン）−１，２−シクロヘキサンジアミン］コバルトアセテート、［Ｎ，Ｎ’−ビス（３−エチル−５−ｎ−プロピルサリチリデン）−１，３−シクロヘキサンジアミン］コバルトアセテート、［Ｎ，Ｎ’−ビス（３−エチル−５−ｎ−プロピルサリチリデン）−１，４−シクロヘキサンジアミン］コバルトアセテート、［Ｎ，Ｎ’−ビス（３−エチル−５−ｎ−プロピルサリチリデン）−１，２−ノルボルナンジアミン］コバルトアセテート、［Ｎ，Ｎ’−ビス（３−エチル−５−ｎ−プロピルサリチリデン）−１，２−ベンゼンジアミン］コバルトアセテート、［Ｎ，Ｎ’−ビス（３−エチル−５−ｎ−プロピルサリチリデン）−１，３−ベンゼンジアミン］コバルトアセテート、［Ｎ，Ｎ’−ビス（３−エチル−５−ｎ−プロピルサリチリデン）−１，４−ベンゼンジアミン］コバルトアセテート、［Ｎ，Ｎ’−ビス（３−エチル−５−ｎ−プロピルサリチリデン）−４−メトキシ−１，２−ベンゼンジアミン］コバルトアセテート、［Ｎ，Ｎ’−ビス（３−エチル−５−ｎ−プロピルサリチリデン）−２，３−ナフタレンジアミン］コバルトアセテート、［Ｎ，Ｎ’−ビス（３−エチル−５−ｎ−プロピルサリチリデン）−１，８−ナフタレンジアミン］コバルトアセテート、
【００６７】
［Ｎ，Ｎ’−ビス（３−エチル−５−イソプロピルサリチリデン）メタンジアミン］コバルトアセテート、［Ｎ，Ｎ’−ビス（３−エチル−５−イソプロピルサリチリデン）−１，２−エタンジアミン］コバルトアセテート、［Ｎ，Ｎ’−ビス（３−エチル−５−イソプロピルサリチリデン）−１，３−プロパンジアミン］コバルトアセテート、［Ｎ，Ｎ’−ビス（３−エチル−５−イソプロピルサリチリデン）−１，２−シクロペンタンジアミン］コバルトアセテート、［Ｎ，Ｎ’−ビス（３−エチル−５−イソプロピルサリチリデン）−１，３−シクロペンタンジアミン］コバルトアセテート、［Ｎ，Ｎ’−ビス（３−エチル−５−イソプロピルサリチリデン）−１，２−シクロヘキサンジアミン］コバルトアセテート、［Ｎ，Ｎ’−ビス（３−エチル−５−イソプロピルサリチリデン）−１，３−シクロヘキサンジアミン］コバルトアセテート、［Ｎ，Ｎ’−ビス（３−エチル−５−イソプロピルサリチリデン）−１，４−シクロヘキサンジアミン］コバルトアセテート、［Ｎ，Ｎ’−ビス（３−エチル−５−イソプロピルサリチリデン）−１，２−ノルボルナンジアミン］コバルトアセテート、［Ｎ，Ｎ’−ビス（３−エチル−５−イソプロピルサリチリデン）−１，２−ベンゼンジアミン］コバルトアセテート、［Ｎ，Ｎ’−ビス（３−エチル−５−イソプロピルサリチリデン）−１，３−ベンゼンジアミン］コバルトアセテート、［Ｎ，Ｎ’−ビス（３−エチル−５−イソプロピルサリチリデン）−１，４−ベンゼンジアミン］コバルトアセテート、［Ｎ，Ｎ’−ビス（３−エチル−５−イソプロピルサリチリデン）−４−メトキシ−１，２−ベンゼンジアミン］コバルトアセテート、［Ｎ，Ｎ’−ビス（３−エチル−５−イソプロピルサリチリデン）−２，３−ナフタレンジアミン］コバルトアセテート、［Ｎ，Ｎ’−ビス（３−エチル−５−イソプロピルサリチリデン）−１，８−ナフタレンジアミン］コバルトアセテート、
【００６８】
［Ｎ，Ｎ’−ビス（５−ｎ−ブチル−３−エチルサリチリデン）メタンジアミン］コバルトアセテート、［Ｎ，Ｎ’−ビス（５−ｎ−ブチル−３−エチルサリチリデン）−１，２−エタンジアミン］コバルトアセテート、［Ｎ，Ｎ’−ビス（５−ｎ−ブチル−３−エチルサリチリデン）−１，３−プロパンジアミン］コバルトアセテート、［Ｎ，Ｎ’−ビス（５−ｎ−ブチル−３−エチルサリチリデン）−１，２−シクロペンタンジアミン］コバルトアセテート、［Ｎ，Ｎ’−ビス（５−ｎ−ブチル−３−エチルサリチリデン）−１，３−シクロペンタンジアミン］コバルトアセテート、［Ｎ，Ｎ’−ビス（５−ｎ−ブチル−３−エチルサリチリデン）−１，２−シクロヘキサンジアミン］コバルトアセテート、［Ｎ，Ｎ’−ビス（５−ｎ−ブチル−３−エチルサリチリデン）−１，３−シクロヘキサンジアミン］コバルトアセテート、［Ｎ，Ｎ’−ビス（５−ｎ−ブチル−３−エチルサリチリデン）−１，４−シクロヘキサンジアミン］コバルトアセテート、［Ｎ，Ｎ’−ビス（５−ｎ−ブチル−３−エチルサリチリデン）−１，２−ノルボルナンジアミン］コバルトアセテート、［Ｎ，Ｎ’−ビス（５−ｎ−ブチル−３−エチルサリチリデン）−１，２−ベンゼンジアミン］コバルトアセテート、［Ｎ，Ｎ’−ビス（５−ｎ−ブチル−３−エチルサリチリデン）−１，３−ベンゼンジアミン］コバルトアセテート、［Ｎ，Ｎ’−ビス（５−ｎ−ブチル−３−エチルサリチリデン）−１，４−ベンゼンジアミン］コバルトアセテート、［Ｎ，Ｎ’−ビス（５−ｎ−ブチル−３−エチルサリチリデン）−４−メトキシ−１，２−ベンゼンジアミン］コバルトアセテート、［Ｎ，Ｎ’−ビス（５−ｎ−ブチル−３−エチルサリチリデン）−２，３−ナフタレンジアミン］コバルトアセテート、［Ｎ，Ｎ’−ビス（５−ｎ−ブチル−３−エチルサリチリデン）−１，８−ナフタレンジアミン］コバルトアセテート、
【００６９】
［Ｎ，Ｎ’−ビス（５−イソブチル−３−エチルサリチリデン）メタンジアミン］コバルトアセテート、［Ｎ，Ｎ’−ビス（５−イソブチル−３−エチルサリチリデン）−１，２−エタンジアミン］コバルトアセテート、［Ｎ，Ｎ’−ビス（５−イソブチル−３−エチルサリチリデン）−１，３−プロパンジアミン］コバルトアセテート、［Ｎ，Ｎ’−ビス（５−イソブチル−３−エチルサリチリデン）−１，２−シクロペンタンジアミン］コバルトアセテート、［Ｎ，Ｎ’−ビス（５−イソブチル−３−エチルサリチリデン）−１，３−シクロペンタンジアミン］コバルトアセテート、［Ｎ，Ｎ’−ビス（５−イソブチル−３−エチルサリチリデン）−１，２−シクロヘキサンジアミン］コバルトアセテート、［Ｎ，Ｎ’−ビス（５−イソブチル−３−エチルサリチリデン）−１，３−シクロヘキサンジアミン］コバルトアセテート、［Ｎ，Ｎ’−ビス（５−イソブチル−３−エチルサリチリデン）−１，４−シクロヘキサンジアミン］コバルトアセテート、［Ｎ，Ｎ’−ビス（５−イソブチル−３−エチルサリチリデン）−１，２−ノルボルナンジアミン］コバルトアセテート、［Ｎ，Ｎ’−ビス（５−イソブチル−３−エチルサリチリデン）−１，２−ベンゼンジアミン］コバルトアセテート、［Ｎ，Ｎ’−ビス（５−イソブチル−３−エチルサリチリデン）−１，３−ベンゼンジアミン］コバルトアセテート、［Ｎ，Ｎ’−ビス（５−イソブチル−３−エチルサリチリデン）−１，４−ベンゼンジアミン］コバルトアセテート、［Ｎ，Ｎ’−ビス（５−イソブチル−３−エチルサリチリデン）−４−メトキシ−１，２−ベンゼンジアミン］コバルトアセテート、［Ｎ，Ｎ’−ビス（５−イソブチル−３−エチルサリチリデン）−２，３−ナフタレンジアミン］コバルトアセテート、［Ｎ，Ｎ’−ビス（５−イソブチル−３−エチルサリチリデン）−１，８−ナフタレンジアミン］コバルトアセテート、
【００７０】
［Ｎ，Ｎ’−ビス（５−ｓｅｃ−ブチル−３−エチルサリチリデン）メタンジアミン］コバルトアセテート、［Ｎ，Ｎ’−ビス（５−ｓｅｃ−ブチル−３−エチルサリチリデン）−１，２−エタンジアミン］コバルトアセテート、［Ｎ，Ｎ’−ビス（５−ｓｅｃ−ブチル−３−エチルサリチリデン）−１，３−プロパンジアミン］コバルトアセテート、［Ｎ，Ｎ’−ビス（５−ｓｅｃ−ブチル−３−エチルサリチリデン）−１，２−シクロペンタンジアミン］コバルトアセテート、［Ｎ，Ｎ’−ビス（５−ｓｅｃ−ブチル−３−エチルサリチリデン）−１，３−シクロペンタンジアミン］コバルトアセテート、［Ｎ，Ｎ’−ビス（５−ｓｅｃ−ブチル−３−エチルサリチリデン）−１，２−シクロヘキサンジアミン］コバルトアセテート、［Ｎ，Ｎ’−ビス（５−ｓｅｃ−ブチル−３−エチルサリチリデン）−１，３−シクロヘキサンジアミン］コバルトアセテート、［Ｎ，Ｎ’−ビス（５−ｓｅｃ−ブチル−３−エチルサリチリデン）−１，４−シクロヘキサンジアミン］コバルトアセテート、［Ｎ，Ｎ’−ビス（５−ｓｅｃ−ブチル−３−エチルサリチリデン）−１，２−ノルボルナンジアミン］コバルトアセテート、［Ｎ，Ｎ’−ビス（５−ｓｅｃ−ブチル−３−エチルサリチリデン）−１，２−ベンゼンジアミン］コバルトアセテート、［Ｎ，Ｎ’−ビス（５−ｓｅｃ−ブチル−３−エチルサリチリデン）−１，３−ベンゼンジアミン］コバルトアセテート、［Ｎ，Ｎ’−ビス（５−ｓｅｃ−ブチル−３−エチルサリチリデン）−１，４−ベンゼンジアミン］コバルトアセテート、［Ｎ，Ｎ’−ビス（５−ｓｅｃ−ブチル−３−エチルサリチリデン）−４−メトキシ−１，２−ベンゼンジアミン］コバルトアセテート、［Ｎ，Ｎ’−ビス（５−ｓｅｃ−ブチル−３−エチルサリチリデン）−２，３−ナフタレンジアミン］コバルトアセテート、［Ｎ，Ｎ’−ビス（５−ｓｅｃ−ブチル−３−エチルサリチリデン）−１，８−ナフタレンジアミン］コバルトアセテート、
【００７１】
［Ｎ，Ｎ’−ビス（５−ｔｅｒｔ−ブチル−３−メチルサリチリデン）メタンジアミン］コバルトアセテート、［Ｎ，Ｎ’−ビス（５−ｔｅｒｔ−ブチル−３−メチルサリチリデン）−１，２−エタンジアミン］コバルトアセテート、［Ｎ，Ｎ’−ビス（５−ｔｅｒｔ−ブチル−３−メチルサリチリデン）−１，３−プロパンジアミン］コバルトアセテート、［Ｎ，Ｎ’−ビス（５−ｔｅｒｔ−ブチル−３−メチルサリチリデン）−１，２−シクロペンタンジアミン］コバルトアセテート、［Ｎ，Ｎ’−ビス（５−ｔｅｒｔ−ブチル−３−メチルサリチリデン）−１，３−シクロペンタンジアミン］コバルトアセテート、［Ｎ，Ｎ’−ビス（５−ｔｅｒｔ−ブチル−３−メチルサリチリデン）−１，２−シクロヘキサンジアミン］コバルトアセテート、［Ｎ，Ｎ’−ビス（５−ｔｅｒｔ−ブチル−３−メチルサリチリデン）−１，３−シクロヘキサンジアミン］コバルトアセテート、［Ｎ，Ｎ’−ビス（５−ｔｅｒｔ−ブチル−３−メチルサリチリデン）−１，４−シクロヘキサンジアミン］コバルトアセテート、［Ｎ，Ｎ’−ビス（５−ｔｅｒｔ−ブチル−３−メチルサリチリデン）−１，２−ノルボルナンジアミン］コバルトアセテート、［Ｎ，Ｎ’−ビス（５−ｔｅｒｔ−ブチル−３−メチルサリチリデン）−１，２−ベンゼンジアミン］コバルトアセテート、［Ｎ，Ｎ’−ビス（５−ｔｅｒｔ−ブチル−３−メチルサリチリデン）−１，３−ベンゼンジアミン］コバルトアセテート、［Ｎ，Ｎ’−ビス（５−ｔｅｒｔ−ブチル−３−メチルサリチリデン）−１，４−ベンゼンジアミン］コバルトアセテート、［Ｎ，Ｎ’−ビス（５−ｔｅｒｔ−ブチル−３−メチルサリチリデン）−４−メトキシ−１，２−ベンゼンジアミン］コバルトアセテート、［Ｎ，Ｎ’−ビス（５−ｔｅｒｔ−ブチル−３−メチルサリチリデン）−２，３−ナフタレンジアミン］コバルトアセテート、［Ｎ，Ｎ’−ビス（５−ｔｅｒｔ−ブチル−３−メチルサリチリデン）−１，８−ナフタレンジアミン］コバルトアセテート、
【００７２】
［Ｎ，Ｎ’−ビス（３−エチル−５−ネオペンチルサリチリデン）メタンジアミン］コバルトアセテート、［Ｎ，Ｎ’−ビス（３−エチル−５−ネオペンチルサリチリデン）−１，２−エタンジアミン］コバルトアセテート、［Ｎ，Ｎ’−ビス（３−エチル−５−ネオペンチルサリチリデン）−１，３−プロパンジアミン］コバルトアセテート、［Ｎ，Ｎ’−ビス（３−エチル−５−ネオペンチルサリチリデン）−１，２−シクロペンタンジアミン］コバルトアセテート、［Ｎ，Ｎ’−ビス（３−エチル−５−ネオペンチルサリチリデン）−１，３−シクロペンタンジアミン］コバルトアセテート、［Ｎ，Ｎ’−ビス（３−エチル−５−ネオペンチルサリチリデン）−１，２−シクロヘキサンジアミン］コバルトアセテート、［Ｎ，Ｎ’−ビス（３−エチル−５−ネオペンチルサリチリデン）−１，３−シクロヘキサンジアミン］コバルトアセテート、［Ｎ，Ｎ’−ビス（３−エチル−５−ネオペンチルサリチリデン）−１，４−シクロヘキサンジアミン］コバルトアセテート、［Ｎ，Ｎ’−ビス（３−エチル−５−ネオペンチルサリチリデン）−１，２−ノルボルナンジアミン］コバルトアセテート、［Ｎ，Ｎ’−ビス（３−エチル−５−ネオペンチルサリチリデン）−１，２−ベンゼンジアミン］コバルトアセテート、［Ｎ，Ｎ’−ビス（３−エチル−５−ネオペンチルサリチリデン）−１，３−ベンゼンジアミン］コバルトアセテート、［Ｎ，Ｎ’−ビス（３−エチル−５−ネオペンチルサリチリデン）−１，４−ベンゼンジアミン］コバルトアセテート、［Ｎ，Ｎ’−ビス（３−エチル−５−ネオペンチルサリチリデン）−４−メトキシ−１，２−ベンゼンジアミン］コバルトアセテート、［Ｎ，Ｎ’−ビス（３−エチル−５−ネオペンチルサリチリデン）−２，３−ナフタレンジアミン］コバルトアセテート、［Ｎ，Ｎ’−ビス（３−エチル−５−ネオペンチルサリチリデン）−１，８−ナフタレンジアミン］コバルトアセテート、
【００７３】
［Ｎ，Ｎ’−ビス（５−イソアミル−３−エチルサリチリデン）メタンジアミン］コバルトアセテート、［Ｎ，Ｎ’−ビス（５−イソアミル−３−エチルサリチリデン）−１，２−エタンジアミン］コバルトアセテート、［Ｎ，Ｎ’−ビス（５−イソアミル−３−エチルサリチリデン）−１，３−プロパンジアミン］コバルトアセテート、［Ｎ，Ｎ’−ビス（５−イソアミル−３−エチルサリチリデン）−１，２−シクロペンタンジアミン］コバルトアセテート、［Ｎ，Ｎ’−ビス（５−イソアミル−３−エチルサリチリデン）−１，３−シクロペンタンジアミン］コバルトアセテート、［Ｎ，Ｎ’−ビス（５−イソアミル−３−エチルサリチリデン）−１，２−シクロヘキサンジアミン］コバルトアセテート、［Ｎ，Ｎ’−ビス（５−イソアミル−３−エチルサリチリデン）−１，３−シクロヘキサンジアミン］コバルトアセテート、［Ｎ，Ｎ’−ビス（５−イソアミル−３−エチルサリチリデン）−１，４−シクロヘキサンジアミン］コバルトアセテート、［Ｎ，Ｎ’−ビス（５−イソアミル−３−エチルサリチリデン）−１，２−ノルボルナンジアミン］コバルトアセテート、［Ｎ，Ｎ’−ビス（５−イソアミル−３−エチルサリチリデン）−１，２−ベンゼンジアミン］コバルトアセテート、［Ｎ，Ｎ’−ビス（５−イソアミル−３−エチルサリチリデン）−１，３−ベンゼンジアミン］コバルトアセテート、［Ｎ，Ｎ’−ビス（５−イソアミル−３−エチルサリチリデン）−１，４−ベンゼンジアミン］コバルトアセテート、［Ｎ，Ｎ’−ビス（５−イソアミル−３−エチルサリチリデン）−４−メトキシ−１，２−ベンゼンジアミン］コバルトアセテート、［Ｎ，Ｎ’−ビス（５−イソアミル−３−エチルサリチリデン）−２，３−ナフタレンジアミン］コバルトアセテート、［Ｎ，Ｎ’−ビス（５−イソアミル−３−エチルサリチリデン）−１，８−ナフタレンジアミン］コバルトアセテート、
【００７４】
［Ｎ，Ｎ’−ビス（３−エチル−５−フェニルサリチリデン）メタンジアミン］コバルトアセテート、［Ｎ，Ｎ’−ビス（３−エチル−５−フェニルサリチリデン）−１，２−エタンジアミン］コバルトアセテート、［Ｎ，Ｎ’−ビス（３−エチル−５−フェニルサリチリデン）−１，３−プロパンジアミン］コバルトアセテート、［Ｎ，Ｎ’−ビス（３−エチル−５−フェニルサリチリデン）−１，２−シクロペンタンジアミン］コバルトアセテート、［Ｎ，Ｎ’−ビス（３−エチル−５−フェニルサリチリデン）−１，３−シクロペンタンジアミン］コバルトアセテート、［Ｎ，Ｎ’−ビス（３−エチル−５−フェニルサリチリデン）−１，２−シクロヘキサンジアミン］コバルトアセテート、［Ｎ，Ｎ’−ビス（３−エチル−５−フェニルサリチリデン）−１，３−シクロヘキサンジアミン］コバルトアセテート、［Ｎ，Ｎ’−ビス（３−エチル−５−フェニルサリチリデン）−１，４−シクロヘキサンジアミン］コバルトアセテート、［Ｎ，Ｎ’−ビス（３−エチル−５−フェニルサリチリデン）−１，２−ノルボルナンジアミン］コバルトアセテート、［Ｎ，Ｎ’−ビス（３−エチル−５−フェニルサリチリデン）−１，２−ベンゼンジアミン］コバルトアセテート、［Ｎ，Ｎ’−ビス（３−エチル−５−フェニルサリチリデン）−１，３−ベンゼンジアミン］コバルトアセテート、［Ｎ，Ｎ’−ビス（３−エチル−５−フェニルサリチリデン）−１，４−ベンゼンジアミン］コバルトアセテート、［Ｎ，Ｎ’−ビス（３−エチル−５−フェニルサリチリデン）−４−メトキシ−１，２−ベンゼンジアミン］コバルトアセテート、［Ｎ，Ｎ’−ビス（３−エチル−５−フェニルサリチリデン）−２，３−ナフタレンジアミン］コバルトアセテート、［Ｎ，Ｎ’−ビス（３−エチル−５−フェニルサリチリデン）−１，８−ナフタレンジアミン］コバルトアセテート、
【００７５】
［Ｎ，Ｎ’−ビス（３−エチル−５−トリフルオロメチルサリチリデン）メタンジアミン］コバルトアセテート、［Ｎ，Ｎ’−ビス（３−エチル−５−トリフルオロメチルサリチリデン）−１，２−エタンジアミン］コバルトアセテート、［Ｎ，Ｎ’−ビス（３−エチル−５−トリフルオロメチルサリチリデン）−１，３−プロパンジアミン］コバルトアセテート、［Ｎ，Ｎ’−ビス（３−エチル−５−トリフルオロメチルサリチリデン）−１，２−シクロペンタンジアミン］コバルトアセテート、［Ｎ，Ｎ’−ビス（３−エチル−５−トリフルオロメチルサリチリデン）−１，３−シクロペンタンジアミン］コバルトアセテート、［Ｎ，Ｎ’−ビス（３−エチル−５−トリフルオロメチルサリチリデン）−１，２−シクロヘキサンジアミン］コバルトアセテート、［Ｎ，Ｎ’−ビス（３−エチル−５−トリフルオロメチルサリチリデン）−１，３−シクロヘキサンジアミン］コバルトアセテート、［Ｎ，Ｎ’−ビス（３−エチル−５−トリフルオロメチルサリチリデン）−１，４−シクロヘキサンジアミン］コバルトアセテート、［Ｎ，Ｎ’−ビス（３−エチル−５−トリフルオロメチルサリチリデン）−１，２−ノルボルナンジアミン］コバルトアセテート、［Ｎ，Ｎ’−ビス（３−エチル−５−トリフルオロメチルサリチリデン）−１，２−ベンゼンジアミン］コバルトアセテート、［Ｎ，Ｎ’−ビス（３−エチル−５−トリフルオロメチルサリチリデン）−１，３−ベンゼンジアミン］コバルトアセテート、［Ｎ，Ｎ’−ビス（３−エチル−５−トリフルオロメチルサリチリデン）−１，４−ベンゼンジアミン］コバルトアセテート、［Ｎ，Ｎ’−ビス（３−エチル−５−トリフルオロメチルサリチリデン）−４−メトキシ−１，２−ベンゼンジアミン］コバルトアセテート、［Ｎ，Ｎ’−ビス（３−エチル−５−トリフルオロメチルサリチリデン）−２，３−ナフタレンジアミン］コバルトアセテート、［Ｎ，Ｎ’−ビス（３−エチル−５−トリフルオロメチルサリチリデン）−１，８−ナフタレンジアミン］コバルトアセテート、
【００７６】
［Ｎ，Ｎ’−ビス（３−エチル−５−トリメチルシリルサリチリデン）メタンジアミン］コバルトアセテート、［Ｎ，Ｎ’−ビス（３−エチル−５−トリメチルシリルサリチリデン）−１，２−エタンジアミン］コバルトアセテート、［Ｎ，Ｎ’−ビス（３−エチル−５−トリメチルシリルサリチリデン）−１，３−プロパンジアミン］コバルトアセテート、［Ｎ，Ｎ’−ビス（３−エチル−５−トリメチルシリルサリチリデン）−１，２−シクロペンタンジアミン］コバルトアセテート、［Ｎ，Ｎ’−ビス（３−エチル−５−トリメチルシリルサリチリデン）−１，３−シクロペンタンジアミン］コバルトアセテート、［Ｎ，Ｎ’−ビス（３−エチル−５−トリメチルシリルサリチリデン）−１，２−シクロヘキサンジアミン］コバルトアセテート、［Ｎ，Ｎ’−ビス（３−エチル−５−トリメチルシリルサリチリデン）−１，３−シクロヘキサンジアミン］コバルトアセテート、［Ｎ，Ｎ’−ビス（３−エチル−５−トリメチルシリルサリチリデン）−１，４−シクロヘキサンジアミン］コバルトアセテート、［Ｎ，Ｎ’−ビス（３−エチル−５−トリメチルシリルサリチリデン）−１，２−ノルボルナンジアミン］コバルトアセテート、［Ｎ，Ｎ’−ビス（３−エチル−５−トリメチルシリルサリチリデン）−１，２−ベンゼンジアミン］コバルトアセテート、［Ｎ，Ｎ’−ビス（３−エチル−５−トリメチルシリルサリチリデン）−１，３−ベンゼンジアミン］コバルトアセテート、［Ｎ，Ｎ’−ビス（３−エチル−５−トリメチルシリルサリチリデン）−１，４−ベンゼンジアミン］コバルトアセテート、［Ｎ，Ｎ’−ビス（３−エチル−５−トリメチルシリルサリチリデン）−４−メトキシ−１，２−ベンゼンジアミン］コバルトアセテート、［Ｎ，Ｎ’−ビス（３−エチル−５−トリメチルシリルサリチリデン）−２，３−ナフタレンジアミン］コバルトアセテート、［Ｎ，Ｎ’−ビス（３−エチル−５−トリメチルシリルサリチリデン）−１，８−ナフタレンジアミン］コバルトアセテート、ならびに、これら化合物の「アセテート」を「プロピオネート」、「ｎ−ブチレート」、「イソブチレート」、「ｎ−ペンチレート」、「イソペンチレート」、「ｓｅｃ−ペンチレート」、「ｔｅｒｔ−ペンチレート」、「トリフルオロアセテート」、「ベンゾエート」、「フルオライド」、「クロライド」、「ブロマイド」、「アイオダイド」、「メトキシド」、「エトキシド」、「イソプロポキシド」、「ｔｅｒｔ−ブトキシド」、「フェノキシド」、「ペンタフルオロフェノキシド」、「ベンジルオキシド」、「ジメチルアミド」、「ジエチルアミド」、「ヒドロキシド」または「シアニド」に置き換えた化合物等を例示することができる。
【００７７】
式（３）で表されるコバルト錯体として、また更に、［Ｎ，Ｎ’−ビス（５−メチル−３−イソプロピルサリチリデン）メタンジアミン］コバルトアセテート、［Ｎ，Ｎ’−ビス（５−メチル−３−イソプロピルサリチリデン）−１，２−エタンジアミン］コバルトアセテート、［Ｎ，Ｎ’−ビス（５−メチル−３−イソプロピルサリチリデン）−１，３−プロパンジアミン］コバルトアセテート、［Ｎ，Ｎ’−ビス（５−メチル−３−イソプロピルサリチリデン）−１，２−シクロペンタンジアミン］コバルトアセテート、［Ｎ，Ｎ’−ビス（５−メチル−３−イソプロピルサリチリデン）−１，３−シクロペンタンジアミン］コバルトアセテート、［Ｎ，Ｎ’−ビス（５−メチル−３−イソプロピルサリチリデン）−１，２−シクロヘキサンジアミン］コバルトアセテート、［Ｎ，Ｎ’−ビス（５−メチル−３−イソプロピルサリチリデン）−１，３−シクロヘキサンジアミン］コバルトアセテート、［Ｎ，Ｎ’−ビス（５−メチル−３−イソプロピルサリチリデン）−１，４−シクロヘキサンジアミン］コバルトアセテート、［Ｎ，Ｎ’−ビス（５−メチル−３−イソプロピルサリチリデン）−１，２−ノルボルナンジアミン］コバルトアセテート、［Ｎ，Ｎ’−ビス（５−メチル−３−イソプロピルサリチリデン）−１，２−ベンゼンジアミン］コバルトアセテート、［Ｎ，Ｎ’−ビス（５−メチル−３−イソプロピルサリチリデン）−１，３−ベンゼンジアミン］コバルトアセテート、［Ｎ，Ｎ’−ビス（５−メチル−３−イソプロピルサリチリデン）−１，４−ベンゼンジアミン］コバルトアセテート、［Ｎ，Ｎ’−ビス（５−メチル−３−イソプロピルサリチリデン）−４−メトキシ−１，２−ベンゼンジアミン］コバルトアセテート、［Ｎ，Ｎ’−ビス（５−メチル−３−イソプロピルサリチリデン）−２，３−ナフタレンジアミン］コバルトアセテート、［Ｎ，Ｎ’−ビス（５−メチル−３−イソプロピルサリチリデン）−１，８−ナフタレンジアミン］コバルトアセテート、
【００７８】
［Ｎ，Ｎ’−ビス（５−エチル−３−イソプロピルサリチリデン）メタンジアミン］コバルトアセテート、［Ｎ，Ｎ’−ビス（５−エチル−３−イソプロピルサリチリデン）−１，２−エタンジアミン］コバルトアセテート、［Ｎ，Ｎ’−ビス（５−エチル−３−イソプロピルサリチリデン）−１，３−プロパンジアミン］コバルトアセテート、［Ｎ，Ｎ’−ビス（５−エチル−３−イソプロピルサリチリデン）−１，２−シクロペンタンジアミン］コバルトアセテート、［Ｎ，Ｎ’−ビス（５−エチル−３−イソプロピルサリチリデン）−１，３−シクロペンタンジアミン］コバルトアセテート、［Ｎ，Ｎ’−ビス（５−エチル−３−イソプロピルサリチリデン）−１，２−シクロヘキサンジアミン］コバルトアセテート、［Ｎ，Ｎ’−ビス（５−エチル−３−イソプロピルサリチリデン）−１，３−シクロヘキサンジアミン］コバルトアセテート、［Ｎ，Ｎ’−ビス（５−エチル−３−イソプロピルサリチリデン）−１，４−シクロヘキサンジアミン］コバルトアセテート、［Ｎ，Ｎ’−ビス（５−エチル−３−イソプロピルサリチリデン）−１，２−ノルボルナンジアミン］コバルトアセテート、［Ｎ，Ｎ’−ビス（５−エチル−３−イソプロピルサリチリデン）−１，２−ベンゼンジアミン］コバルトアセテート、［Ｎ，Ｎ’−ビス（５−エチル−３−イソプロピルサリチリデン）−１，３−ベンゼンジアミン］コバルトアセテート、［Ｎ，Ｎ’−ビス（５−エチル−３−イソプロピルサリチリデン）−１，４−ベンゼンジアミン］コバルトアセテート、［Ｎ，Ｎ’−ビス（５−エチル−３−イソプロピルサリチリデン）−４−メトキシ−１，２−ベンゼンジアミン］コバルトアセテート、［Ｎ，Ｎ’−ビス（５−エチル−３−イソプロピルサリチリデン）−２，３−ナフタレンジアミン］コバルトアセテート、［Ｎ，Ｎ’−ビス（５−エチル−３−イソプロピルサリチリデン）−１，８−ナフタレンジアミン］コバルトアセテート、
【００７９】
［Ｎ，Ｎ’−ビス（３−イソプロピル−５−ｎ−プロピルサリチリデン）メタンジアミン］コバルトアセテート、［Ｎ，Ｎ’−ビス（３−イソプロピル−５−ｎ−プロピルサリチリデン）−１，２−エタンジアミン］コバルトアセテート、［Ｎ，Ｎ’−ビス（３−イソプロピル−５−ｎ−プロピルサリチリデン）−１，３−プロパンジアミン］コバルトアセテート、［Ｎ，Ｎ’−ビス（３−イソプロピル−５−ｎ−プロピルサリチリデン）−１，２−シクロペンタンジアミン］コバルトアセテート、［Ｎ，Ｎ’−ビス（３−イソプロピル−５−ｎ−プロピルサリチリデン）−１，３−シクロペンタンジアミン］コバルトアセテート、［Ｎ，Ｎ’−ビス（３−イソプロピル−５−ｎ−プロピルサリチリデン）−１，２−シクロヘキサンジアミン］コバルトアセテート、［Ｎ，Ｎ’−ビス（３−イソプロピル−５−ｎ−プロピルサリチリデン）−１，３−シクロヘキサンジアミン］コバルトアセテート、［Ｎ，Ｎ’−ビス（３−イソプロピル−５−ｎ−プロピルサリチリデン）−１，４−シクロヘキサンジアミン］コバルトアセテート、［Ｎ，Ｎ’−ビス（３−イソプロピル−５−ｎ−プロピルサリチリデン）−１，２−ノルボルナンジアミン］コバルトアセテート、［Ｎ，Ｎ’−ビス（３−イソプロピル−５−ｎ−プロピルサリチリデン）−１，２−ベンゼンジアミン］コバルトアセテート、［Ｎ，Ｎ’−ビス（３−イソプロピル−５−ｎ−プロピルサリチリデン）−１，３−ベンゼンジアミン］コバルトアセテート、［Ｎ，Ｎ’−ビス（３−イソプロピル−５−ｎ−プロピルサリチリデン）−１，４−ベンゼンジアミン］コバルトアセテート、［Ｎ，Ｎ’−ビス（３−イソプロピル−５−ｎ−プロピルサリチリデン）−４−メトキシ−１，２−ベンゼンジアミン］コバルトアセテート、［Ｎ，Ｎ’−ビス（３−イソプロピル−５−ｎ−プロピルサリチリデン）−２，３−ナフタレンジアミン］コバルトアセテート、［Ｎ，Ｎ’−ビス（３−イソプロピル−５−ｎ−プロピルサリチリデン）−１，８−ナフタレンジアミン］コバルトアセテート、
【００８０】
［Ｎ，Ｎ’−ビス（５−ｎ−ブチル−３−イソプロピルサリチリデン）メタンジアミン］コバルトアセテート、［Ｎ，Ｎ’−ビス（５−ｎ−ブチル−３−イソプロピルサリチリデン）−１，２−エタンジアミン］コバルトアセテート、［Ｎ，Ｎ’−ビス（５−ｎ−ブチル−３−イソプロピルサリチリデン）−１，３−プロパンジアミン］コバルトアセテート、［Ｎ，Ｎ’−ビス（５−ｎ−ブチル−３−イソプロピルサリチリデン）−１，２−シクロペンタンジアミン］コバルトアセテート、［Ｎ，Ｎ’−ビス（５−ｎ−ブチル−３−イソプロピルサリチリデン）−１，３−シクロペンタンジアミン］コバルトアセテート、［Ｎ，Ｎ’−ビス（５−ｎ−ブチル−３−イソプロピルサリチリデン）−１，２−シクロヘキサンジアミン］コバルトアセテート、［Ｎ，Ｎ’−ビス（５−ｎ−ブチル−３−イソプロピルサリチリデン）−１，３−シクロヘキサンジアミン］コバルトアセテート、［Ｎ，Ｎ’−ビス（５−ｎ−ブチル−３−イソプロピルサリチリデン）−１，４−シクロヘキサンジアミン］コバルトアセテート、［Ｎ，Ｎ’−ビス（５−ｎ−ブチル−３−イソプロピルサリチリデン）−１，２−ノルボルナンジアミン］コバルトアセテート、［Ｎ，Ｎ’−ビス（５−ｎ−ブチル−３−イソプロピルサリチリデン）−１，２−ベンゼンジアミン］コバルトアセテート、［Ｎ，Ｎ’−ビス（５−ｎ−ブチル−３−イソプロピルサリチリデン）−１，３−ベンゼンジアミン］コバルトアセテート、［Ｎ，Ｎ’−ビス（５−ｎ−ブチル−３−イソプロピルサリチリデン）−１，４−ベンゼンジアミン］コバルトアセテート、［Ｎ，Ｎ’−ビス（５−ｎ−ブチル−３−イソプロピルサリチリデン）−４−メトキシ−１，２−ベンゼンジアミン］コバルトアセテート、［Ｎ，Ｎ’−ビス（５−ｎ−ブチル−３−イソプロピルサリチリデン）−２，３−ナフタレンジアミン］コバルトアセテート、［Ｎ，Ｎ’−ビス（５−ｎ−ブチル−３−イソプロピルサリチリデン）−１，８−ナフタレンジアミン］コバルトアセテート、
【００８１】
［Ｎ，Ｎ’−ビス（５−イソブチル−３−イソプロピルサリチリデン）メタンジアミン］コバルトアセテート、［Ｎ，Ｎ’−ビス（５−イソブチル−３−イソプロピルサリチリデン）−１，２−エタンジアミン］コバルトアセテート、［Ｎ，Ｎ’−ビス（５−イソブチル−３−イソプロピルサリチリデン）−１，３−プロパンジアミン］コバルトアセテート、［Ｎ，Ｎ’−ビス（５−イソブチル−３−イソプロピルサリチリデン）−１，２−シクロペンタンジアミン］コバルトアセテート、［Ｎ，Ｎ’−ビス（５−イソブチル−３−イソプロピルサリチリデン）−１，３−シクロペンタンジアミン］コバルトアセテート、［Ｎ，Ｎ’−ビス（５−イソブチル−３−イソプロピルサリチリデン）−１，２−シクロヘキサンジアミン］コバルトアセテート、［Ｎ，Ｎ’−ビス（５−イソブチル−３−イソプロピルサリチリデン）−１，３−シクロヘキサンジアミン］コバルトアセテート、［Ｎ，Ｎ’−ビス（５−イソブチル−３−イソプロピルサリチリデン）−１，４−シクロヘキサンジアミン］コバルトアセテート、［Ｎ，Ｎ’−ビス（５−イソブチル−３−イソプロピルサリチリデン）−１，２−ノルボルナンジアミン］コバルトアセテート、［Ｎ，Ｎ’−ビス（５−イソブチル−３−イソプロピルサリチリデン）−１，２−ベンゼンジアミン］コバルトアセテート、［Ｎ，Ｎ’−ビス（５−イソブチル−３−イソプロピルサリチリデン）−１，３−ベンゼンジアミン］コバルトアセテート、［Ｎ，Ｎ’−ビス（５−イソブチル−３−イソプロピルサリチリデン）−１，４−ベンゼンジアミン］コバルトアセテート、［Ｎ，Ｎ’−ビス（５−イソブチル−３−イソプロピルサリチリデン）−４−メトキシ−１，２−ベンゼンジアミン］コバルトアセテート、［Ｎ，Ｎ’−ビス（５−イソブチル−３−イソプロピルサリチリデン）−２，３−ナフタレンジアミン］コバルトアセテート、［Ｎ，Ｎ’−ビス（５−イソブチル−３−イソプロピルサリチリデン）−１，８−ナフタレンジアミン］コバルトアセテート、
【００８２】
［Ｎ，Ｎ’−ビス（５−ｓｅｃ−ブチル−３−イソプロピルサリチリデン）メタンジアミン］コバルトアセテート、［Ｎ，Ｎ’−ビス（５−ｓｅｃ−ブチル−３−イソプロピルサリチリデン）−１，２−エタンジアミン］コバルトアセテート、［Ｎ，Ｎ’−ビス（５−ｓｅｃ−ブチル−３−イソプロピルサリチリデン）−１，３−プロパンジアミン］コバルトアセテート、［Ｎ，Ｎ’−ビス（５−ｓｅｃ−ブチル−３−イソプロピルサリチリデン）−１，２−シクロペンタンジアミン］コバルトアセテート、［Ｎ，Ｎ’−ビス（５−ｓｅｃ−ブチル−３−イソプロピルサリチリデン）−１，３−シクロペンタンジアミン］コバルトアセテート、［Ｎ，Ｎ’−ビス（５−ｓｅｃ−ブチル−３−イソプロピルサリチリデン）−１，２−シクロヘキサンジアミン］コバルトアセテート、［Ｎ，Ｎ’−ビス（５−ｓｅｃ−ブチル−３−イソプロピルサリチリデン）−１，３−シクロヘキサンジアミン］コバルトアセテート、［Ｎ，Ｎ’−ビス（５−ｓｅｃ−ブチル−３−イソプロピルサリチリデン）−１，４−シクロヘキサンジアミン］コバルトアセテート、［Ｎ，Ｎ’−ビス（５−ｓｅｃ−ブチル−３−イソプロピルサリチリデン）−１，２−ノルボルナンジアミン］コバルトアセテート、［Ｎ，Ｎ’−ビス（５−ｓｅｃ−ブチル−３−イソプロピルサリチリデン）−１，２−ベンゼンジアミン］コバルトアセテート、［Ｎ，Ｎ’−ビス（５−ｓｅｃ−ブチル−３−イソプロピルサリチリデン）−１，３−ベンゼンジアミン］コバルトアセテート、［Ｎ，Ｎ’−ビス（５−ｓｅｃ−ブチル−３−イソプロピルサリチリデン）−１，４−ベンゼンジアミン］コバルトアセテート、［Ｎ，Ｎ’−ビス（５−ｓｅｃ−ブチル−３−イソプロピルサリチリデン）−４−メトキシ−１，２−ベンゼンジアミン］コバルトアセテート、［Ｎ，Ｎ’−ビス（５−ｓｅｃ−ブチル−３−イソプロピルサリチリデン）−２，３−ナフタレンジアミン］コバルトアセテート、［Ｎ，Ｎ’−ビス（５−ｓｅｃ−ブチル−３−イソプロピルサリチリデン）−１，８−ナフタレンジアミン］コバルトアセテート、
【００８３】
［Ｎ，Ｎ’−ビス（５−ｔｅｒｔ−ブチル−３−イソプロピルサリチリデン）メタンジアミン］コバルトアセテート、［Ｎ，Ｎ’−ビス（５−ｔｅｒｔ−ブチル−３−イソプロピルサリチリデン）−１，２−エタンジアミン］コバルトアセテート、［Ｎ，Ｎ’−ビス（５−ｔｅｒｔ−ブチル−３−イソプロピルサリチリデン）−１，３−プロパンジアミン］コバルトアセテート、［Ｎ，Ｎ’−ビス（５−ｔｅｒｔ−ブチル−３−イソプロピルサリチリデン）−１，２−シクロペンタンジアミン］コバルトアセテート、［Ｎ，Ｎ’−ビス（５−ｔｅｒｔ−ブチル−３−イソプロピルサリチリデン）−１，３−シクロペンタンジアミン］コバルトアセテート、［Ｎ，Ｎ’−ビス（５−ｔｅｒｔ−ブチル−３−イソプロピルサリチリデン）−１，２−シクロヘキサンジアミン］コバルトアセテート、［Ｎ，Ｎ’−ビス（５−ｔｅｒｔ−ブチル−３−イソプロピルサリチリデン）−１，３−シクロヘキサンジアミン］コバルトアセテート、［Ｎ，Ｎ’−ビス（５−ｔｅｒｔ−ブチル−３−イソプロピルサリチリデン）−１，４−シクロヘキサンジアミン］コバルトアセテート、［Ｎ，Ｎ’−ビス（５−ｔｅｒｔ−ブチル−３−イソプロピルサリチリデン）−１，２−ノルボルナンジアミン］コバルトアセテート、［Ｎ，Ｎ’−ビス（５−ｔｅｒｔ−ブチル−３−イソプロピルサリチリデン）−１，２−ベンゼンジアミン］コバルトアセテート、［Ｎ，Ｎ’−ビス（５−ｔｅｒｔ−ブチル−３−イソプロピルサリチリデン）−１，３−ベンゼンジアミン］コバルトアセテート、［Ｎ，Ｎ’−ビス（５−ｔｅｒｔ−ブチル−３−イソプロピルサリチリデン）−１，４−ベンゼンジアミン］コバルトアセテート、［Ｎ，Ｎ’−ビス（５−ｔｅｒｔ−ブチル−３−イソプロピルサリチリデン）−４−メトキシ−１，２−ベンゼンジアミン］コバルトアセテート、［Ｎ，Ｎ’−ビス（５−ｔｅｒｔ−ブチル−３−イソプロピルサリチリデン）−２，３−ナフタレンジアミン］コバルトアセテート、［Ｎ，Ｎ’−ビス（５−ｔｅｒｔ−ブチル−３−イソプロピルサリチリデン）−１，８−ナフタレンジアミン］コバルトアセテート、
【００８４】
［Ｎ，Ｎ’−ビス（５−ネオペンチル−３−イソプロピルサリチリデン）メタンジアミン］コバルトアセテート、［Ｎ，Ｎ’−ビス（５−ネオペンチル−３−イソプロピルサリチリデン）−１，２−エタンジアミン］コバルトアセテート、［Ｎ，Ｎ’−ビス（５−ネオペンチル−３−イソプロピルサリチリデン）−１，３−プロパンジアミン］コバルトアセテート、［Ｎ，Ｎ’−ビス（５−ネオペンチル−３−イソプロピルサリチリデン）−１，２−シクロペンタンジアミン］コバルトアセテート、［Ｎ，Ｎ’−ビス（５−ネオペンチル−３−イソプロピルサリチリデン）−１，３−シクロペンタンジアミン］コバルトアセテート、［Ｎ，Ｎ’−ビス（５−ネオペンチル−３−イソプロピルサリチリデン）−１，２−シクロヘキサンジアミン］コバルトアセテート、［Ｎ，Ｎ’−ビス（５−ネオペンチル−３−イソプロピルサリチリデン）−１，３−シクロヘキサンジアミン］コバルトアセテート、［Ｎ，Ｎ’−ビス（５−ネオペンチル−３−イソプロピルサリチリデン）−１，４−シクロヘキサンジアミン］コバルトアセテート、［Ｎ，Ｎ’−ビス（５−ネオペンチル−３−イソプロピルサリチリデン）−１，２−ノルボルナンジアミン］コバルトアセテート、［Ｎ，Ｎ’−ビス（５−ネオペンチル−３−イソプロピルサリチリデン）−１，２−ベンゼンジアミン］コバルトアセテート、［Ｎ，Ｎ’−ビス（５−ネオペンチル−３−イソプロピルサリチリデン）−１，３−ベンゼンジアミン］コバルトアセテート、［Ｎ，Ｎ’−ビス（５−ネオペンチル−３−イソプロピルサリチリデン）−１，４−ベンゼンジアミン］コバルトアセテート、［Ｎ，Ｎ’−ビス（５−ネオペンチル−３−イソプロピルサリチリデン）−４−メトキシ−１，２−ベンゼンジアミン］コバルトアセテート、［Ｎ，Ｎ’−ビス（５−ネオペンチル−３−イソプロピルサリチリデン）−２，３−ナフタレンジアミン］コバルトアセテート、［Ｎ，Ｎ’−ビス（５−ネオペンチル−３−イソプロピルサリチリデン）−１，８−ナフタレンジアミン］コバルトアセテート、
【００８５】
［Ｎ，Ｎ’−ビス（５−イソアミル−３−イソプロピルサリチリデン）メタンジアミン］コバルトアセテート、［Ｎ，Ｎ’−ビス（５−イソアミル−３−イソプロピルサリチリデン）−１，２−エタンジアミン］コバルトアセテート、［Ｎ，Ｎ’−ビス（５−イソアミル−３−イソプロピルサリチリデン）−１，３−プロパンジアミン］コバルトアセテート、［Ｎ，Ｎ’−ビス（５−イソアミル−３−イソプロピルサリチリデン）−１，２−シクロペンタンジアミン］コバルトアセテート、［Ｎ，Ｎ’−ビス（５−イソアミル−３−イソプロピルサリチリデン）−１，３−シクロペンタンジアミン］コバルトアセテート、［Ｎ，Ｎ’−ビス（５−イソアミル−３−イソプロピルサリチリデン）−１，２−シクロヘキサンジアミン］コバルトアセテート、［Ｎ，Ｎ’−ビス（５−イソアミル−３−イソプロピルサリチリデン）−１，３−シクロヘキサンジアミン］コバルトアセテート、［Ｎ，Ｎ’−ビス（５−イソアミル−３−イソプロピルサリチリデン）−１，４−シクロヘキサンジアミン］コバルトアセテート、［Ｎ，Ｎ’−ビス（５−イソアミル−３−イソプロピルサリチリデン）−１，２−ノルボルナンジアミン］コバルトアセテート、［Ｎ，Ｎ’−ビス（５−イソアミル−３−イソプロピルサリチリデン）−１，２−ベンゼンジアミン］コバルトアセテート、［Ｎ，Ｎ’−ビス（５−イソアミル−３−イソプロピルサリチリデン）−１，３−ベンゼンジアミン］コバルトアセテート、［Ｎ，Ｎ’−ビス（５−イソアミル−３−イソプロピルサリチリデン）−１，４−ベンゼンジアミン］コバルトアセテート、［Ｎ，Ｎ’−ビス（５−イソアミル−３−イソプロピルサリチリデン）−４−メトキシ−１，２−ベンゼンジアミン］コバルトアセテート、［Ｎ，Ｎ’−ビス（５−イソアミル−３−イソプロピルサリチリデン）−２，３−ナフタレンジアミン］コバルトアセテート、［Ｎ，Ｎ’−ビス（５−イソアミル−３−イソプロピルサリチリデン）−１，８−ナフタレンジアミン］コバルトアセテート、
【００８６】
［Ｎ，Ｎ’−ビス（５−フェニル−３−イソプロピルサリチリデン）メタンジアミン］コバルトアセテート、［Ｎ，Ｎ’−ビス（５−フェニル−３−イソプロピルサリチリデン）−１，２−エタンジアミン］コバルトアセテート、［Ｎ，Ｎ’−ビス（５−フェニル−３−イソプロピルサリチリデン）−１，３−プロパンジアミン］コバルトアセテート、［Ｎ，Ｎ’−ビス（５−フェニル−３−イソプロピルサリチリデン）−１，２−シクロペンタンジアミン］コバルトアセテート、［Ｎ，Ｎ’−ビス（５−フェニル−３−イソプロピルサリチリデン）−１，３−シクロペンタンジアミン］コバルトアセテート、［Ｎ，Ｎ’−ビス（５−フェニル−３−イソプロピルサリチリデン）−１，２−シクロヘキサンジアミン］コバルトアセテート、［Ｎ，Ｎ’−ビス（５−フェニル−３−イソプロピルサリチリデン）−１，３−シクロヘキサンジアミン］コバルトアセテート、［Ｎ，Ｎ’−ビス（５−フェニル−３−イソプロピルサリチリデン）−１，４−シクロヘキサンジアミン］コバルトアセテート、［Ｎ，Ｎ’−ビス（５−フェニル−３−イソプロピルサリチリデン）−１，２−ノルボルナンジアミン］コバルトアセテート、［Ｎ，Ｎ’−ビス（５−フェニル−３−イソプロピルサリチリデン）−１，２−ベンゼンジアミン］コバルトアセテート、［Ｎ，Ｎ’−ビス（５−フェニル−３−イソプロピルサリチリデン）−１，３−ベンゼンジアミン］コバルトアセテート、［Ｎ，Ｎ’−ビス（５−フェニル−３−イソプロピルサリチリデン）−１，４−ベンゼンジアミン］コバルトアセテート、［Ｎ，Ｎ’−ビス（５−フェニル−３−イソプロピルサリチリデン）−４−メトキシ−１，２−ベンゼンジアミン］コバルトアセテート、［Ｎ，Ｎ’−ビス（５−フェニル−３−イソプロピルサリチリデン）−２，３−ナフタレンジアミン］コバルトアセテート、［Ｎ，Ｎ’−ビス（５−フェニル−３−イソプロピルサリチリデン）−１，８−ナフタレンジアミン］コバルトアセテート、
【００８７】
［Ｎ，Ｎ’−ビス（５−トリフルオロメチル−３−イソプロピルサリチリデン）メタンジアミン］コバルトアセテート、［Ｎ，Ｎ’−ビス（５−トリフルオロメチル−３−イソプロピルサリチリデン）−１，２−エタンジアミン］コバルトアセテート、［Ｎ，Ｎ’−ビス（５−トリフルオロメチル−３−イソプロピルサリチリデン）−１，３−プロパンジアミン］コバルトアセテート、［Ｎ，Ｎ’−ビス（５−トリフルオロメチル−３−イソプロピルサリチリデン）−１，２−シクロペンタンジアミン］コバルトアセテート、［Ｎ，Ｎ’−ビス（５−トリフルオロメチル−３−イソプロピルサリチリデン）−１，３−シクロペンタンジアミン］コバルトアセテート、［Ｎ，Ｎ’−ビス（５−トリフルオロメチル−３−イソプロピルサリチリデン）−１，２−シクロヘキサンジアミン］コバルトアセテート、［Ｎ，Ｎ’−ビス（５−トリフルオロメチル−３−イソプロピルサリチリデン）−１，３−シクロヘキサンジアミン］コバルトアセテート、［Ｎ，Ｎ’−ビス（５−トリフルオロメチル−３−イソプロピルサリチリデン）−１，４−シクロヘキサンジアミン］コバルトアセテート、［Ｎ，Ｎ’−ビス（５−トリフルオロメチル−３−イソプロピルサリチリデン）−１，２−ノルボルナンジアミン］コバルトアセテート、［Ｎ，Ｎ’−ビス（５−トリフルオロメチル−３−イソプロピルサリチリデン）−１，２−ベンゼンジアミン］コバルトアセテート、［Ｎ，Ｎ’−ビス（５−トリフルオロメチル−３−イソプロピルサリチリデン）−１，３−ベンゼンジアミン］コバルトアセテート、［Ｎ，Ｎ’−ビス（５−トリフルオロメチル−３−イソプロピルサリチリデン）−１，４−ベンゼンジアミン］コバルトアセテート、［Ｎ，Ｎ’−ビス（５−トリフルオロメチル−３−イソプロピルサリチリデン）−４−メトキシ−１，２−ベンゼンジアミン］コバルトアセテート、［Ｎ，Ｎ’−ビス（５−トリフルオロメチル−３−イソプロピルサリチリデン）−２，３−ナフタレンジアミン］コバルトアセテート、［Ｎ，Ｎ’−ビス（５−トリフルオロメチル−３−イソプロピルサリチリデン）−１，８−ナフタレンジアミン］コバルトアセテート、
【００８８】
［Ｎ，Ｎ’−ビス（３−イソプロピル−５−トリメチルシリルサリチリデン）メタンジアミン］コバルトアセテート、［Ｎ，Ｎ’−ビス（３−イソプロピル−５−トリメチルシリルサリチリデン）−１，２−エタンジアミン］コバルトアセテート、［Ｎ，Ｎ’−ビス（３−イソプロピル−５−トリメチルシリルサリチリデン）−１，３−プロパンジアミン］コバルトアセテート、［Ｎ，Ｎ’−ビス（３−イソプロピル−５−トリメチルシリルサリチリデン）−１，２−シクロペンタンジアミン］コバルトアセテート、［Ｎ，Ｎ’−ビス（３−イソプロピル−５−トリメチルシリルサリチリデン）−１，３−シクロペンタンジアミン］コバルトアセテート、［Ｎ，Ｎ’−ビス（３−イソプロピル−５−トリメチルシリルサリチリデン）−１，２−シクロヘキサンジアミン］コバルトアセテート、［Ｎ，Ｎ’−ビス（３−イソプロピル−５−トリメチルシリルサリチリデン）−１，３−シクロヘキサンジアミン］コバルトアセテート、［Ｎ，Ｎ’−ビス（３−イソプロピル−５−トリメチルシリルサリチリデン）−１，４−シクロヘキサンジアミン］コバルトアセテート、［Ｎ，Ｎ’−ビス（３−イソプロピル−５−トリメチルシリルサリチリデン）−１，２−ノルボルナンジアミン］コバルトアセテート、［Ｎ，Ｎ’−ビス（３−イソプロピル−５−トリメチルシリルサリチリデン）−１，２−ベンゼンジアミン］コバルトアセテート、［Ｎ，Ｎ’−ビス（３−イソプロピル−５−トリメチルシリルサリチリデン）−１，３−ベンゼンジアミン］コバルトアセテート、［Ｎ，Ｎ’−ビス（３−イソプロピル−５−トリメチルシリルサリチリデン）−１，４−ベンゼンジアミン］コバルトアセテート、［Ｎ，Ｎ’−ビス（３−イソプロピル−５−トリメチルシリルサリチリデン）−４−メトキシ−１，２−ベンゼンジアミン］コバルトアセテート、［Ｎ，Ｎ’−ビス（３−イソプロピル−５−トリメチルシリルサリチリデン）−２，３−ナフタレンジアミン］コバルトアセテート、［Ｎ，Ｎ’−ビス（３−イソプロピル−５−トリメチルシリルサリチリデン）−１，８−ナフタレンジアミン］コバルトアセテート、ならびに、これら化合物の「アセテート」を「プロピオネート」、「ｎ−ブチレート」、「イソブチレート」、「ｎ−ペンチレート」、「イソペンチレート」、「ｓｅｃ−ペンチレート」、「ｔｅｒｔ−ペンチレート」、「トリフルオロアセテート」、「ベンゾエート」、「フルオライド」、「クロライド」、「ブロマイド」、「アイオダイド」、「メトキシド」、「エトキシド」、「イソプロポキシド」、「ｔｅｒｔ−ブトキシド」、「フェノキシド」、「ペンタフルオロフェノキシド」、「ベンジルオキシド」、「ジメチルアミド」、「ジエチルアミド」、「ヒドロキシド」または「シアニド」に置き換えた化合物等を例示することができる。
【００８９】
式（３）で表されるコバルト錯体として又、［Ｎ，Ｎ’−ビス（３−ｔｅｒｔ−ブチル−５−メチルサリチリデン）メタンジアミン］コバルトアセテート、［Ｎ，Ｎ’−ビス（３−ｔｅｒｔ−ブチル−５−メチルサリチリデン）−１，２−エタンジアミン］コバルトアセテート、［Ｎ，Ｎ’−ビス（３−ｔｅｒｔ−ブチル−５−メチルサリチリデン）−１，３−プロパンジアミン］コバルトアセテート、［Ｎ，Ｎ’−ビス（３−ｔｅｒｔ−ブチル−５−メチルサリチリデン）−１，２−シクロペンタンジアミン］コバルトアセテート、［Ｎ，Ｎ’−ビス（３−ｔｅｒｔ−ブチル−５−メチルサリチリデン）−１，３−シクロペンタンジアミン］コバルトアセテート、［Ｎ，Ｎ’−ビス（３−ｔｅｒｔ−ブチル−５−メチルサリチリデン）−１，２−シクロヘキサンジアミン］コバルトアセテート、［Ｎ，Ｎ’−ビス（３−ｔｅｒｔ−ブチル−５−メチルサリチリデン）−１，３−シクロヘキサンジアミン］コバルトアセテート、［Ｎ，Ｎ’−ビス（３−ｔｅｒｔ−ブチル−５−メチルサリチリデン）−１，４−シクロヘキサンジアミン］コバルトアセテート、［Ｎ，Ｎ’−ビス（３−ｔｅｒｔ−ブチル−５−メチルサリチリデン）−１，２−ノルボルナンジアミン］コバルトアセテート、［Ｎ，Ｎ’−ビス（３−ｔｅｒｔ−ブチル−５−メチルサリチリデン）−１，２−ベンゼンジアミン］コバルトアセテート、［Ｎ，Ｎ’−ビス（３−ｔｅｒｔ−ブチル−５−メチルサリチリデン）−１，３−ベンゼンジアミン］コバルトアセテート、［Ｎ，Ｎ’−ビス（３−ｔｅｒｔ−ブチル−５−メチルサリチリデン）−１，４−ベンゼンジアミン］コバルトアセテート、［Ｎ，Ｎ’−ビス（３−ｔｅｒｔ−ブチル−５−メチルサリチリデン）−４−メトキシ−１，２−ベンゼンジアミン］コバルトアセテート、［Ｎ，Ｎ’−ビス（３−ｔｅｒｔ−ブチル−５−メチルサリチリデン）−２，３−ナフタレンジアミン］コバルトアセテート、［Ｎ，Ｎ’−ビス（３−ｔｅｒｔ−ブチル−５−メチルサリチリデン）−１，８−ナフタレンジアミン］コバルトアセテート、
【００９０】
［Ｎ，Ｎ’−ビス（３−ｔｅｒｔ−ブチル−５−エチルサリチリデン）メタンジアミン］コバルトアセテート、［Ｎ，Ｎ’−ビス（３−ｔｅｒｔ−ブチル−５−エチルサリチリデン）−１，２−エタンジアミン］コバルトアセテート、［Ｎ，Ｎ’−ビス（３−ｔｅｒｔ−ブチル−５−エチルサリチリデン）−１，３−プロパンジアミン］コバルトアセテート、［Ｎ，Ｎ’−ビス（３−ｔｅｒｔ−ブチル−５−エチルサリチリデン）−１，２−シクロペンタンジアミン］コバルトアセテート、［Ｎ，Ｎ’−ビス（３−ｔｅｒｔ−ブチル−５−エチルサリチリデン）−１，３−シクロペンタンジアミン］コバルトアセテート、［Ｎ，Ｎ’−ビス（３−ｔｅｒｔ−ブチル−５−エチルサリチリデン）−１，２−シクロヘキサンジアミン］コバルトアセテート、［Ｎ，Ｎ’−ビス（３−ｔｅｒｔ−ブチル−５−エチルサリチリデン）−１，３−シクロヘキサンジアミン］コバルトアセテート、［Ｎ，Ｎ’−ビス（３−ｔｅｒｔ−ブチル−５−エチルサリチリデン）−１，４−シクロヘキサンジアミン］コバルトアセテート、［Ｎ，Ｎ’−ビス（３−ｔｅｒｔ−ブチル−５−エチルサリチリデン）−１，２−ノルボルナンジアミン］コバルトアセテート、［Ｎ，Ｎ’−ビス（３−ｔｅｒｔ−ブチル−５−エチルサリチリデン）−１，２−ベンゼンジアミン］コバルトアセテート、［Ｎ，Ｎ’−ビス（３−ｔｅｒｔ−ブチル−５−エチルサリチリデン）−１，３−ベンゼンジアミン］コバルトアセテート、［Ｎ，Ｎ’−ビス（３−ｔｅｒｔ−ブチル−５−エチルサリチリデン）−１，４−ベンゼンジアミン］コバルトアセテート、［Ｎ，Ｎ’−ビス（３−ｔｅｒｔ−ブチル−５−エチルサリチリデン）−４−メトキシ−１，２−ベンゼンジアミン］コバルトアセテート、［Ｎ，Ｎ’−ビス（３−ｔｅｒｔ−ブチル−５−エチルサリチリデン）−２，３−ナフタレンジアミン］コバルトアセテート、［Ｎ，Ｎ’−ビス（３−ｔｅｒｔ−ブチル−５−エチルサリチリデン）−１，８−ナフタレンジアミン］コバルトアセテート、
【００９１】
［Ｎ，Ｎ’−ビス（３−ｔｅｒｔ−ブチル−５−ｎ−プロピルサリチリデン）メタンジアミン］コバルトアセテート、［Ｎ，Ｎ’−ビス（３−ｔｅｒｔ−ブチル−５−ｎ−プロピルサリチリデン）−１，２−エタンジアミン］コバルトアセテート、［Ｎ，Ｎ’−ビス（３−ｔｅｒｔ−ブチル−５−ｎ−プロピルサリチリデン）−１，３−プロパンジアミン］コバルトアセテート、［Ｎ，Ｎ’−ビス（３−ｔｅｒｔ−ブチル−５−ｎ−プロピルサリチリデン）−１，２−シクロペンタンジアミン］コバルトアセテート、［Ｎ，Ｎ’−ビス（３−ｔｅｒｔ−ブチル−５−ｎ−プロピルサリチリデン）−１，３−シクロペンタンジアミン］コバルトアセテート、［Ｎ，Ｎ’−ビス（３−ｔｅｒｔ−ブチル−５−ｎ−プロピルサリチリデン）−１，２−シクロヘキサンジアミン］コバルトアセテート、［Ｎ，Ｎ’−ビス（３−ｔｅｒｔ−ブチル−５−ｎ−プロピルサリチリデン）−１，３−シクロヘキサンジアミン］コバルトアセテート、［Ｎ，Ｎ’−ビス（３−ｔｅｒｔ−ブチル−５−ｎ−プロピルサリチリデン）−１，４−シクロヘキサンジアミン］コバルトアセテート、［Ｎ，Ｎ’−ビス（３−ｔｅｒｔ−ブチル−５−ｎ−プロピルサリチリデン）−１，２−ノルボルナンジアミン］コバルトアセテート、［Ｎ，Ｎ’−ビス（３−ｔｅｒｔ−ブチル−５−ｎ−プロピルサリチリデン）−１，２−ベンゼンジアミン］コバルトアセテート、［Ｎ，Ｎ’−ビス（３−ｔｅｒｔ−ブチル−５−ｎ−プロピルサリチリデン）−１，３−ベンゼンジアミン］コバルトアセテート、［Ｎ，Ｎ’−ビス（３−ｔｅｒｔ−ブチル−５−ｎ−プロピルサリチリデン）−１，４−ベンゼンジアミン］コバルトアセテート、［Ｎ，Ｎ’−ビス（３−ｔｅｒｔ−ブチル−５−ｎ−プロピルサリチリデン）−４−メトキシ−１，２−ベンゼンジアミン］コバルトアセテート、［Ｎ，Ｎ’−ビス（３−ｔｅｒｔ−ブチル−５−ｎ−プロピルサリチリデン）−２，３−ナフタレンジアミン］コバルトアセテート、［Ｎ，Ｎ’−ビス（３−ｔｅｒｔ−ブチル−５−ｎ−プロピルサリチリデン）−１，８−ナフタレンジアミン］コバルトアセテート、
【００９２】
［Ｎ，Ｎ’−ビス（３−ｔｅｒｔ−ブチル−５−イソプロピルサリチリデン）メタンジアミン］コバルトアセテート、［Ｎ，Ｎ’−ビス（３−ｔｅｒｔ−ブチル−５−イソプロピルサリチリデン）−１，２−エタンジアミン］コバルトアセテート、［Ｎ，Ｎ’−ビス（３−ｔｅｒｔ−ブチル−５−イソプロピルサリチリデン）−１，３−プロパンジアミン］コバルトアセテート、［Ｎ，Ｎ’−ビス（３−ｔｅｒｔ−ブチル−５−イソプロピルサリチリデン）−１，２−シクロペンタンジアミン］コバルトアセテート、［Ｎ，Ｎ’−ビス（３−ｔｅｒｔ−ブチル−５−イソプロピルサリチリデン）−１，３−シクロペンタンジアミン］コバルトアセテート、［Ｎ，Ｎ’−ビス（３−ｔｅｒｔ−ブチル−５−イソプロピルサリチリデン）−１，２−シクロヘキサンジアミン］コバルトアセテート、［Ｎ，Ｎ’−ビス（３−ｔｅｒｔ−ブチル−５−イソプロピルサリチリデン）−１，３−シクロヘキサンジアミン］コバルトアセテート、［Ｎ，Ｎ’−ビス（３−ｔｅｒｔ−ブチル−５−イソプロピルサリチリデン）−１，４−シクロヘキサンジアミン］コバルトアセテート、［Ｎ，Ｎ’−ビス（３−ｔｅｒｔ−ブチル−５−イソプロピルサリチリデン）−１，２−ノルボルナンジアミン］コバルトアセテート、［Ｎ，Ｎ’−ビス（３−ｔｅｒｔ−ブチル−５−イソプロピルサリチリデン）−１，２−ベンゼンジアミン］コバルトアセテート、［Ｎ，Ｎ’−ビス（３−ｔｅｒｔ−ブチル−５−イソプロピルサリチリデン）−１，３−ベンゼンジアミン］コバルトアセテート、［Ｎ，Ｎ’−ビス（３−ｔｅｒｔ−ブチル−５−イソプロピルサリチリデン）−１，４−ベンゼンジアミン］コバルトアセテート、［Ｎ，Ｎ’−ビス（３−ｔｅｒｔ−ブチル−５−イソプロピルサリチリデン）−４−メトキシ−１，２−ベンゼンジアミン］コバルトアセテート、［Ｎ，Ｎ’−ビス（３−ｔｅｒｔ−ブチル−５−イソプロピルサリチリデン）−２，３−ナフタレンジアミン］コバルトアセテート、［Ｎ，Ｎ’−ビス（３−ｔｅｒｔ−ブチル−５−イソプロピルサリチリデン）−１，８−ナフタレンジアミン］コバルトアセテート、
【００９３】
［Ｎ，Ｎ’−ビス（５−ｎ−ブチル−３−ｔｅｒｔ−ブチルサリチリデン）メタンジアミン］コバルトアセテート、［Ｎ，Ｎ’−ビス（５−ｎ−ブチル−３−ｔｅｒｔ−ブチルサリチリデン）−１，２−エタンジアミン］コバルトアセテート、［Ｎ，Ｎ’−ビス（５−ｎ−ブチル−３−ｔｅｒｔ−ブチルサリチリデン）−１，３−プロパンジアミン］コバルトアセテート、［Ｎ，Ｎ’−ビス（５−ｎ−ブチル−３−ｔｅｒｔ−ブチルサリチリデン）−１，２−シクロペンタンジアミン］コバルトアセテート、［Ｎ，Ｎ’−ビス（５−ｎ−ブチル−３−ｔｅｒｔ−ブチルサリチリデン）−１，３−シクロペンタンジアミン］コバルトアセテート、［Ｎ，Ｎ’−ビス（５−ｎ−ブチル−３−ｔｅｒｔ−ブチルサリチリデン）−１，２−シクロヘキサンジアミン］コバルトアセテート、［Ｎ，Ｎ’−ビス（５−ｎ−ブチル−３−ｔｅｒｔ−ブチルサリチリデン）−１，３−シクロヘキサンジアミン］コバルトアセテート、［Ｎ，Ｎ’−ビス（５−ｎ−ブチル−３−ｔｅｒｔ−ブチルサリチリデン）−１，４−シクロヘキサンジアミン］コバルトアセテート、［Ｎ，Ｎ’−ビス（５−ｎ−ブチル−３−ｔｅｒｔ−ブチルサリチリデン）−１，２−ノルボルナンジアミン］コバルトアセテート、［Ｎ，Ｎ’−ビス（５−ｎ−ブチル−３−ｔｅｒｔ−ブチルサリチリデン）−１，２−ベンゼンジアミン］コバルトアセテート、［Ｎ，Ｎ’−ビス（５−ｎ−ブチル−３−ｔｅｒｔ−ブチルサリチリデン）−１，３−ベンゼンジアミン］コバルトアセテート、［Ｎ，Ｎ’−ビス（５−ｎ−ブチル−３−ｔｅｒｔ−ブチルサリチリデン）−１，４−ベンゼンジアミン］コバルトアセテート、［Ｎ，Ｎ’−ビス（５−ｎ−ブチル−３−ｔｅｒｔ−ブチルサリチリデン）−４−メトキシ−１，２−ベンゼンジアミン］コバルトアセテート、［Ｎ，Ｎ’−ビス（５−ｎ−ブチル−３−ｔｅｒｔ−ブチルサリチリデン）−２，３−ナフタレンジアミン］コバルトアセテート、［Ｎ，Ｎ’−ビス（５−ｎ−ブチル−３−ｔｅｒｔ−ブチルサリチリデン）−１，８−ナフタレンジアミン］コバルトアセテート、
【００９４】
［Ｎ，Ｎ’−ビス（５−イソブチル−３−ｔｅｒｔ−ブチルサリチリデン）メタンジアミン］コバルトアセテート、［Ｎ，Ｎ’−ビス（５−イソブチル−３−ｔｅｒｔ−ブチルサリチリデン）−１，２−エタンジアミン］コバルトアセテート、［Ｎ，Ｎ’−ビス（５−イソブチル−３−ｔｅｒｔ−ブチルサリチリデン）−１，３−プロパンジアミン］コバルトアセテート、［Ｎ，Ｎ’−ビス（５−イソブチル−３−ｔｅｒｔ−ブチルサリチリデン）−１，２−シクロペンタンジアミン］コバルトアセテート、［Ｎ，Ｎ’−ビス（５−イソブチル−３−ｔｅｒｔ−ブチルサリチリデン）−１，３−シクロペンタンジアミン］コバルトアセテート、［Ｎ，Ｎ’−ビス（５−イソブチル−３−ｔｅｒｔ−ブチルサリチリデン）−１，２−シクロヘキサンジアミン］コバルトアセテート、［Ｎ，Ｎ’−ビス（５−イソブチル−３−ｔｅｒｔ−ブチルサリチリデン）−１，３−シクロヘキサンジアミン］コバルトアセテート、［Ｎ，Ｎ’−ビス（５−イソブチル−３−ｔｅｒｔ−ブチルサリチリデン）−１，４−シクロヘキサンジアミン］コバルトアセテート、［Ｎ，Ｎ’−ビス（５−イソブチル−３−ｔｅｒｔ−ブチルサリチリデン）−１，２−ノルボルナンジアミン］コバルトアセテート、［Ｎ，Ｎ’−ビス（５−イソブチル−３−ｔｅｒｔ−ブチルサリチリデン）−１，２−ベンゼンジアミン］コバルトアセテート、［Ｎ，Ｎ’−ビス（５−イソブチル−３−ｔｅｒｔ−ブチルサリチリデン）−１，３−ベンゼンジアミン］コバルトアセテート、［Ｎ，Ｎ’−ビス（５−イソブチル−３−ｔｅｒｔ−ブチルサリチリデン）−１，４−ベンゼンジアミン］コバルトアセテート、［Ｎ，Ｎ’−ビス（５−イソブチル−３−ｔｅｒｔ−ブチルサリチリデン）−４−メトキシ−１，２−ベンゼンジアミン］コバルトアセテート、［Ｎ，Ｎ’−ビス（５−イソブチル−３−ｔｅｒｔ−ブチルサリチリデン）−２，３−ナフタレンジアミン］コバルトアセテート、［Ｎ，Ｎ’−ビス（５−イソブチル−３−ｔｅｒｔ−ブチルサリチリデン）−１，８−ナフタレンジアミン］コバルトアセテート、
【００９５】
［Ｎ，Ｎ’−ビス（５−ｓｅｃ−ブチル−３−ｔｅｒｔ−ブチルサリチリデン）メタンジアミン］コバルトアセテート、［Ｎ，Ｎ’−ビス（５−ｓｅｃ−ブチル−３−ｔｅｒｔ−ブチルサリチリデン）−１，２−エタンジアミン］コバルトアセテート、［Ｎ，Ｎ’−ビス（５−ｓｅｃ−ブチル−３−ｔｅｒｔ−ブチルサリチリデン）−１，３−プロパンジアミン］コバルトアセテート、［Ｎ，Ｎ’−ビス（５−ｓｅｃ−ブチル−３−ｔｅｒｔ−ブチルサリチリデン）−１，２−シクロペンタンジアミン］コバルトアセテート、［Ｎ，Ｎ’−ビス（５−ｓｅｃ−ブチル−３−ｔｅｒｔ−ブチルサリチリデン）−１，３−シクロペンタンジアミン］コバルトアセテート、［Ｎ，Ｎ’−ビス（５−ｓｅｃ−ブチル−３−ｔｅｒｔ−ブチルサリチリデン）−１，２−シクロヘキサンジアミン］コバルトアセテート、［Ｎ，Ｎ’−ビス（５−ｓｅｃ−ブチル−３−ｔｅｒｔ−ブチルサリチリデン）−１，３−シクロヘキサンジアミン］コバルトアセテート、［Ｎ，Ｎ’−ビス（５−ｓｅｃ−ブチル−３−ｔｅｒｔ−ブチルサリチリデンン）−１，４−シクロヘキサンジアミン］コバルトアセテート、［Ｎ，Ｎ’−ビス（５−ｓｅｃ−ブチル−３−ｔｅｒｔ−ブチルサリチリデン）−１，２−ノルボルナンジアミン］コバルトアセテート、［Ｎ，Ｎ’−ビス（５−ｓｅｃ−ブチル−３−ｔｅｒｔ−ブチルサリチリデン）−１，２−ベンゼンジアミン］コバルトアセテート、［Ｎ，Ｎ’−ビス（５−ｓｅｃ−ブチル−３−ｔｅｒｔ−ブチルサリチリデン）−１，３−ベンゼンジアミン］コバルトアセテート、［Ｎ，Ｎ’−ビス（５−ｓｅｃ−ブチル−３−ｔｅｒｔ−ブチルサリチリデン）−１，４−ベンゼンジアミン］コバルトアセテート、［Ｎ，Ｎ’−ビス（５−ｓｅｃ−ブチル−３−ｔｅｒｔ−ブチルサリチリデン）−４−メトキシ−１，２−ベンゼンジアミン］コバルトアセテート、［Ｎ，Ｎ’−ビス（５−ｓｅｃ−ブチル−３−ｔｅｒｔ−ブチルサリチリデン）−２，３−ナフタレンジアミン］コバルトアセテート、［Ｎ，Ｎ’−ビス（５−ｓｅｃ−ブチル−３−ｔｅｒｔ−ブチルサリチリデン）−１，８−ナフタレンジアミン］コバルトアセテート、
【００９６】
［Ｎ，Ｎ’−ビス（３−ｔｅｒｔ−ブチル−５−ネオペンチルサリチリデン）メタンジアミン］コバルトアセテート、［Ｎ，Ｎ’−ビス（３−ｔｅｒｔ−ブチル−５−ネオペンチルサリチリデン）−１，２−エタンジアミン］コバルトアセテート、［Ｎ，Ｎ’−ビス（３−ｔｅｒｔ−ブチル−５−ネオペンチルサリチリデン）−１，３−プロパンジアミン］コバルトアセテート、［Ｎ，Ｎ’−ビス（３−ｔｅｒｔ−ブチル−５−ネオペンチルサリチリデン）−１，２−シクロペンタンジアミン］コバルトアセテート、［Ｎ，Ｎ’−ビス（３−ｔｅｒｔ−ブチル−５−ネオペンチルサリチリデン）−１，３−シクロペンタンジアミン］コバルトアセテート、［Ｎ，Ｎ’−ビス（３−ｔｅｒｔ−ブチル−５−ネオペンチルサリチリデン）−１，２−シクロヘキサンジアミン］コバルトアセテート、［Ｎ，Ｎ’−ビス（３−ｔｅｒｔ−ブチル−５−ネオペンチルサリチリデン）−１，３−シクロヘキサンジアミン］コバルトアセテート、［Ｎ，Ｎ’−ビス（３−ｔｅｒｔ−ブチル−５−ネオペンチルサリチリデン）−１，４−シクロヘキサンジアミン］コバルトアセテート、［Ｎ，Ｎ’−ビス（３−ｔｅｒｔ−ブチル−５−ネオペンチルサリチリデン）−１，２−ノルボルナンジアミン］コバルトアセテート、［Ｎ，Ｎ’−ビス（３−ｔｅｒｔ−ブチル−５−ネオペンチルサリチリデン）−１，２−ベンゼンジアミン］コバルトアセテート、［Ｎ，Ｎ’−ビス（３−ｔｅｒｔ−ブチル−５−ネオペンチルサリチリデン）−１，３−ベンゼンジアミン］コバルトアセテート、［Ｎ，Ｎ’−ビス（３−ｔｅｒｔ−ブチル−５−ネオペンチルサリチリデン）−１，４−ベンゼンジアミン］コバルトアセテート、［Ｎ，Ｎ’−ビス（３−ｔｅｒｔ−ブチル−５−ネオペンチルサリチリデン）−４−メトキシ−１，２−ベンゼンジアミン］コバルトアセテート、［Ｎ，Ｎ’−ビス（３−ｔｅｒｔ−ブチル−５−ネオペンチルサリチリデン）−２，３−ナフタレンジアミン］コバルトアセテート、［Ｎ，Ｎ’−ビス（３−ｔｅｒｔ−ブチル−５−ネオペンチルサリチリデン）−１，８−ナフタレンジアミン］コバルトアセテート、
【００９７】
［Ｎ，Ｎ’−ビス（５−イソアミル３−ｔｅｒｔ−ブチルサリチリデン）メタンジアミン］コバルトアセテート、［Ｎ，Ｎ’−ビス（５−イソアミル３−ｔｅｒｔ−ブチルサリチリデン）−１，２−エタンジアミン］コバルトアセテート、［Ｎ，Ｎ’−ビス（５−イソアミル３−ｔｅｒｔ−ブチルサリチリデン）−１，３−プロパンジアミン］コバルトアセテート、［Ｎ，Ｎ’−ビス（５−イソアミル３−ｔｅｒｔ−ブチルサリチリデン）−１，２−シクロペンタンジアミン］コバルトアセテート、［Ｎ，Ｎ’−ビス（５−イソアミル３−ｔｅｒｔ−ブチルサリチリデン）−１，３−シクロペンタンジアミン］コバルトアセテート、［Ｎ，Ｎ’−ビス（５−イソアミル３−ｔｅｒｔ−ブチルサリチリデン）−１，２−シクロヘキサンジアミン］コバルトアセテート、［Ｎ，Ｎ’−ビス（５−イソアミル３−ｔｅｒｔ−ブチルサリチリデン）−１，３−シクロヘキサンジアミン］コバルトアセテート、［Ｎ，Ｎ’−ビス（５−イソアミル３−ｔｅｒｔ−ブチルサリチリデン）−１，４−シクロヘキサンジアミン］コバルトアセテート、［Ｎ，Ｎ’−ビス（５−イソアミル３−ｔｅｒｔ−ブチルサリチリデン）−１，２−ノルボルナンジアミン］コバルトアセテート、［Ｎ，Ｎ’−ビス（５−イソアミル３−ｔｅｒｔ−ブチルサリチリデン）−１，２−ベンゼンジアミン］コバルトアセテート、［Ｎ，Ｎ’−ビス（５−イソアミル３−ｔｅｒｔ−ブチルサリチリデン）−１，３−ベンゼンジアミン］コバルトアセテート、［Ｎ，Ｎ’−ビス（５−イソアミル３−ｔｅｒｔ−ブチルサリチリデン）−１，４−ベンゼンジアミン］コバルトアセテート、［Ｎ，Ｎ’−ビス（５−イソアミル３−ｔｅｒｔ−ブチルサリチリデン）−４−メトキシ−１，２−ベンゼンジアミン］コバルトアセテート、［Ｎ，Ｎ’−ビス（５−イソアミル３−ｔｅｒｔ−ブチルサリチリデン）−２，３−ナフタレンジアミン］コバルトアセテート、［Ｎ，Ｎ’−ビス（５−イソアミル３−ｔｅｒｔ−ブチルサリチリデン）−１，８−ナフタレンジアミン］コバルトアセテート、
【００９８】
［Ｎ，Ｎ’−ビス（３−ｔｅｒｔ−ブチル−５−フェニルサリチリデン）メタンジアミン］コバルトアセテート、［Ｎ，Ｎ’−ビス（３−ｔｅｒｔ−ブチル−５−フェニルサリチリデン）−１，２−エタンジアミン］コバルトアセテート、［Ｎ，Ｎ’−ビス（３−ｔｅｒｔ−ブチル−５−フェニルサリチリデン）−１，３−プロパンジアミン］コバルトアセテート、［Ｎ，Ｎ’−ビス（３−ｔｅｒｔ−ブチル−５−フェニルサリチリデン）−１，２−シクロペンタンジアミン］コバルトアセテート、［Ｎ，Ｎ’−ビス（３−ｔｅｒｔ−ブチル−５−フェニルサリチリデン）−１，３−シクロペンタンジアミン］コバルトアセテート、［Ｎ，Ｎ’−ビス（３−ｔｅｒｔ−ブチル−５−フェニルサリチリデン）−１，２−シクロヘキサンジアミン］コバルトアセテート、［Ｎ，Ｎ’−ビス（３−ｔｅｒｔ−ブチル−５−フェニルサリチリデン）−１，３−シクロヘキサンジアミン］コバルトアセテート、［Ｎ，Ｎ’−ビス（３−ｔｅｒｔ−ブチル−５−フェニルサリチリデン）−１，４−シクロヘキサンジアミン］コバルトアセテート、［Ｎ，Ｎ’−ビス（３−ｔｅｒｔ−ブチル−５−フェニルサリチリデン）−１，２−ノルボルナンジアミン］コバルトアセテート、［Ｎ，Ｎ’−ビス（３−ｔｅｒｔ−ブチル−５−フェニルサリチリデン）−１，２−ベンゼンジアミン］コバルトアセテート、［Ｎ，Ｎ’−ビス（３−ｔｅｒｔ−ブチル−５−フェニルサリチリデン）−１，３−ベンゼンジアミン］コバルトアセテート、［Ｎ，Ｎ’−ビス（３−ｔｅｒｔ−ブチル−５−フェニルサリチリデン）−１，４−ベンゼンジアミン］コバルトアセテート、［Ｎ，Ｎ’−ビス（３−ｔｅｒｔ−ブチル−５−フェニルサリチリデン）−４−メトキシ−１，２−ベンゼンジアミン］コバルトアセテート、［Ｎ，Ｎ’−ビス（３−ｔｅｒｔ−ブチル−５−フェニルサリチリデン）−２，３−ナフタレンジアミン］コバルトアセテート、［Ｎ，Ｎ’−ビス（３−ｔｅｒｔ−ブチル−５−フェニルサリチリデン）−１，８−ナフタレンジアミン］コバルトアセテート、
【００９９】
［Ｎ，Ｎ’−ビス（３−ｔｅｒｔ−ブチル−５−トリフルオロメチルサリチリデン）メタンジアミン］コバルトアセテート、［Ｎ，Ｎ’−ビス（３−ｔｅｒｔ−ブチル−５−トリフルオロメチルサリチリデン）−１，２−エタンジアミン］コバルトアセテート、［Ｎ，Ｎ’−ビス（３−ｔｅｒｔ−ブチル−５−トリフルオロメチルサリチリデン）−１，３−プロパンジアミン］コバルトアセテート、［Ｎ，Ｎ’−ビス（３−ｔｅｒｔ−ブチル−５−トリフルオロメチルサリチリデン）−１，２−シクロペンタンジアミン］コバルトアセテート、［Ｎ，Ｎ’−ビス（３−ｔｅｒｔ−ブチル−５−トリフルオロメチルサリチリデン）−１，３−シクロペンタンジアミン］コバルトアセテート、［Ｎ，Ｎ’−ビス（３−ｔｅｒｔ−ブチル−５−トリフルオロメチルサリチリデン）−１，２−シクロヘキサンジアミン］コバルトアセテート、［Ｎ，Ｎ’−ビス（３−ｔｅｒｔ−ブチル−５−トリフルオロメチルサリチリデン）−１，３−シクロヘキサンジアミン］コバルトアセテート、［Ｎ，Ｎ’−ビス（３−ｔｅｒｔ−ブチル−５−トリフルオロメチルサリチリデン）−１，４−シクロヘキサンジアミン］コバルトアセテート、［Ｎ，Ｎ’−ビス（３−ｔｅｒｔ−ブチル−５−トリフルオロメチルサリチリデン）−１，２−ノルボルナンジアミン］コバルトアセテート、［Ｎ，Ｎ’−ビス（３−ｔｅｒｔ−ブチル−５−トリフルオロメチルサリチリデン）−１，２−ベンゼンジアミン］コバルトアセテート、［Ｎ，Ｎ’−ビス（３−ｔｅｒｔ−ブチル−５−トリフルオロメチルサリチリデン）−１，３−ベンゼンジアミン］コバルトアセテート、［Ｎ，Ｎ’−ビス（３−ｔｅｒｔ−ブチル−５−トリフルオロメチルサリチリデン）−１，４−ベンゼンジアミン］コバルトアセテート、［Ｎ，Ｎ’−ビス（３−ｔｅｒｔ−ブチル−５−トリフルオロメチルサリチリデン）−４−メトキシ−１，２−ベンゼンジアミン］コバルトアセテート、［Ｎ，Ｎ’−ビス（３−ｔｅｒｔ−ブチル−５−トリフルオロメチルサリチリデン）−２，３−ナフタレンジアミン］コバルトアセテート、［Ｎ，Ｎ’−ビス（３−ｔｅｒｔ−ブチル−５−トリフルオロメチルサリチリデン）−１，８−ナフタレンジアミン］コバルトアセテート、
【０１００】
［Ｎ，Ｎ’−ビス（３−ｔｅｒｔ−ブチル−５−トリメチルシリルサリチリデン）メタンジアミン］コバルトアセテート、［Ｎ，Ｎ’−ビス（３−ｔｅｒｔ−ブチル−５−トリメチルシリルサリチリデン）−１，２−エタンジアミン］コバルトアセテート、［Ｎ，Ｎ’−ビス（３−ｔｅｒｔ−ブチル−５−トリメチルシリルサリチリデン）−１，３−プロパンジアミン］コバルトアセテート、［Ｎ，Ｎ’−ビス（３−ｔｅｒｔ−ブチル−５−トリメチルシリルサリチリデン）−１，２−シクロペンタンジアミン］コバルトアセテート、［Ｎ，Ｎ’−ビス（３−ｔｅｒｔ−ブチル−５−トリメチルシリルサリチリデン）−１，３−シクロペンタンジアミン］コバルトアセテート、［Ｎ，Ｎ’−ビス（３−ｔｅｒｔ−ブチル−５−トリメチルシリルサリチリデン）−１，２−シクロヘキサンジアミン］コバルトアセテート、［Ｎ，Ｎ’−ビス（３−ｔｅｒｔ−ブチル−５−トリメチルシリルサリチリデン）−１，３−シクロヘキサンジアミン］コバルトアセテート、［Ｎ，Ｎ’−ビス（３−ｔｅｒｔ−ブチル−５−トリメチルシリルサリチリデン）−１，４−シクロヘキサンジアミン］コバルトアセテート、［Ｎ，Ｎ’−ビス（３−ｔｅｒｔ−ブチル−５−トリメチルシリルサリチリデン）−１，２−ノルボルナンジアミン］コバルトアセテート、［Ｎ，Ｎ’−ビス（３−ｔｅｒｔ−ブチル−５−トリメチルシリルサリチリデン）−１，２−ベンゼンジアミン］コバルトアセテート、［Ｎ，Ｎ’−ビス（３−ｔｅｒｔ−ブチル−５−トリメチルシリルサリチリデン）−１，３−ベンゼンジアミン］コバルトアセテート、［Ｎ，Ｎ’−ビス（３−ｔｅｒｔ−ブチル−５−トリメチルシリルサリチリデン）−１，４−ベンゼンジアミン］コバルトアセテート、［Ｎ，Ｎ’−ビス（３−ｔｅｒｔ−ブチル−５−トリメチルシリルサリチリデン）−４−メトキシ−１，２−ベンゼンジアミン］コバルトアセテート、［Ｎ，Ｎ’−ビス（３−ｔｅｒｔ−ブチル−５−トリメチルシリルサリチリデン）−２，３−ナフタレンジアミン］コバルトアセテート、［Ｎ，Ｎ’−ビス（３−ｔｅｒｔ−ブチル−５−トリメチルシリルサリチリデン）−１，８−ナフタレンジアミン］コバルトアセテート、ならびに、これら化合物の「アセテート」を「プロピオネート」、「ｎ−ブチレート」、「イソブチレート」、「ｎ−ペンチレート」、「イソペンチレート」、「ｓｅｃ−ペンチレート」、「ｔｅｒｔ−ペンチレート」、「トリフルオロアセテート」、「ベンゾエート」、「フルオライド」、「クロライド」、「ブロマイド」、「アイオダイド」、「メトキシド」、「エトキシド」、「イソプロポキシド」、「ｔｅｒｔ−ブトキシド」、「フェノキシド」、「ペンタフルオロフェノキシド」、「ベンジルオキシド」、「ジメチルアミド」、「ジエチルアミド」、「ヒドロキシド」または「シアニド」に置き換えた化合物等を例示することができる。
【０１０１】
式（３）で表されるコバルト錯体として又、［Ｎ，Ｎ’−ビス（３，５−ジメチルサリチリデン）メタンジアミン］コバルトアセテート、［Ｎ，Ｎ’−ビス（３，５−ジメチルサリチリデン）−１，２−エタンジアミン］コバルトアセテート、［Ｎ，Ｎ’−ビス（３，５−ジメチルサリチリデン）−１，３−プロパンジアミン］コバルトアセテート、［Ｎ，Ｎ’−ビス（３，５−ジメチルサリチリデン）−１，２−シクロペンタンジアミン］コバルトアセテート、［Ｎ，Ｎ’−ビス（５３，５−ジメチルサリチリデン）−１，３−シクロペンタンジアミン］コバルトアセテート、［Ｎ，Ｎ’−ビス（３，５−ジメチルサリチリデン）−１，２−シクロヘキサンジアミン］コバルトアセテート、［Ｎ，Ｎ’−ビス（３，５−ジメチルサリチリデン）−１，３−シクロヘキサンジアミン］コバルトアセテート、［Ｎ，Ｎ’−ビス（３，５−ジメチルサリチリデン）−１，４−シクロヘキサンジアミン］コバルトアセテート、［Ｎ，Ｎ’−ビス（３，５−ジメチルサリチリデン）−１，２−ノルボルナンジアミン］コバルトアセテート、［Ｎ，Ｎ’−ビス（３，５−ジメチルサリチリデン）−１，２−ベンゼンジアミン］コバルトアセテート、［Ｎ，Ｎ’−ビス（３，５−ジメチルサリチリデン）−１，３−ベンゼンジアミン］コバルトアセテート、［Ｎ，Ｎ’−ビス（３，５−ジメチルサリチリデン）−１，４−ベンゼンジアミン］コバルトアセテート、［Ｎ，Ｎ’−ビス（３，５−ジメチルサリチリデン）−４−メトキシ−１，２−ベンゼンジアミン］コバルトアセテート、［Ｎ，Ｎ’−ビス（３，５−ジメチルサリチリデン）−２，３−ナフタレンジアミン］コバルトアセテート、［Ｎ，Ｎ’−ビス（３，５−ジメチルサリチリデン）−１，８−ナフタレンジアミン］コバルトアセテート、
【０１０２】
［Ｎ，Ｎ’−ビス（３，５−ジエチルサリチリデン）メタンジアミン］コバルトアセテート、［Ｎ，Ｎ’−ビス（３，５−ジエチルサリチリデン）−１，２−エタンジアミン］コバルトアセテート、［Ｎ，Ｎ’−ビス（３，５−ジエチルサリチリデン）−１，３−プロパンジアミン］コバルトアセテート、［Ｎ，Ｎ’−ビス（３，５−ジエチルサリチリデン）−１，２−シクロペンタンジアミン］コバルトアセテート、［Ｎ，Ｎ’−ビス（３，５−ジエチルサリチリデン）−１，３−シクロペンタンジアミン］コバルトアセテート、［Ｎ，Ｎ’−ビス（３，５−ジエチルサリチリデン）−１，２−シクロヘキサンジアミン］コバルトアセテート、［Ｎ，Ｎ’−ビス（３，５−ジエチルサリチリデン）−１，３−シクロヘキサンジアミン］コバルトアセテート、［Ｎ，Ｎ’−ビス（３，５−ジエチルサリチリデン）−１，４−シクロヘキサンジアミン］コバルトアセテート、［Ｎ，Ｎ’−ビス（３，５−ジエチルサリチリデン）−１，２−ノルボルナンジアミン］コバルトアセテート、［Ｎ，Ｎ’−ビス（３，５−ジエチルサリチリデン）−１，２−ベンゼンジアミン］コバルトアセテート、［Ｎ，Ｎ’−ビス（３，５−ジエチルサリチリデン）−１，３−ベンゼンジアミン］コバルトアセテート、［Ｎ，Ｎ’−ビス（３，５−ジエチルサリチリデン）−１，４−ベンゼンジアミン］コバルトアセテート、［Ｎ，Ｎ’−ビス（３，５−ジエチルサリチリデン）−４−メトキシ−１，２−ベンゼンジアミン］コバルトアセテート、［Ｎ，Ｎ’−ビス（３，５−ジエチルサリチリデン）−２，３−ナフタレンジアミン］コバルトアセテート、［Ｎ，Ｎ’−ビス（３，５−ジエチルサリチリデン）−１，８−ナフタレンジアミン］コバルトアセテート、
【０１０３】
［Ｎ，Ｎ’−ビス（３，５−ジ−ｎ−プロピルサリチリデン）メタンジアミン］コバルトアセテート、［Ｎ，Ｎ’−ビス（３，５−ジ−ｎ−プロピルサリチリデン）−１，２−エタンジアミン］コバルトアセテート、［Ｎ，Ｎ’−ビス（３，５−ジ−ｎ−プロピルサリチリデン）−１，３−プロパンジアミン］コバルトアセテート、［Ｎ，Ｎ’−ビス（３，５−ジ−ｎ−プロピルサリチリデン）−１，２−シクロペンタンジアミン］コバルトアセテート、［Ｎ，Ｎ’−ビス（３，５−ジ−ｎ−プロピルサリチリデン）−１，３−シクロペンタンジアミン］コバルトアセテート、［Ｎ，Ｎ’−ビス（３，５−ジ−ｎ−プロピルサリチリデン）−１，２−シクロヘキサンジアミン］コバルトアセテート、［Ｎ，Ｎ’−ビス（３，５−ジ−ｎ−プロピルサリチリデン）−１，３−シクロヘキサンジアミン］コバルトアセテート、［Ｎ，Ｎ’−ビス（３，５−ジ−ｎ−プロピルサリチリデン）−１，４−シクロヘキサンジアミン］コバルトアセテート、［Ｎ，Ｎ’−ビス（３，５−ジ−ｎ−プロピルサリチリデン）−１，２−ノルボルナンジアミン］コバルトアセテート、［Ｎ，Ｎ’−ビス（３，５−ジ−ｎ−プロピルサリチリデン）−１，２−ベンゼンジアミン］コバルトアセテート、［Ｎ，Ｎ’−ビス（３，５−ジ−ｎ−プロピルサリチリデン）−１，３−ベンゼンジアミン］コバルトアセテート、［Ｎ，Ｎ’−ビス（３，５−ジ−ｎ−プロピルサリチリデン）−１，４−ベンゼンジアミン］コバルトアセテート、［Ｎ，Ｎ’−ビス（３，５−ジ−ｎ−プロピルサリチリデン）−４−メトキシ−１，２−ベンゼンジアミン］コバルトアセテート、［Ｎ，Ｎ’−ビス（３，５−ジ−ｎ−プロピルサリチリデン）−２，３−ナフタレンジアミン］コバルトアセテート、［Ｎ，Ｎ’−ビス（３，５−ジ−ｎ−プロピルサリチリデン）−１，８−ナフタレンジアミン］コバルトアセテート、
【０１０４】
［Ｎ，Ｎ’−ビス（３，５−ジイソプロピルサリチリデン）メタンジアミン］コバルトアセテート、［Ｎ，Ｎ’−ビス（３，５−ジイソプロピルサリチリデン）−１，２−エタンジアミン］コバルトアセテート、［Ｎ，Ｎ’−ビス（３，５−ジイソプロピルサリチリデン）−１，３−プロパンジアミン］コバルトアセテート、［Ｎ，Ｎ’−ビス（３，５−ジイソプロピルサリチリデン）−１，２−シクロペンタンジアミン］コバルトアセテート、［Ｎ，Ｎ’−ビス（３，５−ジイソプロピルサリチリデン）−１，３−シクロペンタンジアミン］コバルトアセテート、［Ｎ，Ｎ’−ビス（３，５−ジイソプロピルサリチリデン）−１，２−シクロヘキサンジアミン］コバルトアセテート、［Ｎ，Ｎ’−ビス（３，５−ジイソプロピルサリチリデン）−１，３−シクロヘキサンジアミン］コバルトアセテート、［Ｎ，Ｎ’−ビス（３，５−ジイソプロピルサリチリデン）−１，４−シクロヘキサンジアミン］コバルトアセテート、［Ｎ，Ｎ’−ビス（３，５−ジイソプロピルサリチリデン）−１，２−ノルボルナンジアミン］コバルトアセテート、［Ｎ，Ｎ’−ビス（３，５−ジイソプロピルサリチリデン）−１，２−ベンゼンジアミン］コバルトアセテート、［Ｎ，Ｎ’−ビス（３，５−ジイソプロピルサリチリデン）−１，３−ベンゼンジアミン］コバルトアセテート、［Ｎ，Ｎ’−ビス（３，５−ジイソプロピルサリチリデン）−１，４−ベンゼンジアミン］コバルトアセテート、［Ｎ，Ｎ’−ビス（３，５−ジイソプロピルサリチリデン）−４−メトキシ−１，２−ベンゼンジアミン］コバルトアセテート、［Ｎ，Ｎ’−ビス（３，５−ジイソプロピルサリチリデン）−２，３−ナフタレンジアミン］コバルトアセテート、［Ｎ，Ｎ’−ビス（３，５−ジイソプロピルサリチリデン）−１，８−ナフタレンジアミン］コバルトアセテート、
【０１０５】
［Ｎ，Ｎ’−ビス（３，５−ジ−ｎ−ブチルサリチリデン）メタンジアミン］コバルトアセテート、［Ｎ，Ｎ’−ビス（３，５−ジ−ｎ−ブチルサリチリデン）−１，２−エタンジアミン］コバルトアセテート、［Ｎ，Ｎ’−ビス（３，５−ジ−ｎ−ブチルサリチリデン）−１，３−プロパンジアミン］コバルトアセテート、［Ｎ，Ｎ’−ビス（３，５−ジ−ｎ−ブチルサリチリデン）−１，２−シクロペンタンジアミン］コバルトアセテート、［Ｎ，Ｎ’−ビス（３，５−ジ−ｎ−ブチルサリチリデン）−１，３−シクロペンタンジアミン］コバルトアセテート、［Ｎ，Ｎ’−ビス（３，５−ジ−ｎ−ブチルサリチリデン）−１，２−シクロヘキサンジアミン］コバルトアセテート、［Ｎ，Ｎ’−ビス（３，５−ジ−ｎ−ブチルサリチリデン）−１，３−シクロヘキサンジアミン］コバルトアセテート、［Ｎ，Ｎ’−ビス（３，５−ジ−ｎ−ブチルサリチリデン）−１，４−シクロヘキサンジアミン］コバルトアセテート、［Ｎ，Ｎ’−ビス（３，５−ジ−ｎ−ブチルサリチリデン）−１，２−ノルボルナンジアミン］コバルトアセテート、［Ｎ，Ｎ’−ビス（３，５−ジ−ｎ−ブチルサリチリデン）−１，２−ベンゼンジアミン］コバルトアセテート、［Ｎ，Ｎ’−ビス（３，５−ジ−ｎ−ブチルサリチリデン）−１，３−ベンゼンジアミン］コバルトアセテート、［Ｎ，Ｎ’−ビス（３，５−ジ−ｎ−ブチルサリチリデン）−１，４−ベンゼンジアミン］コバルトアセテート、［Ｎ，Ｎ’−ビス（３，５−ジ−ｎ−ブチルサリチリデン）−４−メトキシ−１，２−ベンゼンジアミン］コバルトアセテート、［Ｎ，Ｎ’−ビス（３，５−ジ−ｎ−ブチルサリチリデン）−２，３−ナフタレンジアミン］コバルトアセテート、［Ｎ，Ｎ’−ビス（３，５−ジ−ｎ−ブチルサリチリデン）−１，８−ナフタレンジアミン］コバルトアセテート、
【０１０６】
［Ｎ，Ｎ’−ビス（３，５−ジイソブチルサリチリデン）メタンジアミン］コバルトアセテート、［Ｎ，Ｎ’−ビス（３，５−ジイソブチルサリチリデン）−１，２−エタンジアミン］コバルトアセテート、［Ｎ，Ｎ’−ビス（３，５−ジイソブチルサリチリデン）−１，３−プロパンジアミン］コバルトアセテート、［Ｎ，Ｎ’−ビス（３，５−ジイソブチルサリチリデン）−１，２−シクロペンタンジアミン］コバルトアセテート、［Ｎ，Ｎ’−ビス（３，５−ジイソブチルサリチリデン）−１，３−シクロペンタンジアミン］コバルトアセテート、［Ｎ，Ｎ’−ビス（３，５−ジイソブチルサリチリデン）−１，２−シクロヘキサンジアミン］コバルトアセテート、［Ｎ，Ｎ’−ビス（３，５−ジイソブチルサリチリデン）−１，３−シクロヘキサンジアミン］コバルトアセテート、［Ｎ，Ｎ’−ビス（３，５−ジイソブチルサリチリデン）−１，４−シクロヘキサンジアミン］コバルトアセテート、［Ｎ，Ｎ’−ビス（３，５−ジイソブチルサリチリデン）−１，２−ノルボルナンジアミン］コバルトアセテート、［Ｎ，Ｎ’−ビス（３，５−ジイソブチルサリチリデン）−１，２−ベンゼンジアミン］コバルトアセテート、［Ｎ，Ｎ’−ビス（３，５−ジイソブチルサリチリデン）−１，３−ベンゼンジアミン］コバルトアセテート、［Ｎ，Ｎ’−ビス（３，５−ジイソブチルサリチリデン）−１，４−ベンゼンジアミン］コバルトアセテート、［Ｎ，Ｎ’−ビス（３，５−ジイソブチルサリチリデン）−４−メトキシ−１，２−ベンゼンジアミン］コバルトアセテート、［Ｎ，Ｎ’−ビス（３，５−ジイソブチルサリチリデン）−２，３−ナフタレンジアミン］コバルトアセテート、［Ｎ，Ｎ’−ビス（３，５−ジイソブチルサリチリデン）−１，８−ナフタレンジアミン］コバルトアセテート、
【０１０７】
［Ｎ，Ｎ’−ビス（３，５−ジ−ｓｅｃ−ブチルサリチリデン）メタンジアミン］コバルトアセテート、［Ｎ，Ｎ’−ビス（３，５−ジ−ｓｅｃ−ブチルサリチリデン）−１，２−エタンジアミン］コバルトアセテート、［Ｎ，Ｎ’−ビス（３，５−ジ−ｓｅｃ−ブチルサリチリデン）−１，３−プロパンジアミン］コバルトアセテート、［Ｎ，Ｎ’−ビス（３，５−ジ−ｓｅｃ−ブチルサリチリデン）−１，２−シクロペンタンジアミン］コバルトアセテート、［Ｎ，Ｎ’−ビス（３，５−ジ−ｓｅｃ−ブチルサリチリデン）−１，３−シクロペンタンジアミン］コバルトアセテート、［Ｎ，Ｎ’−ビス（３，５−ジ−ｓｅｃ−ブチルサリチリデン）−１，２−シクロヘキサンジアミン］コバルトアセテート、［Ｎ，Ｎ’−ビス（３，５−ジ−ｓｅｃ−ブチルサリチリデン）−１，３−シクロヘキサンジアミン］コバルトアセテート、［Ｎ，Ｎ’−ビス（３，５−ジ−ｓｅｃ−ブチルサリチリデン）−１，４−シクロヘキサンジアミン］コバルトアセテート、［Ｎ，Ｎ’−ビス（３，５−ジ−ｓｅｃ−ブチルサリチリデン）−１，２−ノルボルナンジアミン］コバルトアセテート、［Ｎ，Ｎ’−ビス（３，５−ジ−ｓｅｃ−ブチルサリチリデン）−１，２−ベンゼンジアミン］コバルトアセテート、［Ｎ，Ｎ’−ビス（３，５−ジ−ｓｅｃ−ブチルサリチリデン）−１，３−ベンゼンジアミン］コバルトアセテート、［Ｎ，Ｎ’−ビス（３，５−ジ−ｓｅｃ−ブチルサリチリデン）−１，４−ベンゼンジアミン］コバルトアセテート、［Ｎ，Ｎ’−ビス（３，５−ジ−ｓｅｃ−ブチルサリチリデン）−４−メトキシ−１，２−ベンゼンジアミン］コバルトアセテート、［Ｎ，Ｎ’−ビス（３，５−ジ−ｓｅｃ−ブチルサリチリデン）−２，３−ナフタレンジアミン］コバルトアセテート、［Ｎ，Ｎ’−ビス（３，５−ジ−ｓｅｃ−ブチルサリチリデン）−１，８−ナフタレンジアミン］コバルトアセテート、
【０１０８】
［Ｎ，Ｎ’−ビス（３，５−ジ−ｔｅｒｔ−ブチルサリチリデン）メタンジアミン］コバルトアセテート、［Ｎ，Ｎ’−ビス（３，５−ジ−ｔｅｒｔ−ブチルサリチリデン）−１，２−エタンジアミン］コバルトアセテート、［Ｎ，Ｎ’−ビス（３，５−ジ−ｔｅｒｔ−ブチルサリチリデン）−１，３−プロパンジアミン］コバルトアセテート、［Ｎ，Ｎ’−ビス（３，５−ジ−ｔｅｒｔ−ブチルサリチリデン）−１，２−シクロペンタンジアミン］コバルトアセテート、［Ｎ，Ｎ’−ビス（３，５−ジ−ｔｅｒｔ−ブチルサリチリデン）−１，３−シクロペンタンジアミン］コバルトアセテート、［Ｎ，Ｎ’−ビス（３，５−ジ−ｔｅｒｔ−ブチルサリチリデン）−１，２−シクロヘキサンジアミン］コバルトアセテート、［Ｎ，Ｎ’−ビス（３，５−ジ−ｔｅｒｔ−ブチルサリチリデン）−１，３−シクロヘキサンジアミン］コバルトアセテート、［Ｎ，Ｎ’−ビス（３，５−ジ−ｔｅｒｔ−ブチルサリチリデン）−１，４−シクロヘキサンジアミン］コバルトアセテート、［Ｎ，Ｎ’−ビス（３，５−ジ−ｔｅｒｔ−ブチルサリチリデン）−１，２−ノルボルナンジアミン］コバルトアセテート、［Ｎ，Ｎ’−ビス（３，５−ジ−ｔｅｒｔ−ブチルサリチリデン）−１，２−ベンゼンジアミン］コバルトアセテート、［Ｎ，Ｎ’−ビス（３，５−ジ−ｔｅｒｔ−ブチルサリチリデン）−１，３−ベンゼンジアミン］コバルトアセテート、［Ｎ，Ｎ’−ビス（３，５−ジ−ｔｅｒｔ−ブチルサリチリデン）−１，４−ベンゼンジアミン］コバルトアセテート、［Ｎ，Ｎ’−ビス（３，５−ジ−ｔｅｒｔ−ブチルサリチリデン）−４−メトキシ−１，２−ベンゼンジアミン］コバルトアセテート、［Ｎ，Ｎ’−ビス（３，５−ジ−ｔｅｒｔ−ブチルサリチリデン）−２，３−ナフタレンジアミン］コバルトアセテート、［Ｎ，Ｎ’−ビス（３，５−ジ−ｔｅｒｔ−ブチルサリチリデン）−１，８−ナフタレンジアミン］コバルトアセテート、
【０１０９】
［Ｎ，Ｎ’−ビス（３，５−ジネオペンチルサリチリデン）メタンジアミン］コバルトアセテート、［Ｎ，Ｎ’−ビス（３，５−ジネオペンチルサリチリデン）−１，２−エタンジアミン］コバルトアセテート、［Ｎ，Ｎ’−ビス（３，５−ジネオペンチルサリチリデン）−１，３−プロパンジアミン］コバルトアセテート、［Ｎ，Ｎ’−ビス（３，５−ジネオペンチルサリチリデン）−１，２−シクロペンタンジアミン］コバルトアセテート、［Ｎ，Ｎ’−ビス（３，５−ジネオペンチルサリチリデン）−１，３−シクロペンタンジアミン］コバルトアセテート、［Ｎ，Ｎ’−ビス（３，５−ジネオペンチルサリチリデン）−１，２−シクロヘキサンジアミン］コバルトアセテート、［Ｎ，Ｎ’−ビス（３，５−ジネオペンチルサリチリデン）−１，３−シクロヘキサンジアミン］コバルトアセテート、［Ｎ，Ｎ’−ビス（３，５−ジネオペンチルサリチリデン）−１，４−シクロヘキサンジアミン］コバルトアセテート、［Ｎ，Ｎ’−ビス（３，５−ジネオペンチルサリチリデン）−１，２−ノルボルナンジアミン］コバルトアセテート、［Ｎ，Ｎ’−ビス（３，５−ジネオペンチルサリチリデン）−１，２−ベンゼンジアミン］コバルトアセテート、［Ｎ，Ｎ’−ビス（３，５−ジネオペンチルサリチリデン）−１，３−ベンゼンジアミン］コバルトアセテート、［Ｎ，Ｎ’−ビス（３，５−ジネオペンチルサリチリデン）−１，４−ベンゼンジアミン］コバルトアセテート、［Ｎ，Ｎ’−ビス（３，５−ジネオペンチルサリチリデン）−４−メトキシ−１，２−ベンゼンジアミン］コバルトアセテート、［Ｎ，Ｎ’−ビス（３，５−ジネオペンチルサリチリデン）−２，３−ナフタレンジアミン］コバルトアセテート、［Ｎ，Ｎ’−ビス（３，５−ジネオペンチルサリチリデン）−１，８−ナフタレンジアミン］コバルトアセテート、
【０１１０】
［Ｎ，Ｎ’−ビス（３，５−ジイソアミルサリチリデン）メタンジアミン］コバルトアセテート、［Ｎ，Ｎ’−ビス（３，５−ジイソアミルサリチリデン）−１，２−エタンジアミン］コバルトアセテート、［Ｎ，Ｎ’−ビス（３，５−ジイソアミルサリチリデン）−１，３−プロパンジアミン］コバルトアセテート、［Ｎ，Ｎ’−ビス（３，５−ジイソアミルサリチリデン）−１，２−シクロペンタンジアミン］コバルトアセテート、［Ｎ，Ｎ’−ビス（３，５−ジイソアミルサリチリデン）−１，３−シクロペンタンジアミン］コバルトアセテート、［Ｎ，Ｎ’−ビス（３，５−ジイソアミルサリチリデン）−１，２−シクロヘキサンジアミン］コバルトアセテート、［Ｎ，Ｎ’−ビス（３，５−ジイソアミルサリチリデン）−１，３−シクロヘキサンジアミン］コバルトアセテート、［Ｎ，Ｎ’−ビス（３，５−ジイソアミルサリチリデン）−１，４−シクロヘキサンジアミン］コバルトアセテート、［Ｎ，Ｎ’−ビス（３，５−ジイソアミルサリチリデン）−１，２−ノルボルナンジアミン］コバルトアセテート、［Ｎ，Ｎ’−ビス（３，５−ジイソアミルサリチリデン）−１，２−ベンゼンジアミン］コバルトアセテート、［Ｎ，Ｎ’−ビス（３，５−ジイソアミルサリチリデン）−１，３−ベンゼンジアミン］コバルトアセテート、［Ｎ，Ｎ’−ビス（３，５−ジイソアミルサリチリデン）−１，４−ベンゼンジアミン］コバルトアセテート、［Ｎ，Ｎ’−ビス（３，５−ジイソアミルサリチリデン）−４−メトキシ−１，２−ベンゼンジアミン］コバルトアセテート、［Ｎ，Ｎ’−ビス（３，５−ジイソアミルサリチリデン）−２，３−ナフタレンジアミン］コバルトアセテート、［Ｎ，Ｎ’−ビス（３，５−ジイソアミルサリチリデン）−１，８−ナフタレンジアミン］コバルトアセテート、
【０１１１】
［Ｎ，Ｎ’−ビス（３，５−ジフェニルサリチリデン）メタンジアミン］コバルトアセテート、［Ｎ，Ｎ’−ビス（３，５−ジフェニルサリチリデン）−１，２−エタンジアミン］コバルトアセテート、［Ｎ，Ｎ’−ビス（３，５−ジフェニルサリチリデン）−１，３−プロパンジアミン］コバルトアセテート、［Ｎ，Ｎ’−ビス（３，５−ジフェニルサリチリデン）−１，２−シクロペンタンジアミン］コバルトアセテート、［Ｎ，Ｎ’−ビス（３，５−ジフェニルサリチリデン）−１，３−シクロペンタンジアミン］コバルトアセテート、［Ｎ，Ｎ’−ビス（３，５−ジフェニルサリチリデン）−１，２−シクロヘキサンジアミン］コバルトアセテート、［Ｎ，Ｎ’−ビス（３，５−ジフェニルサリチリデン）−１，３−シクロヘキサンジアミン］コバルトアセテート、［Ｎ，Ｎ’−ビス（３，５−ジフェニルサリチリデン）−１，４−シクロヘキサンジアミン］コバルトアセテート、［Ｎ，Ｎ’−ビス（３，５−ジフェニルサリチリデン）−１，２−ノルボルナンジアミン］コバルトアセテート、［Ｎ，Ｎ’−ビス（３，５−ジフェニルサリチリデン）−１，２−ベンゼンジアミン］コバルトアセテート、［Ｎ，Ｎ’−ビス（３，５−ジフェニルサリチリデン）−１，３−ベンゼンジアミン］コバルトアセテート、［Ｎ，Ｎ’−ビス（３，５−ジフェニルサリチリデン）−１，４−ベンゼンジアミン］コバルトアセテート、［Ｎ，Ｎ’−ビス（３，５−ジフェニルサリチリデン）−４−メトキシ−１，２−ベンゼンジアミン］コバルトアセテート、［Ｎ，Ｎ’−ビス（３，５−ジフェニルサリチリデン）−２，３−ナフタレンジアミン］コバルトアセテート、［Ｎ，Ｎ’−ビス（３，５−ジフェニルサリチリデン）−１，８−ナフタレンジアミン］コバルトアセテート、
【０１１２】
［Ｎ，Ｎ’−ビス−｛３，５−ビス（トリフルオロメチル）サリチリデン｝メタンジアミン］コバルトアセテート、［Ｎ，Ｎ’−ビス−｛３，５−ビス（トリフルオロメチル）サリチリデン｝−１，２−エタンジアミン］コバルトアセテート、［Ｎ，Ｎ’−ビス−｛３，５−ビス（トリフルオロメチル）サリチリデン｝−１，３−プロパンジアミン］コバルトアセテート、［Ｎ，Ｎ’−ビス−｛３，５−ビス（トリフルオロメチル）サリチリデン｝−１，２−シクロペンタンジアミン］コバルトアセテート、［Ｎ，Ｎ’−ビス−｛３，５−ビス（トリフルオロメチル）サリチリデン｝−１，３−シクロペンタンジアミン］コバルトアセテート、［Ｎ，Ｎ’−ビス−｛３，５−ビス（トリフルオロメチル）サリチリデン｝−１，２−シクロヘキサンジアミン］コバルトアセテート、［Ｎ，Ｎ’−ビス−｛３，５−ビス（トリフルオロメチル）サリチリデン｝−１，３−シクロヘキサンジアミン］コバルトアセテート、［Ｎ，Ｎ’−ビス−｛３，５−ビス（トリフルオロメチル）サリチリデン｝−１，４−シクロヘキサンジアミン］コバルトアセテート、［Ｎ，Ｎ’−ビス−｛３，５−ビス（トリフルオロメチル）サリチリデン｝−１，２−ノルボルナンジアミン］コバルトアセテート、［Ｎ，Ｎ’−ビス−｛３，５−ビス（トリフルオロメチル）サリチリデン｝−１，２−ベンゼンジアミン］コバルトアセテート、［Ｎ，Ｎ’−ビス−｛３，５−ビス（トリフルオロメチル）サリチリデン｝−１，３−ベンゼンジアミン］コバルトアセテート、［Ｎ，Ｎ’−ビス−｛３，５−ビス（トリフルオロメチル）サリチリデン｝−１，４−ベンゼンジアミン］コバルトアセテート、［Ｎ，Ｎ’−ビス−｛３，５−ビス（トリフルオロメチル）サリチリデン｝−４−メトキシ−１，２−ベンゼンジアミン］コバルトアセテート、［Ｎ，Ｎ’−ビス−｛３，５−ビス（トリフルオロメチル）サリチリデン｝−２，３−ナフタレンジアミン］コバルトアセテート、［Ｎ，Ｎ’−ビス−｛３，５−ビス（トリフルオロメチル）サリチリデン｝−１，８−ナフタレンジアミン］コバルトアセテート、
【０１１３】
［Ｎ，Ｎ’−ビス−｛３，５−ビス（トリメチルシリル）サリチリデン｝メタンジアミン］コバルトアセテート、［Ｎ，Ｎ’−ビス−｛３，５−ビス（トリメチルシリル）サリチリデン｝−１，２−エタンジアミン］コバルトアセテート、［Ｎ，Ｎ’−ビス−｛３，５−ビス（トリメチルシリル）サリチリデン｝−１，３−プロパンジアミン］コバルトアセテート、［Ｎ，Ｎ’−ビス−｛３，５−ビス（トリメチルシリル）サリチリデン｝−１，２−シクロペンタンジアミン］コバルトアセテート、［Ｎ，Ｎ’−ビス−｛３，５−ビス（トリメチルシリル）サリチリデン｝−１，３−シクロペンタンジアミン］コバルトアセテート、［Ｎ，Ｎ’−ビス−｛３，５−ビス（トリメチルシリル）サリチリデン｝−１，２−シクロヘキサンジアミン］コバルトアセテート、［Ｎ，Ｎ’−ビス−｛３，５−ビス（トリメチルシリル）サリチリデン｝−１，３−シクロヘキサンジアミン］コバルトアセテート、［Ｎ，Ｎ’−ビス−｛３，５−ビス（トリメチルシリル）サリチリデン｝−１，４−シクロヘキサンジアミン］コバルトアセテート、［Ｎ，Ｎ’−ビス−｛３，５−ビス（トリメチルシリル）サリチリデン｝−１，２−ノルボルナンジアミン］コバルトアセテート、［Ｎ，Ｎ’−ビス−｛３，５−ビス（トリメチルシリル）サリチリデン｝−１，２−ベンゼンジアミン］コバルトアセテート、［Ｎ，Ｎ’−ビス−｛３，５−ビス（トリメチルシリル）サリチリデン｝−１，３−ベンゼンジアミン］コバルトアセテート、［Ｎ，Ｎ’−ビス−｛３，５−ビス（トリメチルシリル）サリチリデン｝−１，４−ベンゼンジアミン］コバルトアセテート、［Ｎ，Ｎ’−ビス−｛３，５−ビス（トリメチルシリル）サリチリデン｝−４−メトキシ−１，２−ベンゼンジアミン］コバルトアセテート、［Ｎ，Ｎ’−ビス−｛３，５−ビス（トリメチルシリル）サリチリデン｝−２，３−ナフタレンジアミン］コバルトアセテート、［Ｎ，Ｎ’−ビス−｛３，５−ビス（トリメチルシリル）サリチリデン｝−１，８−ナフタレンジアミン］コバルトアセテート、ならびに、これら化合物の「アセテート」を「プロピオネート」、「ｎ−ブチレート」、「イソブチレート」、「ｎ−ペンチレート」、「イソペンチレート」、「ｓｅｃ−ペンチレート」、「ｔｅｒｔ−ペンチレート」、「トリフルオロアセテート」、「ベンゾエート」、「フルオライド」、「クロライド」、「ブロマイド」、「アイオダイド」、「メトキシド」、「エトキシド」、「イソプロポキシド」、「ｔｅｒｔ−ブトキシド」、「フェノキシド」、「ペンタフルオロフェノキシド」、「ベンジルオキシド」、「ジメチルアミド」、「ジエチルアミド」、「ヒドロキシド」または「シアニド」に置き換えた化合物等を例示することができる。
【０１１４】
式（３）で表されるコバルト錯体の製造方法として、例えば、Ｅが１，２−ベンゼンジイル基、Ｒ１及びＲ３がｔｅｒｔ−ブチル基、Ｒ２、Ｒ４及びＲ５が水素原子、Ｘがアセトキシ基であるコバルト錯体の製造方法として、ワイリー−ＶＣＨ編「ケミストリー  −  ア  ヨーロピアン  ジャーナル（Ｃｈｅｍｉｓｔｒｙ  −  Ａ  Ｅｕｒｏｐｉａｎ  Ｊｏｕｒｎａｌ）」、１９９９年５月３日、第５巻、第５号、第１４６０頁〜第１４６７頁に記載された製造方法、およびアメリカ化学会編「ジャーナル  オブ  アメリカン  ケミカル  ソサイエティー（Ｊｏｕｒｎａｌ  ｏｆ  Ａｍｅｒｉｃａｎ  Ｃｈｅｍｉｃａｌ  Ｓｏｃｉｅｔｙ）」、２００５年７月２６日、第１２７巻、第３３号、第１１５６６頁〜第１１５６７頁に記載された製造方法を例示することができる。
【０１１５】
本発明の製造方法における脂肪族化合物および／または脂環式化合物は、式（２）で表されるエポキシドを重合させる際の溶媒として用いられる。高分子量のアイソタクチックポリ（アルキレンオキシド）を得るためには、これら化合物以外の化合物を溶媒として用いないのが好ましい。脂肪族化合物は好ましくは、ｎ−ヘキサン、ｎ−ヘプタンおよびｎ−オクタン、ならびにそれらの２以上の組合せのようなパラフィン系炭化水素である。中でも、ｎ−ヘキサンまたはｎ−ヘプタンが好ましい。脂環式化合物は好ましくは、シクロヘキサンおよびシクロヘプタン、ならびにそれらの２以上の組合せのようなシクロパラフィンである。中でも、シクロヘキサンが好ましい。これら化合物の使用量（脂肪族化合物と脂環式化合物との組合せを使用する場合は、それらの合計量）は、式（２）で表されるエポキシド１重量部に対して、通常、１〜２００重量部であり、好ましくは、５〜３０重量部である。
【０１１６】
本発明の製造方法における重合温度は、好ましくは−７０〜１５０℃であり、より好ましくは０〜５０℃である。
本発明の製造方法における反応時間は、一般に、目的とするアイソタクチックポリ（アルキレンオキシド）への転化率や反応温度、濃度により適宜決定されるが、通常１分〜５０時間であり、好ましくは３０分〜２４時間であり、より好ましくは３０分〜１０時間である。
【０１１７】
実施例
本発明を以下の実施例によって具体的に説明するが、本発明は実施例に限定されない。
【０１１８】
重合溶媒
・シクロヘキサン：関東化学製脱水グレードをそのまま用いた。
・ｎ−ヘプタン：関東化学製脱水グレードをそのまま用いた。
・ｎ−ヘキサン：関東化学製脱水グレードをそのまま用いた。
・ヘキサンズ：アルドリッチ製無水グレードをそのまま用いた。
【０１１９】
参考例１（触媒合成）
２００ｍＬフラスコに３、５−ジ−ｔｅｒｔ−ブチルサリチルアルデヒド１０ｇ（４２．８ｍｍｏｌ）と、１，２−ジアミノベンゼン２．１６ｇ（２０ｍｍｏｌ）と、エタノールとを１００ｍＬ仕込んで攪拌し、４時間加熱還流を行った。その後室温に冷やし、室温にて８時間攪拌した後、析出物をろ過し、室温で８時間真空乾燥し、６．２７ｇ（１１．６ｍｍｏｌ）のＮ、Ｎ’−ビス−（３，５−ジ−ｔｅｒｔ−ブチルサリチリデン）−１、２−フェニレンジアミンを得た。収率は５８％であった。
【０１２０】
続いて２００ｍＬフラスコに、上記で得られたＮ、Ｎ’−ビス−（３，５−ジ−ｔｅｒｔ−ブチルサリチリデン）−１，２−フェニレンジアミン１．５８ｇ（２．９ｍｍｏｌ）と、酢酸コバルト（ＩＩ）４水和物０．５１７ｇ（２．３ｍｍｏｌ）と、エタノール８０ｍＬとを仕込んで攪拌し、８０℃で３０分間反応を行った。その後室温まで放冷しロータリーエバポレーターを用いて溶媒を除去した後、塩化メチレン１１ｍＬを加えて溶解した。この溶液にゆっくりとヘキサン１３７ｍＬを加え冷蔵庫で１２時間放置し、ろ過することにより析出した固体を回収、ヘキサン１００ｍＬで３回洗浄した後、室温で８時間真空乾燥しＮ、Ｎ’−ビス−（３，５−ジ−ｔｅｒｔ−ブチルサリチリデン）−１，２−フェニレンジアミンコバルト１．３２ｇ（２．２ｍｍｏｌ）を得た。収率は９６％であった。
次に１００ｍＬビーカーに、上記で得られたＮ、Ｎ’−ビス−（３，５−ジ−ｔｅｒｔ−ブチルサリチリデン）−１，２−フェニレンジアミンコバルト１．０ｇを入れ、塩化メチレン１０ｍＬを加えて溶解した。さらに酢酸０．１ｍＬを加えて３０分間攪拌した。その後攪拌を止めて、空気中で溶媒がなくなるまで放置し、固体を得た。この固体をペンタン１０ｍＬを用いて３回洗浄した後、室温で８時間真空乾燥して、式（３）における、Ｅが１，２−ベンゼンジイルであり、Ｒ５およびＲ７がｔｅｒｔ−ブチル基であり、Ｒ６、Ｒ８およびＲ９が水素原子であり、Ｘがアセトキシ基である、［Ｎ、Ｎ’−ビス−（３，５−ジ−ｔｅｒｔ−ブチルサリチリデン）−１，２−フェニレンジアミン］コバルトアセテート１．０４ｇ（１．５８ｍｍｏｌ）を得た。収率は９５％であった。
【０１２１】
実施例１
窒素置換した１００ｍＬのフラスコに参考例１で合成した触媒５６．３ｍｇを投入した後、氷浴を用いて５℃に冷却し、シクロヘキサン５１．２ｍＬを加え、続いてプロピレンオキサイド６ｍＬを加えて１時間攪拌を行った。その後塩酸を添加して重合を停止し、ロータリーエバポレーターにより液体を留去し、ポリマーを得た。このポリマーをアセトンを用いて溶解し、冷蔵庫で１２時間静置し、析出したポリマーをろ過することにより取り出し、その後８０℃で２時間真空乾燥してポリマーを０．６８ｇ得た。
得られたポリマー（ポリプロピレンオキシド）は１３Ｃ  ＮＭＲから９９％以上のアイソタクチックトライアッドを有することを確認した。また、ＧＰＣの測定から得られたポリマーの数平均分子量（Ｍｎ）は、１４，７００，０００であり、重量平均分子量（Ｍｗ）は、２６，５００，０００であり、分子量分布（Ｍｗ／Ｍｎ）は、１．８であった。
上記の数平均分子量（Ｍｎ）、重量平均分子量（Ｍｗ）および分子量分布（Ｍｗ／Ｍｎ）は、ゲルパーミエーションクロマトグラフィー（ＧＰＣ）によって、標準ポリスチレンを用いて作成した検量線を用い、下記の条件で測定した。
ＧＰＣ測定機  日本分光社製  ＬＣ−２０００ＰＬＵＳシリーズ
カラム        東ソー社製  ＴＳＫ−ＧＥＬＧ−６０００  １本、Ｇ−５０００  １本、Ｇ−４０００  １本およびＧ−３０００ＨＸＬ  １本を、この順番につないだもの。
【０１２２】
測定温度      ４０℃
溶媒          テトラヒドロフラン
サンプル濃度  ７０ｍｇ／ｍＬ
上記の１３Ｃ  ＮＭＲは、下記の条件で測定した。
１３Ｃ  ＮＭＲ測定機        日本電子社製  ４００ＭＨｚＮＭＲ
測定温度                    ２３℃
溶媒                        クロロホルム−ｄ
サンプル量                  １０ｍｇ
【０１２３】
実施例２
実施例１で用いたシクロヘキサンの代わりにｎ−ヘプタンを用いた以外は実施例１と同様の方法で重合を行った。その結果、ポリマーを０．５８ｇ得た。
ＧＰＣの測定から得られたポリマー（ポリプロピレンオキシド）の数平均分子量（Ｍｎ）は、２，７５０，０００であり、重量平均分子量（Ｍｗ）は、１８，４００，０００であり、分子量分布（Ｍｗ／Ｍｎ）は、６．７であった。
【０１２４】
実施例３
実施例１で用いたシクロヘキサンの代わりにｎ−ヘキサンを用いた以外は実施例１と同様の方法で重合を行った。その結果、ポリマーを０．７７ｇ得た。
ＧＰＣの測定から得られたポリマー（ポリプロピレンオキシド）の数平均分子量（Ｍｎ）は、２，５３０，０００であり、重量平均分子量（Ｍｗ）は、２１，８００，０００であり、分子量分布（Ｍｗ／Ｍｎ）は、８．６であった。
【０１２５】
実施例４
窒素置換した１００ｍＬのフラスコに参考例１で合成した触媒３８．５ｍｇを投入した後、室温でヘキサンズ３７．２ｍＬを加え、続いてプロピレンオキサイド２０ｍＬを加えて０．５時間攪拌を行った。その後塩酸を添加して重合を停止し、ロータリーエバポレーターにより液体を留去し、ポリマーを得た。このポリマーをアセトンを用いて溶解し、冷蔵庫で１２時間静置し、析出したポリマーをろ過することにより取り出し、その後８０℃で２時間真空乾燥してポリマーを７．１４ｇ得た。
ＧＰＣの測定から得られたポリマーの数平均分子量（Ｍｎ）は、４，０３０，０００であり、重量平均分子量（Ｍｗ）は、１１，７００，０００であり、分子量分布（Ｍｗ／Ｍｎ）は、２．９であった。
【０１２６】
比較例１
実施例１で用いたシクロヘキサンの代わりにトルエンを用いた以外は実施例１と同様の方法で重合を行った。その結果、ポリマーを０．０２ｇ得た。
ＧＰＣの測定から得られたポリマーの数平均分子量（Ｍｎ）は、１１４，０００であり、重量平均分子量（Ｍｗ）は、４９０，０００であり、分子量分布（Ｍｗ／Ｍｎ）は、４．３であった。
【０１２７】
参考例２（触媒合成）
還流管と温度計を取り付けた２００ｍLの４つ口フラスコに２−エチルフェノール６０．５ｇ（４９５ｍｍｏｌ）とｔｅｒｔ−ブチルクロリド５５．０ｇ（５９４ｍｍｏｌ、１．２当量）を加え、室温で攪拌した。この混合液に三塩化アルミニウム５．０ｇを混合液の内温が上がらない程度に分割して加えた。この混合物を室温で３０分攪拌した後、５０℃で３０分攪拌し、室温まで冷却した。この混合液を氷２５ｇに水５０ｍＬ加えた氷水にゆっくりと注ぎ込んだ後、ジエチルエーテル５０ｍＬで２回抽出し、エーテル相を集め、無水硫酸ナトリウムで脱水した後、濃縮し、無色液体として４−ｔｅｒｔ−ブチル−２−エチルフェノールを８０．４ｇ得た。ＧＣ純度９３％、収率８５％であった。
【０１２８】
滴下漏斗と温度計を取り付けた５００ｍＬの４つ口フラスコに上記方法で合成した４−ｔｅｒｔ−ブチル−２−エチルフェノール８０．４ｇ（４１８ｍｍｏｌ）とジメチルホルムアミド２２５ｍＬを加え、攪拌しながら冷水で１５℃に冷却した。この混合液にＮ−ブロモスクシンイミド７３．７ｇ（４１４ｍｍｏｌ、０．９９当量）を混合液の内温が上がらない程度に分割して加えた。この混合液を２５℃で３時間攪拌した後に、氷冷し５℃で氷６８ｇに水６８ｍｌを加えて作った氷水を加え、ヘキサン１３７ｍＬを加えて抽出した。残排水に更にヘキサン１３７ｍＬを加えて抽出し、ヘキサン相を集め、無水硫酸ナトリウムで脱水した後に濃縮し、薄黄色液体として２−ブロモ−４−ｔｅｒｔ−ブチル−６−エチルフェノールを１２１ｇ得た。GC純度８５％、収率８９％であった。
【０１２９】
２本の滴下漏斗と温度計、三方コックを取り付けた１Ｌの４つ口フラスコを窒素置換した後、上記方法で合成した２−ブロモ−４−ｔｅｒｔ−ブチル−６−エチルフェノール１２１ｇ（４４５ｍｍｏｌ）を脱水ＴＨＦ４２３ｍＬと混合した後、氷浴で５℃に冷却した。この溶液にｎ−ブチルリチウムのヘキサン溶液（２．５ｍｏｌ／Ｌ、１７８ｍＬ、４４５ｍｍｏｌ）を内温が上がらない程度の速度で滴下した。この溶液を３０分間、５℃で攪拌した後、更にクロロメチルメチルエーテル４３．０ｇ（５３４ｍｍｏｌ、１．２０当量）の脱水ＴＨＦ（１８１ｍＬ）溶液を内温が上がらない程度の速度で滴下した。この溶液を３０分間、５℃で攪拌した後、室温まで昇温し、更に３０分攪拌した後、軽沸分を減圧留去し、脱水ヘキサン３００ｍＬで２回抽出し、そのヘキサン相をまとめ濃縮する事で、淡橙色液体として１−ブロモ−３−ｔｅｒｔ−ブチル−５−エチルフェニルメトキシメチルエーテルを１１４．６ｇ得た。ＧＣ純度８６％、収率８２％であった。
【０１３０】
２本の滴下漏斗と温度計、三方コックを取り付けた２Lの４つ口フラスコを窒素置換した後、上記方法で合成した１−ブロモ−３−ｔｅｒｔ−ブチル−５−エチルフェニルメトキシメチルエーテル１００ｇ（２８５ｍｍｏｌ）を脱水ＴＨＦ１０００ｍＬと混合した後、ドライアイス／エタノールバスで−７０℃に冷却した。この溶液にｎ−ブチルリチウムのヘキサン溶液（２．５ｍｏｌ／Ｌ、１１４ｍＬ、２８５ｍｍｏｌ）を内温が上がらない程度の速度で滴下した。この溶液を３０分間、５℃で攪拌した後、更にＮ，Ｎ−ジエチルホルムアミド３４．６ｇ（３４２ｍｍｏｌ、０．９１当量）の脱水THF（２５ｍＬ）溶液を内温が上がらない程度の速度で滴下した。−７０℃で３０分攪拌した後、エタノールバスを外し、室温まで自然昇温させ、更に室温で３０分攪拌した。この溶液に１Ｎ塩酸を加えｐＨを６にした後、ジエチルエーテル５００ｍＬで２回抽出し、得られたジエチルエーテル相を集め、無水硫酸マグネシウムで脱水し濃縮したところ赤色液体として５−ｔｅｒｔ−ブチル−３−エチル−２−メトキシメトキシベンズアルデヒドを９３．２ｇ得た。純度４５％、収率５９％であった。
【０１３１】
還流管を取り付けたフラスコに上記方法で合成した５−ｔｅｒｔ−ブチル−３−エチル−２−メトキシメトキシベンズアルデヒド８０ｇを入れ、メタノール１６０ｍLで希釈した。この溶液にＡｍｂｅｒｌｙｓｔ  １５（スチレン−ジビニルベンゼン共重合体）３６．３ｇを加え、２時間還流した後、セライトろ過し、濃縮したところ赤色液体として、５−ｔｅｒｔ−ブチル−３−エチルサリチルアルデヒド６４．５ｇを得た。純度４６％、収率９９％であった。
【０１３２】
１００ｍＬフラスコに上記方法で合成した５−ｔｅｒｔ−ブチル−３−エチルサリチルアルデヒド５．０ｇ（１１．１ｍｍｏｌ）と、１，２−ジアミノベンゼン０．５４ｇ（５．０ｍｍｏｌ）と、エタノール４０ｍＬを仕込んで攪拌し、３時間加熱還流を行った。その後室温に冷やし、軽沸分を減圧留去し、更に０．４５ｋＰａの減圧度で１２０℃まで加温して、揮発分を除去したところ、橙色粘性液体としてＮ、Ｎ’−ビス−（５−ｔｅｒｔ−ブチル−３−エチルサリチリデン）−１，２−フェニレンジアミンを１．５０ｇ得た。収率は２８％であった。
【０１３３】
続いて冷却器付きの１００ｍＬフラスコに、上記で得られたＮ、Ｎ’−ビス−（５−ｔｅｒｔ−ブチル−３−エチルサリチリデン）−１，２−フェニレンジアミン０．２０ｇ（０．４１ｍｍｏｌ）と、酢酸コバルト（ＩＩ）４水和物０．０８２ｇ（０．３３ｍｍｏｌ）と、エタノール１２ｍＬとを仕込んで攪拌し、還流温度で６０分間反応を行った。その後室温まで放冷しロータリーエバポレーターを用いて溶媒を除去した後、塩化メチレン２ｍＬを加えて溶解した。この溶液にゆっくりとヘキサン１５ｍＬを加え冷蔵庫で１２時間放置し、ろ過することにより析出した固体を回収、ヘキサン１０ｍＬで２回洗浄した後、室温で２時間真空乾燥し［Ｎ、Ｎ’−ビス−（５−ｔｅｒｔ−ブチル−３−エチルサリチリデン）−１，２−フェニレンジアミン］コバルト０．１９ｇ（２．２ｍｍｏｌ）を定量的に得た。
【０１３４】
次に２０ｍＬシュレンクに、上記で得られた［Ｎ、Ｎ’−ビス−（５−ｔｅｒｔ−ブチル−３−エチルサリチリデン）−１，２−フェニレンジアミン］コバルト０．１９ｇを入れ、塩化メチレン１０ｍＬを加えて溶解した。さらに酢酸０．０２２ｍＬを加えて３０分間攪拌した。その後攪拌を止めて、空気中で溶媒がなくなるまで放置し、固体を得た。この固体をペンタン２ｍＬを用いて３回洗浄した後、室温で２時間真空乾燥して、式（３）における、Ｅが１，２−ベンゼンジイルであり、Ｒ５がエチル基、Ｒ７がｔｅｒｔ−ブチル基であり、Ｒ６、Ｒ８およびＲ９が水素原子であり、Ｘがアセトキシ基である、［Ｎ、Ｎ’−ビス−（５−ｔｅｒｔ−ブチル−３−エチルサリチリデン）−１，２−フェニレンジアミン］コバルトアセテート０．０８ｇ（０．１３ｍｍｏｌ）を得た。収率は３８％であった。
【０１３５】
比較例２
実施例４で用いた［Ｎ、Ｎ’−ビス−（３，５−ジ−ｔｅｒｔ−ブチルサリチリデン）−１，２−フェニレンジアミン］コバルトアセテート５６．３ｍｇの代わりに参考例２で合成した［Ｎ、Ｎ’−ビス−（５−ｔｅｒｔ−ブチル−３−エチルサリチリデン）−１，２−フェニレンジアミン］コバルトアセテート２４．７ｍｇを用い、重合時間を２４時間にした以外は実施例４と同様の方法で重合を行った。その結果、ポリマーを０．４０ｇ得た。
ＧＰＣの測定から得られたポリマーの数平均分子量（Ｍｎ）は、６，４００であり、重量平均分子量（Ｍｗ）は、２２７，０００であり、分子量分布（Ｍｗ／Ｍｎ）は、３５．３であった。